(57)【要約】  本発明では、無線通信システムにおいて端末と基地局の間の確認応答情報を送受信する方法及びそれを支援する装置を開始する。【選択図】図３６
2020504939.tif 000002
【特許請求の範囲】
【請求項１】
無線通信システムにおいて端末が基地局に確認応答情報を送信する方法において、
コードブロックグループ(Ｃｏｄｅ Ｂｌｏｃｋ Ｇｒｏｕｐ；ＣＢＧ)単位の信号受信が設定された前記端末が前記基地局から送信ブロック(ｔｒａｎｓｍｉｓｓｉｏｎ Ｂｌｏｃｋ；ＴＢ)単位の下りリンクデータをスケジューリングする下りリンク制御情報(Ｄｏｗｎｌｉｎｋ Ｃｏｎｔｒｏｌ Ｉｎｆｏｒｍａｔｉｏｎ；ＤＣＩ)を受信し、
前記下りリンクデータのデコーディング成功の有無に対応するＴＢ単位の確認応答情報を所定のＣＢＧ数だけ繰り返して前記基地局に送信することを含む、確認応答情報の送信方法。
【請求項２】
前記端末は準−静的なコードブック(ｓｅｍｉ−ｓｔａｔｉｃ ｃｏｄｅｂｏｏｋ)方法に基づいて生成された確認応答情報を送信するように設定される、請求項１に記載の確認応答情報の送信方法。
【請求項３】
前記ＤＣＩは共通検索領域(ｃｏｍｍｏｎ ｓｅａｒｃｈ ｓｐａｃｅ)を介して受信される、請求項１に記載の確認応答情報の送信方法。
【請求項４】
前記確認応答情報はＨＡＲＱ(Ｈｙｂｒｉｄ Ａｕｔｏｍａｔｉｃ Ｒｅｐｅａｔ ｒｅＱｕｅｓｔ)ＡＣＫ／ＮＡＣＫ情報である、請求項１に記載の確認応答情報の送信方法。
【請求項５】
前記端末が前記ＤＣＩによりスケジューリングされる下りリンクデータのデコーディングに成功した場合、前記端末は前記下りリンクデータに対するＨＡＲＱ ＡＣＫ／ＮＡＣＫ情報としてＡＣＫ情報を前記所定のＣＢＧ数だけ繰り返して前記基地局に送信する、請求項４に記載の確認応答情報の送信方法。
【請求項６】
前記下りリンクデータは物理下りリンク共有チャネル(Ｐｈｙｓｉｃａｌ Ｄｏｗｎｌｉｎｋ Ｓｈａｒｅｄ Ｃｈａｎｎｅｌ；ＰＤＳＣＨ)を介して送信される、請求項５に記載の確認応答情報の送信方法。
【請求項７】
前記端末が前記ＤＣＩによりスケジューリングされる下りリンクデータのデコーディングに失敗した場合、前記端末は前記下りリンクデータに対するＨＡＲＱ ＡＣＫ／ＮＡＣＫ情報としてＮＡＣＫ情報を前記所定のＣＢＧ数だけ繰り返して前記基地局に送信する、請求項４に記載の確認応答情報の送信方法。
【請求項８】
無線通信システムにおいて基地局が端末から確認応答情報を受信する方法において、
コードブロックグループ(Ｃｏｄｅ Ｂｌｏｃｋ Ｇｒｏｕｐ；ＣＢＧ)単位の信号受信が設定された端末に送信ブロック(ｔｒａｎｓｍｉｓｓｉｏｎ Ｂｌｏｃｋ；ＴＢ)単位の下りリンクデータをスケジューリングする下りリンク制御情報(Ｄｏｗｎｌｉｎｋ Ｃｏｎｔｒｏｌ Ｉｎｆｏｒｍａｔｉｏｎ；ＤＣＩ)を送信し、
所定のＣＢＧ数だけ繰り返して送信される前記下りリンクデータに対するＴＢ単位の確認応答情報を前記端末から受信することを含む、確認応答情報の受信方法。
【請求項９】
前記基地局は前記端末に準−静的なコードブック(ｓｅｍｉ−ｓｔａｔｉｃ ｃｏｄｅｂｏｏｋ)方法に基づいて生成された確認応答情報を送信するように指示する設定情報をさらに送信する、請求項８に記載の確認応答情報の受信方法。
【請求項１０】
前記ＤＣＩは共通検索領域(ｃｏｍｍｏｎ ｓｅａｒｃｈ ｓｐａｃｅ)を介して送信される、請求項８に記載の確認応答情報の受信方法。
【請求項１１】
前記確認応答情報はＨＡＲＱ(Ｈｙｂｒｉｄ Ａｕｔｏｍａｔｉｃ Ｒｅｐｅａｔ ｒｅＱｕｅｓｔ)ＡＣＫ／ＮＡＣＫ情報である、請求項８に記載の確認応答情報の受信方法。
【請求項１２】
前記端末が前記ＤＣＩによりスケジューリングされる下りリンクデータのデコーディングに成功した場合、前記基地局は前記所定のＣＢＧ数だけ繰り返して送信されるＡＣＫ情報を前記端末から受信する、請求項１１に記載の確認応答情報の受信方法。
【請求項１３】
前記下りリンクデータは物理下りリンク共有チャネル(Ｐｈｙｓｉｃａｌ Ｄｏｗｎｌｉｎｋ Ｓｈａｒｅｄ Ｃｈａｎｎｅｌ；ＰＤＳＣＨ)を介して送信される、請求項１２に記載の確認応答情報の受信方法。
【請求項１４】
前記端末が前記ＤＣＩによりスケジューリングされる下りリンクデータのデコーディングに失敗した場合、前記基地局は前記所定のＣＢＧ数だけ繰り返して送信されるＮＡＣＫ情報を前記端末から受信する、請求項１１に記載の確認応答情報の受信方法。
【請求項１５】
無線通信システムにおいて基地局に確認応答情報を送信する端末において、
受信部と、
送信部と、
前記受信部及び前記送信部に連結されて動作するプロセッサを含み、
前記プロセッサは、
コードブロックグループ(Ｃｏｄｅ Ｂｌｏｃｋ Ｇｒｏｕｐ；ＣＢＧ)単位の信号受信が設定された前記端末が前記基地局から送信ブロック(ｔｒａｎｓｍｉｓｓｉｏｎ Ｂｌｏｃｋ；ＴＢ)単位の下りリンクデータをスケジューリングする下りリンク制御情報(Ｄｏｗｎｌｉｎｋ Ｃｏｎｔｒｏｌ Ｉｎｆｏｒｍａｔｉｏｎ；ＤＣＩ)を受信し、
前記下りリンクデータのデコーディング成功有無に対応するＴＢ単位の確認応答情報を所定のＣＢＧ数だけ繰り返して前記基地局に送信するように構成される、端末。
【請求項１６】
無線通信システムにおいて端末から確認応答情報を受信する基地局において、
受信部と、
送信部と、
前記受信部及び前記送信部に連結されて動作するプロセッサを含み、
前記プロセッサは、
コードブロックグループ(Ｃｏｄｅ Ｂｌｏｃｋ Ｇｒｏｕｐ；ＣＢＧ)単位の信号受信が設定された端末に送信ブロック(Ｔｒａｎｓｍｉｓｓｉｏｎ Ｂｌｏｃｋ；ＴＢ)単位の下りリンクデータをスケジューリングする下りリンク制御情報(Ｄｏｗｎｌｉｎｋ Ｃｏｎｔｒｏｌ Ｉｎｆｏｒｍａｔｉｏｎ；ＤＣＩ)を送信し、
所定のＣＢＧ数だけ繰り返して送信される前記下りリンクデータに対するＴＢ単位の確認応答情報を前記端末から受信するように構成される、基地局。
【請求項１７】
無線通信システムにおいて端末が基地局に確認応答情報を送信する方法において、
コードブロックグループ(Ｃｏｄｅ Ｂｌｏｃｋ Ｇｒｏｕｐ；ＣＢＧ)単位の信号送信が設定された１つ以上の第１セルを介して送信される１つ以上の第１下りリンクデータに対するＣＢＧ単位の第１確認応答情報を生成し、
送信ブロック(Ｔｒａｎｓｍｉｓｓｉｏｎ Ｂｌｏｃｋ；ＴＢ)単位の信号送信が設定された１つ以上の第２セルを介して送信される１つ以上の第２下りリンクデータに対するＴＢ単位の第２確認応答情報を生成し、
前記第１確認応答情報及び前記第２確認応答情報が結合された前記確認応答情報を前記基地局に送信することを含む、確認応答情報の送信方法。
【請求項１８】
前記第１セルが複数個である場合、
前記第１確認応答情報は前記複数個の第１セルに対して設定されたＣＢＧ数のうち、最大のＣＢＧ数に基づいて生成される、請求項１７に記載の確認応答情報の送信方法。
【請求項１９】
前記第１下りリンクデータが複数個である場合、
前記第１確認応答情報は前記第１下りリンクデータごとに前記最大のＣＢＧ数に基づいて生成されたＣＢＧ単位の第３確認応答情報を含む、請求項１８に記載の確認応答情報の送信方法。
【請求項２０】
前記確認応答情報はＨＡＲＱ(Ｈｙｂｒｉｄ Ａｕｔｏｍａｔｉｃ Ｒｅｐｅａｔ ｒｅＱｕｅｓｔ)ＡＣＫ／ＮＡＣＫ情報である、請求項１７に記載の確認応答情報の送信方法。
【請求項２１】
前記端末は動的なコードブック(Ｄｙｎａｍｉｃ ｃｏｄｅｂｏｏｋ)方法に基づいて生成された確認応答情報を送信するように設定される、請求項１７に記載の確認応答情報の送信方法。
【請求項２２】
前記端末は前記１つ以上の第１下りリンクデータをスケジューリングする第１下りリンク制御情報(Ｄｏｗｎｌｉｎｋ Ｃｏｎｔｒｏｌ Ｉｎｆｏｒｍａｔｉｏｎ；ＤＣＩ)及び前記１つ以上の第２下りリンクデータをスケジューリングする第２ＤＣＩを受信し、
前記第１ＤＣＩに含まれた第１ＤＡＩ(Ｄｏｗｎｌｉｎｋ Ａｓｓｉｇｎｍｅｎｔ Ｉｎｄｅｘ)と前記第２ＤＣＩに含まれた第２ＤＡＩは個々にカウントされる、請求項１７に記載の確認応答情報の送信方法。
【請求項２３】
前記第１ＤＡＩはＣＢＧ単位のＤＡＩであり、
前記第２ＤＡＩはＴＢ単位のＤＡＩである、請求項２２に記載の確認応答情報の送信方法。
【請求項２４】
前記第１ＤＡＩ及び前記第２ＤＡＩはいずれもＴＢ単位のＤＡＩである、請求項２２に記載の確認応答情報の送信方法。
【請求項２５】
前記第１ＤＣＩ及び前記第２ＤＣＩはいずれも前記第１ＤＡＩに対する総合ＤＡＩ(Ｔｏｔａｌ ＤＡＩ)及び前記第２ＤＡＩに対する総合ＤＡＩ(Ｔｏｔａｌ ＤＡＩ)を含む、請求項２２に記載の確認応答情報の送信方法。
【請求項２６】
無線通信システムにおいて基地局が端末から確認応答情報を受信する方法において、
コードブロックグループ(Ｃｏｄｅ Ｂｌｏｃｋ Ｇｒｏｕｐ；ＣＢＧ)単位の信号送信が設定された１つ以上の第１セルを介して１つ以上の第１下りリンクデータを送信し、
送信ブロック(Ｔｒａｎｓｍｉｓｓｉｏｎ Ｂｌｏｃｋ；ＴＢ)単位の信号送信が設定された１つ以上の第２セルを介して１つ以上の第２下りリンクデータを送信し、
前記端末から前記１つ以上の第１下りリンクデータに対するＣＢＧ単位の第１確認応答情報及び前記１つ以上の第２下りリンクデータに対するＴＢ単位の第２確認応答情報が結合された前記確認応答情報を受信することを含む、確認応答情報の受信方法。
【請求項２７】
無線通信システムにおいて基地局に確認応答情報を送信する端末において、
受信部と、
送信部と、
前記受信部及び前記送信部に連結されて動作するプロセッサを含み、
前記プロセッサは、
コードブロックグループ(Ｃｏｄｅ Ｂｌｏｃｋ Ｇｒｏｕｐ；ＣＢＧ)単位の信号送信が設定された１つ以上の第１セルを介して送信される１つ以上の第１下りリンクデータに対するＣＢＧ単位の第１確認応答情報を生成し、
送信ブロック(Ｔｒａｎｓｍｉｓｓｉｏｎ Ｂｌｏｃｋ；ＴＢ)単位の信号送信が設定された１つ以上の第２セルを介して送信される１つ以上の第２下りリンクデータに対するＴＢ単位の第２確認応答情報を生成し、
前記第１確認応答情報及び前記第２確認応答情報が結合された前記確認応答情報を前記基地局に送信するように構成される、端末。
【請求項２８】
無線通信システムにおいて端末から確認応答情報を受信する基地局において、
受信部と、
送信部と、
前記受信部及び前記送信部に連結されて動作するプロセッサを含み、
前記プロセッサは、
コードブロックグループ(Ｃｏｄｅ Ｂｌｏｃｋ Ｇｒｏｕｐ；ＣＢＧ)単位の信号送信が設定された１つ以上の第１セルを介して１つ以上の第１下りリンクデータを送信し、
送信ブロック(Ｔｒａｎｓｍｉｓｓｉｏｎ Ｂｌｏｃｋ；ＴＢ)単位の信号送信が設定された１つ以上の第２セルを介して１つ以上の第２下りリンクデータを送信し、
前記端末から前記１つ以上の第１下りリンクデータに対するＣＢＧ単位の第１確認応答情報及び前記１つ以上の第２下りリンクデータに対するＴＢ単位の第２確認応答情報が結合された前記確認応答情報を受信するように構成される、基地局。
【発明の詳細な説明】
【技術分野】
【０００１】
以下の説明は無線通信システムに関し、無線通信システムにおいて端末と基地局の間の確認応答情報を送受信する方法及びそれを支援する装置に関する。
【背景技術】
【０００２】
無線接続システムが音声やデータなどの種々の通信サービスを提供するために広範囲に展開されている。一般に、無線接続システムは可用のシステムリソース(帯域幅、送信電力など)を共有して複数のユーザとの通信を支援できる多重接続(ｍｕｌｔｉｐｌｅ ａｃｃｅｓｓ)システムである。多重接続システムの例には、ＣＤＭＡ(ｃｏｄｅ ｄｉｖｉｓｉｏｎ ｍｕｌｔｉｐｌｅ ａｃｃｅｓｓ)システム、ＦＤＭＡ(ｆｒｅｑｕｅｎｃｙ ｄｉｖｉｓｉｏｎ ｍｕｌｔｉｐｌｅ ａｃｃｅｓｓ)システム、ＴＤＭＡ(ｔｉｍｅ ｄｉｖｉｓｉｏｎ ｍｕｌｔｉｐｌｅ ａｃｃｅｓｓ)システム、ＯＦＤＭＡ(ｏｒｔｈｏｇｏｎａｌ ｆｒｅｑｕｅｎｃｙ ｄｉｖｉｓｉｏｎ ｍｕｌｔｉｐｌｅ ａｃｃｅｓｓ)システム、ＳＣ−ＦＤＭＡ(ｓｉｎｇｌｅ ｃａｒｒｉｅｒ ｆｒｅｑｕｅｎｃｙ ｄｉｖｉｓｉｏｎ ｍｕｌｔｉｐｌｅ ａｃｃｅｓｓ)システムなどがある。
【０００３】
なお、多数の通信機器がより大きな通信容量を要求することにより、既存のＲＡＴ(ｒａｄｉｏ ａｃｃｅｓｓ ｔｅｃｈｎｏｌｏｇｙ)に比べて向上したモバイルブロードバンド通信の必要性が高まっている。また、多数の機器及び物事を連結していつでもどこでも多様なサービスを提供する大規模(ｍａｓｓｉｖｅ)ＭＴＣ(Ｍａｃｈｉｎｅ Ｔｙｐｅ Ｃｏｍｍｕｎｉｃａｔｉｏｎｓ)が次世代通信において考えられている。さらに信頼性及び遅延などに敏感なサービス／ＵＥを考慮した通信システムのデザインも考えられている。
【０００４】
このように向上したモバイルブロードバンド通信、大規模ＭＴＣ、ＵＲＬＬＣ(Ｕｌｔｒａ−Ｒｅｌｉａｂｌｅ ａｎｄ Ｌｏｗ Ｌａｔｅｎｃｙ Ｃｏｍｍｕｎｉｃａｔｉｏｎ)などを考慮した次世代ＲＡＴの導入が論議されている。
【発明の概要】
【発明が解決しようとする課題】
【０００５】
本発明の目的は、無線通信システムにおいて端末と基地局の間の確認応答情報を送受信する方法及びそれを支援する装置を提供することにある。
【０００６】
本発明で遂げようとする技術的目的は、以上で言及した事項に制限されず、言及していない他の技術的課題は、以下に説明する本発明の実施例から、本発明の属する技術の分野における通常の知識を有する者にとって考慮されてもよい。
【課題を解決するための手段】
【０００７】
本発明は、無線通信システムにおいて端末と基地局の間の確認応答情報を送受信する方法及びそれを支援する装置を提供する。
【０００８】
本発明の一態様として、無線通信システムにおいて端末が基地局に確認応答情報を送信する方法において、コードブロックグループ(Ｃｏｄｅ Ｂｌｏｃｋ Ｇｒｏｕｐ；ＣＢＧ)単位の信号受信が設定された端末が基地局から送信ブロック(ｔｒａｎｓｍｉｓｓｉｏｎ Ｂｌｏｃｋ；ＴＢ)単位の下りリンクデータをスケジューリングする下りリンク制御情報(Ｄｏｗｎｌｉｎｋ Ｃｏｎｔｒｏｌ Ｉｎｆｏｒｍａｔｉｏｎ；ＤＣＩ)を受信し、下りリンクデータのデコーディング成功有無に対応するＴＢ単位の確認応答情報を所定のＣＢＧ数だけ繰り返して基地局に送信することを含む、確認応答情報の送信方法を提案する。
【０００９】
この時、端末は準−静的なコードブック(ｓｅｍｉ−ｓｔａｔｉｃ ｃｏｄｅｂｏｏｋ)方法に基づいて生成された確認応答情報を送信するように設定される。
【００１０】
ＤＣＩは共通検索領域(ｃｏｍｍｏｎ ｓｅａｒｃｈ ｓｐａｃｅ)を介して受信される。
【００１１】
確認応答情報はＨＡＲＱ(Ｈｙｂｒｉｄ Ａｕｔｏｍａｔｉｃ Ｒｅｐｅａｔ ｒｅＱｕｅｓｔ)ＡＣＫ／ＮＡＣＫ情報に対応する。
【００１２】
一例として、端末がＤＣＩによりスケジューリングされる下りリンクデータのデコーディングに成功した場合、端末は下りリンクデータに対するＨＡＲＱ ＡＣＫ／ＮＡＣＫ情報としてＡＣＫ情報を所定のＣＢＧ数だけ繰り返して基地局に送信する。
【００１３】
この時、下りリンクデータは物理下りリンク共有チャネル(Ｐｈｙｓｉｃａｌ Ｄｏｗｎｌｉｎｋ Ｓｈａｒｅｄ Ｃｈａｎｎｅｌ；ＰＤＳＣＨ)を介して送信される。
【００１４】
他の例として、端末がＤＣＩによりスケジューリングされる下りリンクデータのデコーディングに失敗した場合、端末は下りリンクデータに対するＨＡＲＱ ＡＣＫ／ＮＡＣＫ情報として[]NＡＣＫ情報を所定のＣＢＧ数だけ繰り返して基地局に送信する。
【００１５】
本発明の他の態様として、無線通信システムにおいて基地局が端末から確認応答情報を受信する方法において、コードブロックグループ(Ｃｏｄｅ Ｂｌｏｃｋ Ｇｒｏｕｐ；ＣＢＧ)単位の信号受信が設定された端末に送信ブロック(ｔｒａｎｓｍｉｓｓｉｏｎ Ｂｌｏｃｋ；ＴＢ)単位の下りリンクデータをスケジューリングする下りリンク制御情報(Ｄｏｗｎｌｉｎｋ Ｃｏｎｔｒｏｌ Ｉｎｆｏｒｍａｔｉｏｎ；ＤＣＩ)を送信し、所定のＣＢＧ数だけ繰り返して送信される下りリンクデータに対するＴＢ単位の確認応答情報を端末から受信することを含む、確認応答情報の受信方法を提案する。
【００１６】
本発明のさらに他の態様として、無線通信システムにおいて基地局に確認応答情報を送信する端末において、受信部と、送信部と、受信部及び送信部に連結されて動作するプロセッサを含み、該プロセッサは、コードブロックグループ(Ｃｏｄｅ Ｂｌｏｃｋ Ｇｒｏｕｐ；ＣＢＧ)単位の信号受信が設定された端末が基地局から送信ブロック(ｔｒａｎｓｍｉｓｓｉｏｎ Ｂｌｏｃｋ；ＴＢ)単位の下りリンクデータをスケジューリングする下りリンク制御情報(Ｄｏｗｎｌｉｎｋ Ｃｏｎｔｒｏｌ Ｉｎｆｏｒｍａｔｉｏｎ；ＤＣＩ)を受信し、下りリンクデータのデコーディング成功有無に対応するＴＢ単位の確認応答情報を所定のＣＢＧ数だけ繰り返して基地局に送信するように構成される、端末を提案する。
【００１７】
本発明のさらに他の態様として、無線通信システムにおいて端末から確認応答情報を受信する基地局において、受信部と、送信部と、受信部及び送信部に連結されて動作するプロセッサを含み、該プロセッサは、コードブロックグループ(Ｃｏｄｅ Ｂｌｏｃｋ Ｇｒｏｕｐ；ＣＢＧ)単位の信号受信が設定された端末に送信ブロック(Ｔｒａｎｓｍｉｓｓｉｏｎ Ｂｌｏｃｋ；ＴＢ)単位の下りリンクデータをスケジューリングする下りリンク制御情報(Ｄｏｗｎｌｉｎｋ Ｃｏｎｔｒｏｌ Ｉｎｆｏｒｍａｔｉｏｎ；ＤＣＩ)を送信し、所定のＣＢＧ数だけ繰り返して送信される下りリンクデータに対するＴＢ単位の確認応答情報を端末から受信するように構成される、基地局を提案する。
【００１８】
本発明のさらに他の態様として、無線通信システムにおいて端末が基地局に確認応答情報を送信する方法において、コードブロックグループ(Ｃｏｄｅ Ｂｌｏｃｋ Ｇｒｏｕｐ；ＣＢＧ)単位の信号送信が設定された１つ以上の第１セルを介して送信される１つ以上の第１下りリンクデータに対するＣＢＧ単位の第１確認応答情報を生成し、送信ブロック(Ｔｒａｎｓｍｉｓｓｉｏｎ Ｂｌｏｃｋ；ＴＢ)単位の信号送信が設定された１つ以上の第２セルを介して送信される１つ以上の第２下りリンクデータに対するＴＢ単位の第２確認応答情報を生成し、第１確認応答情報及び第２確認応答情報が結合された確認応答情報を基地局に送信することを含む、確認応答情報の送信方法を提案する。
【００１９】
この時、第１セルが複数個である場合、第１確認応答情報は複数個の第１セルに対して設定されたＣＢＧ数のうち、最大のＣＢＧ数に基づいて生成される。
【００２０】
より具体的には、第１下りリンクデータが複数個である場合、第１確認応答情報は第１下りリンクデータごとに最大のＣＢＧ数に基づいて生成されたＣＢＧ単位の第３確認応答情報を含む。
【００２１】
この時、確認応答情報はＨＡＲＱ(Ｈｙｂｒｉｄ Ａｕｔｏｍａｔｉｃ Ｒｅｐｅａｔ ｒｅＱｕｅｓｔ)ＡＣＫ／ＮＡＣＫ情報に対応する。
【００２２】
端末は動的なコードブック(Ｄｙｎａｍｉｃ ｃｏｄｅｂｏｏｋ)方法に基づいて生成された確認応答情報を送信するように設定される。
【００２３】
また端末は１つ以上の第１下りリンクデータをスケジューリングする第１下りリンク制御情報(Ｄｏｗｎｌｉｎｋ Ｃｏｎｔｒｏｌ Ｉｎｆｏｒｍａｔｉｏｎ；ＤＣＩ)及び１つ以上の第２下りリンクデータをスケジューリングする第２ＤＣＩを受信する。この時、第１ＤＣＩに含まれた第１ＤＡＩ(Ｄｏｗｎｌｉｎｋ Ａｓｓｉｇｎｍｅｎｔ Ｉｎｄｅｘ)と第２ＤＣＩに含まれた第２ＤＡＩは個々にカウントされる。
【００２４】
第１ＤＡＩはＣＢＧ単位のＤＡＩであり、第２ＤＡＩはＴＢ単位のＤＡＩに対応する。
【００２５】
第１ＤＡＩ及び第２ＤＡＩはいずれもＴＢ単位のＤＡＩに対応する。
【００２６】
第１ＤＣＩ及び第２ＤＣＩはいずれも第１ＤＡＩに対する総合ＤＡＩ(Ｔｏｔａｌ ＤＡＩ)及び第２ＤＡＩに対する総合ＤＡＩ(Ｔｏｔａｌ ＤＡＩ)を含む。
【００２７】
本発明のさらに他の態様として、無線通信システムにおいて基地局が端末から確認応答情報を受信する方法において、コードブロックグループ(Ｃｏｄｅ Ｂｌｏｃｋ Ｇｒｏｕｐ；ＣＢＧ)単位の信号送信が設定された１つ以上の第１セルを介して１つ以上の第１下りリンクデータを送信し、送信ブロック(Ｔｒａｎｓｍｉｓｓｉｏｎ Ｂｌｏｃｋ；ＴＢ)単位の信号送信が設定された１つ以上の第２セルを介して１つ以上の第２下りリンクデータを送信し、端末から１つ以上の第１下りリンクデータに対するＣＢＧ単位の第１確認応答情報及び１つ以上の第２下りリンクデータに対するＴＢ単位の第２確認応答情報が結合された確認応答情報を受信することを含む、確認応答情報の受信方法を提案する。
【００２８】
本発明のさらに他の態様として、無線通信システムにおいて基地局に確認応答情報を送信する端末において、受信部と、送信部と、受信部及び送信部に連結されて動作するプロセッサを含み、該プロセッサは、コードブロックグループ(Ｃｏｄｅ Ｂｌｏｃｋ Ｇｒｏｕｐ；ＣＢＧ)単位の信号送信が設定された１つ以上の第１セルを介して送信される１つ以上の第１下りリンクデータに対するＣＢＧ単位の第１確認応答情報を生成し、送信ブロック(Ｔｒａｎｓｍｉｓｓｉｏｎ Ｂｌｏｃｋ；ＴＢ)単位の信号送信が設定された１つ以上の第２セルを介して送信される１つ以上の第２下りリンクデータに対するＴＢ単位の第２確認応答情報を生成し、第１確認応答情報及び第２確認応答情報が結合された確認応答情報を基地局に送信するように構成される、端末を提案する。
【００２９】
本発明のさらに他の態様として、無線通信システムにおいて端末から確認応答情報を受信する基地局において、受信部と、送信部と、受信部及び送信部に連結されて動作するプロセッサを含み、該プロセッサは、コードブロックグループ(Ｃｏｄｅ Ｂｌｏｃｋ Ｇｒｏｕｐ；ＣＢＧ)単位の信号送信が設定された１つ以上の第１セルを介して１つ以上の第１下りリンクデータを送信し、送信ブロック(Ｔｒａｎｓｍｉｓｓｉｏｎ Ｂｌｏｃｋ；ＴＢ)単位の信号送信が設定された１つ以上の第２セルを介して１つ以上の第２下りリンクデータを送信し、端末から１つ以上の第１下りリンクデータに対するＣＢＧ単位の第１確認応答情報及び１つ以上の第２下りリンクデータに対するＴＢ単位の第２確認応答情報が結合された確認応答情報を受信するように構成される、基地局を提案する。
【００３０】
上述した本発明の態様は、本発明の好適な実施例の一部に過ぎず、本願発明の技術的特徴が反映された様々な実施例が、当該技術の分野における通常の知識を有する者にとって、以下に詳述する本発明の詳細な説明に基づいて導出され、理解されるであろう。
【発明の効果】
【００３１】
本発明の実施例によれば、次のような効果がある。
【００３２】
本発明によれば、端末及び基地局は、ＣＢＧ基盤の確認応答情報の送受信と共に、ＴＢ基盤の確認応答情報の送受信も支援することができる。
【００３３】
特に、基地局が端末に対して(上位階層シグナリングにより)ＣＢＧ基盤の確認応答情報の送受信を設定し、基地局が端末にＴＢ基盤の下りリンクデータ信号をスケジューリングすることができる。この場合、本発明によれば、基地局及び端末は互いに確認応答情報に対する不一致(ｍｉｓｍａｔｃｈ)なしに確認応答情報を送受信することができる。
【００３４】
また特定の端末に対してＣＢＧ基盤の確認応答情報の送受信とＴＢ基盤の確認応答情報の送受信が同時に設定される場合、本発明によれば、基地局及び端末は上記の設定に基づいてＣＢＧ基盤の確認応答情報及びＴＢ基盤の確認応答情報を送受信することができる。
【００３５】
本発明の実施例から得られる効果は、以上で言及した効果に限定されず、言及していない他の効果は、以下の本発明の実施例に関する記載から、本発明の属する技術の分野における通常の知識を有する者にとって明確に導出され理解されるであろう。即ち、本発明を実施することに伴う意図していない効果も、本発明の実施例から当該技術の分野における通常の知識を有する者によって導出され得る。
【図面の簡単な説明】
【００３６】
以下に添付する図面は、本発明に関する理解を助けるためのものであり、詳細な説明と共に本発明に関する実施例を提供する。但し、本発明の技術的特徴が特定の図面に限定されるものではなく、各図面で開示する特徴が互いに組み合わせられて新しい実施例として構成されてもよい。各図面における参照番号(ｒｅｆｅｒｅｎｃｅ ｎｕｍｅｒａｌｓ)は構造的構成要素(ｓｔｒｕｃｔｕｒａｌ ｅｌｅｍｅｎｔｓ)を意味する。
【図１】物理チャネル及びそれらを用いた信号送信方法を説明するための図である。
【図２】無線フレームの構造の一例を示す図である。
【図３】下りリンクスロットに対するリソースグリッド(ｒｅｓｏｕｒｃｅ ｇｒｉｄ)を例示する図である。
【図４】上りリンクサブフレームの構造の一例を示す図である。
【図５】下りリンクサブフレームの構造の一例を示す図である。
【図６】本発明に適用可能なセルフサブフレームの構造(Ｓｅｌｆ−Ｃｏｎｔａｉｎｅｄ ｓｕｂｆｒａｍｅ ｓｔｒｕｃｔｕｒｅ)を示す図である。
【図７】ＴＸＲＵとアンテナ要素の代表的な連結方式を示す図である。
【図８】ＴＸＲＵとアンテナ要素の代表的な連結方式を示す図である。
【図９】本発明の一例によるＴＸＲＵ及び物理的アンテナの観点におけるハイブリッドビーム形成構造を簡単に示す図である。
【図１０】本発明の一例による下りリンク(Ｄｏｗｎｌｉｎｋ、ＤＬ)の送信過程において、同期信号(Ｓｙｎｃｈｒｏｎｉｚａｔｉｏｎ ｓｉｇｎａｌ)とシステム情報(Ｓｙｓｔｅｍ ｉｎｆｏｒｍａｔｉｏｎ)に対するビーム掃引(Ｂｅａｍ ｓｗｅｅｐｉｎｇ)動作を簡単に示す図である。
【図１１】本発明の一例によって１つのスロットで送信されるＤＬデータが４つのＨＡＲＱタイミングに対応できる場合を簡単に示す図である。
【図１２】本発明の他の例によって搬送波結合(ｃａｒｒｉｅｒ ａｇｇｒｅｇａｔｉｏｎ、ＣＡ)システムで１つ以上のＣＣ上のＨＡＲＱ−ＡＣＫ情報が特定のＣＣ内の特定のスロットで送信される場合を簡単に示す図である。
【図１３】ＣＣの間のニューマロロジー又はＴＴＩが異なる場合のＨＡＲＱ−ＡＣＫの送受信方法を簡単に示す図である。
【図１４】ＣＣの間のニューマロロジー又はＴＴＩが異なる場合のＨＡＲＱ−ＡＣＫの送受信方法を簡単に示す図である。
【図１５】本発明によって１つのＢＷ内のスロットのうちの一部のスロットがＵＬ用途に活用される一例を示す図である。
【図１６】本発明の一例によってＴＢ単位の(ＴＢ−ｌｅｖｅｌ)Ｃ−ＤＡＩ及びＴ−ＤＡＩに基づくＨＡＲＱ−ＡＣＫの送受信方法を簡単に示す図である。
【図１７】本発明の一例によってＣＢＧ単位の(ＣＢＧ−ｌｅｖｅｌ)Ｃ−ＤＡＩ及びＴ−ＤＡＩに基づくＨＡＲＱ−ＡＣＫの送受信方法を簡単に示す図である。
【図１８】本発明の一例によるＨＡＲＱ−ＡＣＫの送受信方法を簡単に示す図である。
【図１９】本発明の一例によって複数のＣＣに対するＨＡＲＱ−ＡＣＫがＣＣ♯１上で送受信される動作を簡単に示す図である。
【図２０】本発明によって２つのＣＣが搬送波結合された(Ｃａｒｒｉｅｒ Ａｇｇｒｅｇａｔｅｄ)場合、ＨＡＲＱ−ＡＣＫの送受信方法を簡単に示す図である。
【図２１】本発明によって２つのＣＣが搬送波結合された(Ｃａｒｒｉｅｒ Ａｇｇｒｅｇａｔｅｄ)場合、ＨＡＲＱ−ＡＣＫの送受信方法を簡単に示す図である。
【図２２】本発明によってＣＣごとにＤＡＩが適用されるＨＡＲＱ−ＡＣＫの送受信方法を簡単に示す図である。
【図２３】本発明によって４つのＣＣが２つのＣＧで区分される場合、ＨＡＲＱ−ＡＣＫの送受信方法を簡単に示す図である。
【図２４】本発明によって１ＴＢ−ＣＧ、２ＴＢ−ＣＧが構成される場合のＨＡＲＱ−ＡＣＫの送受信方法を簡単に示す図である。
【図２５】本発明によって互いに異なるＣＧに対して追加Ｔ−ＤＡＩが適用される場合、ＨＡＲＱ−ＡＣＫの送受信方法を簡単に示す図である。
【図２６】本発明によって２つのＣＧで区別される場合、ＨＡＲＱ−ＡＣＫの送受信方法を簡単に示す図である。
【図２７】本発明によってＴＴＩ又はスロット長さが異なる３つのＣＣを介してＤＬデータが送信される例を示す図である。
【図２８】基地局とＵＥの間のＨＡＲＱ−ＡＣＫペイロードサイズに対する不一致が発生する例示を示す図である。
【図２９】本発明によって図２８の問題を解決できるＨＡＲＱ−ＡＣＫの送受信方法を示す図である。
【図３０】互いに異なるスロット長さを有する２つのＣＣを介してＤＬデータが送信される場合、本発明の一例によるＨＡＲＱ−ＡＣＫの送受信方法を簡単に示す図である。
【図３１】互いに異なるスロット長さを有する２つのＣＣを介してＤＬデータが送信される場合、本発明の他の例によるＨＡＲＱ−ＡＣＫの送受信方法を簡単に示す図である。
【図３２】本発明によって互いに異なるスロット長さを有する２つのＣＣを介したＨＡＲＱ−ＡＣＫの送受信方法を簡単に示す図である。
【図３３】本発明の一例によるＨＡＲＱ−ＡＣＫの送受信動作を支援するためのＤＡＩ算出例示を簡単に示す図である。
【図３４】本発明の一例によるＨＡＲＱ−ＡＣＫの送受信動作を支援するためのＤＡＩ算出例示を簡単に示す図である。
【図３５】本発明によるＨＡＲＱ−ＡＣＫの送受信動作を簡単に示す図である。
【図３６】本発明の一例による端末の確認応答情報の送信方法を示す流れ図である。
【図３７】本発明の他の例による端末の確認応答情報の送信方法を示す流れ図である。
【図３８】提案する実施例を具現できる端末及び基地局の構成を示す図である。
【発明を実施するための形態】
【００３７】
以下の実施例は本発明の構成要素と特徴を所定の形態で結合したものである。各構成要素又は特徴は、別の明示的言及がない限り、選択的なものとして考慮することができる。各構成要素又は特徴は別の構成要素や特徴と結合しない形態で実施されてもよく、一部の構成要素及び／又は特徴を結合させて本発明の実施例を構成してもよい。本発明の実施例において説明される動作の順序は変更されてもよい。ある実施例の一部の構成や特徴は他の実施例に含まれてもよく、他の実施例の対応する構成又は特徴に取り替えられてもよい。
【００３８】
図面に関する説明において、本発明の要旨を曖昧にさせ得る手順又は段階などは記述を省略し、当業者のレベルで理解可能な程度の手順又は段階も記述を省略する。
【００３９】
明細書全体を通じて、ある部分がある構成要素を「含む(ｃｏｍｐｒｉｓｉｎｇ又はｉｎｃｌｕｄｉｎｇ)」とされているとき、これは、別に反対の記載がない限り、他の構成要素を除外するものではなく、他の構成要素をさらに含み得ることを意味する。また、明細書でいう“…部”、“…器”、“モジュール”などの用語は、少なくとも１つの機能や動作を処理する単位を意味し、これは、ハードウェア、ソフトウェア、又はハードウェア及びソフトウェアの結合によって具現することができる。また、「ある(ａ又はａｎ)」、「１つ(ｏｎｅ)」、「その(ｔｈｅ)」及び類似の関連語は、本発明を記述する文脈において(特に、以下の請求項の文脈において)本明細書に別に指示されたり文脈によって明らかに反駁されない限り、単数及び複数の両方を含む意味で使うことができる。
【００４０】
この明細書において本発明の実施例は基地局と移動局の間のデータ送受信関係を中心に説明されている。ここで、基地局は、移動局と通信を直接行うネットワークの終端ノード(ｔｅｒｍｉｎａｌ ｎｏｄｅ)としての意味を有する。本文書において基地局によって行われるとされている特定動作は、場合によっては、基地局の上位ノード(ｕｐｐｅｒ ｎｏｄｅ)によって行われてもよい。
【００４１】
即ち、基地局を含む複数のネットワークノード(ｎｅｔｗｏｒｋ ｎｏｄｅ)からなるネットワークにおいて、移動局との通信のために行われる様々な動作は、基地局、又は基地局以外の他のネットワークノードで行うことができる。このとき、「基地局」は、固定局(ｆｉｘｅｄ ｓｔａｔｉｏｎ)、Ｎｏｄｅ Ｂ、ｅＮｏｄｅ Ｂ(ｅＮＢ)、発展した基地局(ＡＢＳ：Ａｄｖａｎｃｅｄ Ｂａｓｅ Ｓｔａｔｉｏｎ)又はアクセスポイント(ａｃｃｅｓｓ ｐｏｉｎｔ)などの用語に言い換えることができる。
【００４２】
また、本発明の実施例において、端末(Ｔｅｒｍｉｎａｌ)は、ユーザ機器(ＵＥ：Ｕｓｅｒ Ｅｑｕｉｐｍｅｎｔ)、移動局(ＭＳ：Ｍｏｂｉｌｅ Ｓｔａｔｉｏｎ)、加入者端末(ＳＳ：Ｓｕｂｓｃｒｉｂｅｒ Ｓｔａｔｉｏｎ)、移動加入者端末(ＭＳＳ：Ｍｏｂｉｌｅ Ｓｕｂｓｃｒｉｂｅｒ Ｓｔａｔｉｏｎ)、移動端末(Ｍｏｂｉｌｅ Ｔｅｒｍｉｎａｌ)、又は発展した移動端末(ＡＭＳ：Ａｄｖａｎｃｅｄ Ｍｏｂｉｌｅ Ｓｔａｔｉｏｎ)などの用語に言い換えることができる。
【００４３】
また、送信端はデータサービス又は音声サービスを提供する固定及び／又は移動ノードを意味し、受信端はデータサービス又は音声サービスを受信する固定及び／又は移動ノードを意味する。したがって、上りリンクでは移動局を送信端にし、基地局を受信端にすることができる。同様に、下りリンクでは移動局を受信端にし、基地局を送信端にすることができる。
【００４４】
本発明の実施例は、無線接続システムであるＩＥＥＥ ８０２．ｘｘシステム、３ＧＰＰ(３ｒｄ Ｇｅｎｅｒａｔｉｏｎ Ｐａｒｔｎｅｒｓｈｉｐ Ｐｒｏｊｅｃｔ)システム、３ＧＰＰ ＬＴＥシステム及び３ＧＰＰ２システムのうち少なくとも１つに開示されている標準文書によってサポートすることができ、特に、本発明の実施例は、３ＧＰＰ ＴＳ ３６．２１１、３ＧＰＰ ＴＳ ３６．２１２、３ＧＰＰ ＴＳ ３６．２１３、３ＧＰＰ ＴＳ ３６．３２１及び３ＧＰＰ ＴＳ ３８．３３１の文書によってサポートすることができる。即ち、本発明の実施例のうち、説明していない自明な段階又は部分は、上記文書を参照して説明することができる。また、本文書に開示している用語はいずれも、上記標準文書によって説明することができる。
【００４５】
以下、本発明に係る好適な実施形態を添付の図面を参照して詳しく説明する。添付の図面と共に以下に開示する詳細な説明は、本発明の例示的な実施形態を説明するためのもので、本発明が実施され得る唯一の実施形態を表すことを意図するものではない。
【００４６】
また、本発明の実施例で使われる特定用語は本発明の理解易さのために提供されるものであり、このような特定用語の使用は本発明の技術的思想を逸脱しない範囲で他の形態に変更されてもよい。
【００４７】
以下、本発明の実施例を利用可能な無線接続システムの一例として３ＧＰＰ ＬＴＥ／ＬＴＥ−Ａシステムだけではなく、３ＧＰＰ ＮＲシステムについて説明する。
【００４８】
以下の技術は、ＣＤＭＡ(ｃｏｄｅ ｄｉｖｉｓｉｏｎ ｍｕｌｔｉｐｌｅ ａｃｃｅｓｓ)、ＦＤＭＡ(ｆｒｅｑｕｅｎｃｙ ｄｉｖｉｓｉｏｎ ｍｕｌｔｉｐｌｅ ａｃｃｅｓｓ)、ＴＤＭＡ(ｔｉｍｅ ｄｉｖｉｓｉｏｎ ｍｕｌｔｉｐｌｅ ａｃｃｅｓｓ)、ＯＦＤＭＡ(ｏｒｔｈｏｇｏｎａｌ ｆｒｅｑｕｅｎｃｙ ｄｉｖｉｓｉｏｎ ｍｕｌｔｉｐｌｅ ａｃｃｅｓｓ)、ＳＣ−ＦＤＭＡ(ｓｉｎｇｌｅ ｃａｒｒｉｅｒ ｆｒｅｑｕｅｎｃｙ ｄｉｖｉｓｉｏｎ ｍｕｌｔｉｐｌｅ ａｃｃｅｓｓ)などのような様々な無線接続システムに適用することができる。
【００４９】
ＣＤＭＡは、ＵＴＲＡ(Ｕｎｉｖｅｒｓａｌ Ｔｅｒｒｅｓｔｒｉａｌ Ｒａｄｉｏ Ａｃｃｅｓｓ)やＣＤＭＡ２０００のような無線技術(ｒａｄｉｏ ｔｅｃｈｎｏｌｏｇｙ)によって具現することができる。ＴＤＭＡは、ＧＳＭ(Ｇｌｏｂａｌ Ｓｙｓｔｅｍ ｆｏｒ Ｍｏｂｉｌｅ ｃｏｍｍｕｎｉｃａｔｉｏｎｓ)／ＧＰＲＳ(Ｇｅｎｅｒａｌ Ｐａｃｋｅｔ Ｒａｄｉｏ Ｓｅｒｖｉｃｅ)／ＥＤＧＥ(Ｅｎｈａｎｃｅｄ Ｄａｔａ Ｒａｔｅｓ ｆｏｒ ＧＳＭ Ｅｖｏｌｕｔｉｏｎ)のような無線技術によって具現することができる。ＯＦＤＭＡは、ＩＥＥＥ ８０２．１１(ＷｉＦｉ)、ＩＥＥＥ ８０２．１６(ＷｉＭＡＸ)、ＩＥＥＥ ８０２−２０、Ｅ−ＵＴＲＡ(Ｅｖｏｌｖｅｄ ＵＴＲＡ)などのような無線技術によって具現することができる。
【００５０】
ＵＴＲＡはＵＭＴＳ(Ｕｎｉｖｅｒｓａｌ Ｍｏｂｉｌｅ Ｔｅｌｅｃｏｍｍｕｎｉｃａｔｉｏｎｓ Ｓｙｓｔｅｍ)の一部である。３ＧＰＰ ＬＴＥ(Ｌｏｎｇ Ｔｅｒｍ Ｅｖｏｌｕｔｉｏｎ)はＥ−ＵＴＲＡを用いるＥ−ＵＭＴＳ(Ｅｖｏｌｖｅｄ ＵＭＴＳ)の一部であり、下りリンクでＯＦＤＭＡを採用し、上りリンクでＳＣ−ＦＤＭＡを採用する。ＬＴＥ−Ａ(Ａｄｖａｎｃｅｄ)システムは３ＧＰＰ ＬＴＥシステムを改良したシステムである。
【００５１】
本発明の技術的特徴に関する説明を明確にするために、本発明の実施例は３ＧＰＰ ＬＴＥ／ＬＴＥ−Ａシステムだけではなく、３ＧＰＰ ＮＲシステムを中心に述べられるが、ＩＥＥＥ ８０２．１６ｅ／ｍシステムなどに適用されてもよい。
【００５２】
１．３ＧＰＰ ＬＴＥ／ＬＴＥ Ａシステム
【００５３】
１．１．物理チャネル及びこれを用いた信号送受信方法
【００５４】
無線接続システムにおいて端末は下りリンク(ＤＬ：Ｄｏｗｎｌｉｎｋ)で基地局から情報を受信し、上りリンク(ＵＬ：Ｕｐｌｉｎｋ)で基地局に情報を送信する。基地局と端末とが送受信する情報は一般データ情報及び種々の制御情報を含み、基地局と端末とが送受信する情報の種類／用途によって様々な物理チャネルが存在する。
【００５５】
図１は、本発明の実施例で使用可能な物理チャネル及びそれらを用いた信号送信方法を説明するための図である。
【００５６】
電源が消えた状態で電源がついたり、新しくセルに進入したりした端末は、Ｓ１１段階で、基地局と同期を取るなどの初期セル探索(Ｉｎｉｔｉａｌ ｃｅｌｌ ｓｅａｒｃｈ)作業を行う。そのために、端末は基地局から主同期チャネル(Ｐ−ＳＣＨ：Ｐｒｉｍａｒｙ Ｓｙｎｃｈｒｏｎｉｚａｔｉｏｎ Ｃｈａｎｎｅｌ)及び副同期チャネル(Ｓ−ＳＣＨ：Ｓｅｃｏｎｄａｒｙ Ｓｙｎｃｈｒｏｎｉｚａｔｉｏｎ Ｃｈａｎｎｅｌ)を受信して基地局と同期を取り、セルＩＤなどの情報を取得する。
【００５７】
その後、端末は基地局から物理放送チャネル(ＰＢＣＨ：Ｐｈｙｓｉｃａｌ Ｂｒｏａｄｃａｓｔ Ｃｈａｎｎｅｌ)信号を受信してセル内放送情報を取得することができる。
【００５８】
一方、端末は初期セル探索段階で下りリンク参照信号(ＤＬ ＲＳ：Ｄｏｗｎｌｉｎｋ Ｒｅｆｅｒｅｎｃｅ Ｓｉｇｎａｌ)を受信して下りリンクチャネル状態を確認することができる。
【００５９】
初期セル探索を終えた端末は、Ｓ１２段階で、物理下りリンク制御チャネル(ＰＤＣＣＨ：Ｐｈｙｓｉｃａｌ Ｄｏｗｎｌｉｎｋ Ｃｏｎｔｒｏｌ Ｃｈａｎｎｅｌ)、及び物理下りリンク制御チャネル情報に対応する物理下りリンク共有チャネル(ＰＤＳＣＨ：Ｐｈｙｓｉｃａｌ Ｄｏｗｎｌｉｎｋ Ｃｏｎｔｒｏｌ Ｃｈａｎｎｅｌ)を受信して、より具体的なシステム情報を取得することができる。
【００６０】
その後、端末は基地局への接続を完了するために、段階Ｓ１３〜段階Ｓ１６のようなランダムアクセス過程(Ｒａｎｄｏｍ Ａｃｃｅｓｓ Ｐｒｏｃｅｄｕｒｅ)を行うことができる。そのために、端末は物理ランダムアクセスチャネル(ＰＲＡＣＨ：Ｐｈｙｓｉｃａｌ Ｒａｎｄｏｍ Ａｃｃｅｓｓ Ｃｈａｎｎｅｌ)でプリアンブル(ｐｒｅａｍｂｌｅ)を送信し(Ｓ１３)、物理下りリンク制御チャネル及びそれに対応する物理下りリンク共有チャネルでプリアンブルに対する応答メッセージを受信することができる(Ｓ１４)。競合ベースのランダムアクセスでは、端末は、更なる物理ランダムアクセスチャネル信号の送信(Ｓ１５)、及び物理下りリンク制御チャネル信号及びそれに対応する物理下りリンク共有チャネル信号の受信(Ｓ１６)のような衝突解決手順(Ｃｏｎｔｅｎｔｉｏｎ Ｒｅｓｏｌｕｔｉｏｎ Ｐｒｏｃｅｄｕｒｅ)を行うことができる。
【００６１】
上述したような手順を行った端末は、その後、一般的な上りリンク／下りリンク信号送信手順として、物理下りリンク制御チャネル信号及び／又は物理下りリンク共有チャネル信号の受信(Ｓ１７)、及び物理上りリンク共有チャネル(ＰＵＳＣＨ：Ｐｈｙｓｉｃａｌ Ｕｐｌｉｎｋ Ｓｈａｒｅｄ Ｃｈａｎｎｅｌ)信号及び／又は物理上りリンク制御チャネル(ＰＵＣＣＨ：Ｐｈｙｓｉｃａｌ Ｕｐｌｉｎｋ Ｃｏｎｔｒｏｌ Ｃｈａｎｎｅｌ)信号の送信(Ｓ１８)を行うことができる。
【００６２】
端末が基地局に送信する制御情報を総称して上りリンク制御情報(ＵＣＩ：Ｕｐｌｉｎｋ Ｃｏｎｔｒｏｌ Ｉｎｆｏｒｍａｔｉｏｎ)という。ＵＣＩは、ＨＡＲＱ−ＡＣＫ／ＮＡＣＫ(Ｈｙｂｒｉｄ Ａｕｔｏｍａｔｉｃ Ｒｅｐｅａｔ ａｎｄ ｒｅＱｕｅｓｔ Ａｃｋｎｏｗｌｅｄｇｅｍｅｎｔ／Ｎｅｇａｔｉｖｅ−ＡＣＫ)、ＳＲ(Ｓｃｈｅｄｕｌｉｎｇ Ｒｅｑｕｅｓｔ)、ＣＱＩ(Ｃｈａｎｎｅｌ Ｑｕａｌｉｔｙ Ｉｎｄｉｃａｔｉｏｎ)、ＰＭＩ(Ｐｒｅｃｏｄｉｎｇ Ｍａｔｒｉｘ Ｉｎｄｉｃａｔｉｏｎ)、ＲＩ(Ｒａｎｋ Ｉｎｄｉｃａｔｉｏｎ)情報などを含む。
【００６３】
ＬＴＥシステムにおいてＵＣＩは一般的にＰＵＣＣＨで周期的に送信されるが、制御情報とトラフィックデータが同時に送信されるべき場合にはＰＵＳＣＨで送信されてもよい。また、ネットワークの要求／指示によってＰＵＳＣＨでＵＣＩを非周期的に送信することもできる。
【００６４】
１．２．リソースの構造
【００６５】
図２は、本発明の実施例で用いられる無線フレームの構造を示す図である。
【００６６】
図２(ａ)にはタイプ１フレーム構造(ｆｒａｍｅ ｓｔｒｕｃｔｕｒｅ ｔｙｐｅ１)を示す。タイプ１フレーム構造は、全二重(ｆｕｌｌ ｄｕｐｌｅｘ)ＦＤＤ(Ｆｒｅｑｕｅｎｃｙ Ｄｉｖｉｓｉｏｎ Ｄｕｐｌｅｘ)システムにも半二重(ｈａｌｆ ｄｕｐｌｅｘ)ＦＤＤシステムにも適用可能である。
【００６７】
１無線フレーム(ｒａｄｉｏ ｆｒａｍｅ)はＴｆ＝３０７２００＊Ｔｓ＝１０ｍｓの長さを有するものであり、Ｔｓｌｏｔ＝１５３６０＊Ｔｓ＝０．５ｍｓの均等な長さを有し、０〜１９のインデックスが与えられた２０個のスロットで構成される。１サブフレームは２個の連続したスロットで定義され、ｉ番目のサブフレームは、２ｉと２ｉ＋１に該当するスロットで構成される。すなわち、無線フレーム(ｒａｄｉｏ ｆｒａｍｅ)は１０個のサブフレーム(ｓｕｂｆｒａｍｅ)で構成される。１サブフレームを送信するためにかかる時間をＴＴＩ(ｔｒａｎｓｍｉｓｓｉｏｎ ｔｉｍｅ ｉｎｔｅｒｖａｌ)という。ここで、Ｔｓはサンプリング時間を表し、Ｔｓ＝１／(１５ｋＨｚ×２０４８)＝３．２５５２×１０−８(約３３ｎｓ)と表示される。スロットは時間領域において複数のＯＦＤＭシンボル又はＳＣ−ＦＤＭＡシンボルを含み、周波数領域において複数のリソースブロック(Ｒｅｓｏｕｒｃｅ Ｂｌｏｃｋ)を含む。
【００６８】
１スロットは時間領域において複数のＯＦＤＭ(ｏｒｔｈｏｇｏｎａｌ ｆｒｅｑｕｅｎｃｙ ｄｉｖｉｓｉｏｎ ｍｕｌｔｉｐｌｅｘｉｎｇ)シンボルを含む。３ＧＰＰ ＬＴＥは下りリンクにおいてＯＦＤＭＡを用いるので、ＯＦＤＭシンボルは１シンボル区間(ｓｙｍｂｏｌ ｐｅｒｉｏｄ)を表現するためのものである。ＯＦＤＭシンボルは１つのＳＣ−ＦＤＭＡシンボル又はシンボル区間ということができる。リソースブロック(ｒｅｓｏｕｒｃｅ ｂｌｏｃｋ)はリソース割り当て単位であり、１つのスロットで複数の連続した副搬送波(ｓｕｂｃａｒｒｉｅｒ)を含む。
【００６９】
全二重ＦＤＤシステムでは各１０ｍｓ区間において１０個のサブフレームを下りリンク送信と上りリンク送信のために同時に利用することができる。このとき、上りリンクと下りリンク送信は周波数領域において分離される。これに対し、半二重ＦＤＤシステムでは端末が送信と受信を同時に行うことができない。
【００７０】
上述した無線フレームの構造は１つの例示に過ぎず、無線フレームに含まれるサブフレームの数、サブフレームに含まれるスロットの数、又はスロットに含まれるＯＦＤＭシンボルの数は様々に変更されてもよい。
【００７１】
図２(ｂ)にはタイプ２フレーム構造(ｆｒａｍｅ ｓｔｒｕｃｔｕｒｅ ｔｙｐｅ２)を示す。タイプ２フレーム構造はＴＤＤシステムに適用される。１無線フレーム(ｒａｄｉｏ ｆｒａｍｅ)はＴｆ＝３０７２００＊Ｔｓ＝１０ｍｓの長さを有し、１５３６００＊Ｔｓ＝５ｍｓの長さを有する２個のハーフフレーム(ｈａｌｆ−ｆｒａｍｅ)で構成される。各ハーフフレームは３０７２０＊Ｔｓ＝１ｍｓの長さを有する５個のサブフレームで構成される。ｉ番目のサブフレームは２ｉと２ｉ＋１に該当する各Ｔｓｌｏｔ＝１５３６０＊Ｔｓ＝０．５ｍｓの長さを有する２個のスロットで構成される。ここで、Ｔｓはサンプリング時間を表し、Ｔｓ＝１／(１５ｋＨｚ×２０４８)＝３．２５５２×１０−８(約３３ｎｓ)と表示される。
【００７２】
タイプ２フレームにはＤｗＰＴＳ(Ｄｏｗｎｌｉｎｋ Ｐｉｌｏｔ Ｔｉｍｅ Ｓｌｏｔ)、保護区間(ＧＰ：Ｇｕａｒｄ Ｐｅｒｉｏｄ)、ＵｐＰＴＳ(Ｕｐｌｉｎｋ Ｐｉｌｏｔ Ｔｉｍｅ Ｓｌｏｔ)の３つのフィールドで構成される特別サブフレームを含む。ここで、ＤｗＰＴＳは、端末における初期セル探索、同期化又はチャネル推定に用いられる。ＵｐＰＴＳは、基地局におけるチャネル推定と端末との上り伝送同期化に用いられる。保護区間は、上りリンクと下りリンクとの間に下りリンク信号の多重経路遅延によって上りリンクにおいて干渉を除去するための区間である。
【００７３】
次の表１は、特別フレームの構成(ＤｗＰＴＳ／ＧＰ／ＵｐＰＴＳの長さ)を表す。
【００７４】
【表１】
2020504939.tif 000003
【００７５】
またＬＴＥ Ｒｅｌ−１３システムにおいては、特別フレームの構成(ＤｗＰＴＳ／ＧＰ／ＵｐＰＴＳの長さ)が下記の表のようにＸ(追加的なＳＣ−ＦＤＭＡのシンボルの数、上位階層パラメータｓｒｓ−ＵｐＰｔｓＡｄｄにより提供され、パラメータが設定されないと、Ｘは０である)を考慮して設定される構成が新しく追加されており、ＬＴＥ Ｒｅｌ−１４システムにおいては、Ｓｐｅｃｉａｌ ｓｕｂｆｒａｍｅ ｃｏｎｆｉｇｕｒａｔｉｏｎ＃１０が新しく追加されている。ここで、ＵＥは、下りリンクにおける一般ＣＰのためのＳｐｅｃｉａｌ ｓｕｂｆｒａｍｅ ｃｏｎｆｉｇｕｒａｔｉｏｎｓ｛３，４，７，８｝及び下りリンクにおける拡張されたＣＰのためのＳｐｅｃｉａｌ ｓｕｂｆｒａｍｅ ｃｏｎｆｉｇｕｒａｔｉｏｎｓ｛２，３，５，６｝に対して２つの追加ＵｐＰＴＳ ＳＣ−ＦＤＭＡシンボルが設定されることを期待しない。さらに、ＵＥは、下りリンクにおける一般ＣＰのためのＳｐｅｃｉａｌ ｓｕｂｆｒａｍｅ ｃｏｎｆｉｇｕｒａｔｉｏｎｓ｛１，２，３，４，６，７，８｝及び下りリンクにおける拡張されたＣＰのためのＳｐｅｃｉａｌ ｓｕｂｆｒａｍｅ ｃｏｎｆｉｇｕｒａｔｉｏｎｓ｛１，２，３，５，６｝に対して４つの追加ＵｐＰＴＳ ＳＣ−ＦＤＭＡシンボルが設定されることを期待しない。(Ｔｈｅ ＵＥ ｉｓ ｎｏｔ ｅｘｐｅｃｔｅｄ ｔｏ ｂｅ ｃｏｎｆｉｇｕｒｅｄ ｗｉｔｈ ２ ａｄｄｉｔｉｏｎａｌ ＵｐＰＴＳ ＳＣ−ＦＤＭＡ ｓｙｍｂｏｌｓ ｆｏｒ ｓｐｅｃｉａｌ ｓｕｂｆｒａｍｅ ｃｏｎｆｉｇｕｒａｔｉｏｎｓ{３，４，７，８} ｆｏｒ ｎｏｒｍａｌ ｃｙｃｌｉｃ ｐｒｅｆｉｘ ｉｎ ｄｏｗｎｌｉｎｋ ａｎｄ ｓｐｅｃｉａｌ ｓｕｂｆｒａｍｅ ｃｏｎｆｉｇｕｒａｔｉｏｎｓ{２，３，５，６} ｆｏｒ ｅｘｔｅｎｄｅｄ ｃｙｃｌｉｃ ｐｒｅｆｉｘ ｉｎ ｄｏｗｎｌｉｎｋ ａｎｄ ４ ａｄｄｉｔｉｏｎａｌ ＵｐＰＴＳ ＳＣ−ＦＤＭＡ ｓｙｍｂｏｌｓ ｆｏｒ ｓｐｅｃｉａｌ ｓｕｂｆｒａｍｅ ｃｏｎｆｉｇｕｒａｔｉｏｎｓ{１，２，３，４，６，７，８} ｆｏｒ ｎｏｒｍａｌ ｃｙｃｌｉｃ ｐｒｅｆｉｘ ｉｎ ｄｏｗｎｌｉｎｋ ａｎｄ ｓｐｅｃｉａｌ ｓｕｂｆｒａｍｅ ｃｏｎｆｉｇｕｒａｔｉｏｎｓ{１，２，３，５，６} ｆｏｒ ｅｘｔｅｎｄｅｄ ｃｙｃｌｉｃ ｐｒｅｆｉｘ ｉｎ ｄｏｗｎｌｉｎｋ)
【００７６】
【表２】
2020504939.tif 000004
【００７７】
図３は、本発明の実施例で利用可能な下りリンクスロットに対するリソースグリッド(ｒｅｓｏｕｒｃｅ ｇｒｉｄ)を例示する図である。
【００７８】
図３を参照すると、１つの下りリンクスロットは時間領域において複数のＯＦＤＭシンボルを含む。ここで、１つの下りリンクスロットは７個のＯＦＤＭシンボルを含み、１つのリソースブロックは周波数領域において１２個の副搬送波を含むとしているが、これに限定されるものではない。
【００７９】
リソースグリッド上で各要素(ｅｌｅｍｅｎｔ)をリソース要素(ｒｅｓｏｕｒｃｅ ｅｌｅｍｅｎｔ)といい、１つのリソースブロックは１２×７個のリソース要素を含む。下りリンクスロットに含まれるリソースブロックの数ＮＤＬは、下りリンク送信帯域幅(ｂａｎｄｗｉｄｔｈ)に従属する。
【００８０】
図４には、本発明の実施例で利用可能な上りリンクサブフレームの構造を示す。
【００８１】
図４を参照すると、上りリンクサブフレームは、周波数領域において制御領域とデータ領域とに分けることができる。制御領域には、上りリンク制御情報を搬送するＰＵＣＣＨが割り当てられる。データ領域には、ユーザデータを搬送するＰＵＳＣＨが割り当てられる。単一搬送波特性を維持するために１つの端末はＰＵＣＣＨとＰＵＳＣＨを同時に送信しない。１つの端末に対するＰＵＣＣＨにはサブフレーム内にＲＢ対が割り当てられる。ＲＢ対に属するＲＢは２個のスロットのそれぞれにおいて異なる副搬送波を占める。このようなＰＵＣＣＨに割り当てられたＲＢ対は、スロット境界(ｓｌｏｔ ｂｏｕｎｄａｒｙ)で周波数ホッピング(ｆｒｅｑｕｅｎｃｙ ｈｏｐｐｉｎｇ)する、という。
【００８２】
図５は、本発明の実施例で利用可能な下りリンクサブフレームの構造を示す図である。
【００８３】
図５を参照すると、サブフレームにおける一番目のスロットにおいてＯＦＤＭシンボルインデックス０から最大で３個までのＯＦＤＭシンボルが、制御チャネルが割り当てられる制御領域(ｃｏｎｔｒｏｌ ｒｅｇｉｏｎ)であり、残りのＯＦＤＭシンボルは、ＰＤＳＣＨが割り当てられるデータ領域(ｄａｔａ ｒｅｇｉｏｎ)である。３ＧＰＰ ＬＴＥで用いられる下りリンク制御チャネルの例に、ＰＣＦＩＣＨ(Ｐｈｙｓｉｃａｌ Ｃｏｎｔｒｏｌ Ｆｏｒｍａｔ Ｉｎｄｉｃａｔｏｒ Ｃｈａｎｎｅｌ)、ＰＤＣＣＨ、ＰＨＩＣＨ(Ｐｈｙｓｉｃａｌ Ｈｙｂｒｉｄ−ＡＲＱ  Ｉｎｄｉｃａｔｏｒ Ｃｈａｎｎｅｌ)などがある。
【００８４】
ＰＣＦＩＣＨはサブフレームの一番目のＯＦＤＭシンボルで送信され、サブフレームにおいて制御チャネルの送信のために用いられるＯＦＤＭシンボルの数(すなわち、制御領域のサイズ)に関する情報を搬送する。ＰＨＩＣＨは、上りリンクに対する応答チャネルであり、ＨＡＲＱ(Ｈｙｂｒｉｄ Ａｕｔｏｍａｔｉｃ Ｒｅｐｅａｔ Ｒｅｑｕｅｓｔ)に対するＡＣＫ(Ａｃｋｎｏｗｌｅｄｇｅｍｅｎｔ)／ＮＡＣＫ(Ｎｅｇａｔｉｖｅ−Ａｃｋｎｏｗｌｅｄｇｅｍｅｎｔ)信号を搬送する。ＰＤＣＣＨで送信される制御情報を下りリンク制御情報(ＤＣＩ：ｄｏｗｎｌｉｎｋ ｃｏｎｔｒｏｌ ｉｎｆｏｒｍａｔｉｏｎ)という。下りリンク制御情報は、上りリンクリソース割り当て情報、下りリンクリソース割り当て情報、又は任意の端末グループに対する上りリンク送信(Ｔｘ)電力制御命令を含む。
【００８５】
２．新しい無線接続技術(Ｎｅｗ Ｒａｄｉｏ Ａｃｃｅｓｓ Ｔｅｃｈｎｏｌｏｇｙ)システム
【００８６】
多数の通信機器がより大きな通信容量を要求することにより、既存の無線接続技術(ｒａｄｉｏ ａｃｃｅｓｓ ｔｅｃｈｎｏｌｏｇｙ、ＲＡＴ)に比べて向上した端末広帯域(Ｍｏｂｉｌｅ Ｂｒｏａｄｂａｎｄ)通信の必要性が高まっている。また多数の機器及び物事を連結していつでもどこでも多様なサービスを提供する大規模(ｍａｓｓｉｖｅ)ＭＴＣ(Ｍａｃｈｉｎｅ Ｔｙｐｅ Ｃｏｍｍｕｎｉｃａｔｉｏｎｓ)も必要となっている。さらに信頼性及び遅延などに敏感なサービス／ＵＥを考慮した通信システムのデザインが提示されている。
【００８７】
このように向上した端末広帯域通信(Ｅｎｈａｎｃｅｄ ｍｏｂｉｌｅ ｂｒｏａｄｂａｎｄ ｃｏｍｍｕｎｉｃａｔｉｏｎ)、大規模ＭＴＣ、ＵＲＬＬＣ(Ｕｌｔｒａ−Ｒｅｌｉａｌｂｅ ａｎｄ Ｌｏｗ Ｌａｔｅｎｃｙ Ｃｏｍｍｕｎｉｃａｔｉｏｎ)などを考慮した新しい無線接続技術であって、新しい無線接続技術システムが提案されている。以下、本発明では便宜上、該当技術をＮｅｗ ＲＡＴ又はＮＲ(Ｎｅｗ Ｒａｄｉｏ)と称する。
【００８８】
２．１．ニューマロロジー(Ｎｕｍｅｒｉｏｌｏｇｉｅｓ)
【００８９】
本発明が適用可能なＮＲシステムにおいては、以下の表のような様々なＯＦＤＭニューマロロジーが支援されている。この時、搬送波帯域幅部分(ｃａｒｒｉｅｒ ｂａｎｄｗｉｄｔｈ ｐａｒｔ)ごとのμ及び循環前置(ｃｙｃｌｉｃ ｐｒｅｆｉｘ)情報は、下りリンク(ＤＬ)又は上りリンク(ＵＬ)ごとに各々シグナリングされる。一例として、下りリンク搬送波帯域幅部分(ｄｏｗｎｌｉｎｋ ｃａｒｒｉｅｒ ｂａｎｄｗｉｄｔｈ ｐａｒｔ)のためのμ及び循環前置(ｃｙｃｌｉｃ ｐｒｅｆｉｘ)情報は、上位階層シグナリングＤＬ−ＢＷＰ−ｍｕ及びＤＬ−ＭＷＰ−ｃｐを通じてシグナリングされる。他の例として、上りリンク搬送波帯域幅部分(ｕｐｌｉｎｋ ｃａｒｒｉｅｒ ｂａｎｄｗｉｄｔｈ ｐａｒｔ)のためのμ及び循環前置(ｃｙｃｌｉｃ ｐｒｅｆｉｘ)情報は、上位階層シグナリングＵＬ−ＢＷＰ−ｍｕ及びＵＬ−ＭＷＰ−ｃｐを通じてシグナリングされる。
【００９０】
【表３】
2020504939.tif 000005
【００９１】
２．２．フレーム構造
【００９２】
下りリンク及び上りリンクの伝送は１０ｍｓ長さのフレームで構成される。フレームは１ｍｓ長さの１０つのサブフレームで構成される。この時、各々のサブフレームごとに連続するＯＦＤＭのシンボルの数は
2020504939.tif 000006
である。
【００９３】
各々のフレームは２つの同じサイズのハーフフレーム(ｈａｌｆ−ｆｒａｍｅ)で構成される。この時、各々のハーフフレームはサブフレーム０−４及びサブフレーム５−９で構成される。
【００９４】
副搬送波間隔(ｓｕｂｃａｒｒｉｅｒ ｓｐａｃｉｎｇ)μに対して、スロットは１つのサブフレーム内において昇順に
2020504939.tif 000007
のようにナンバリングされ、１つのフレーム内において昇順に
2020504939.tif 000008
のようにナンバリングされる。この時、１つのスロット内に連続するＯＦＤＭのシンボルの数
2020504939.tif 000009
は、循環前置によって以下の表のように決定される。１つのサブフレーム内の開始スロット
2020504939.tif 000010
は、同じサブフレーム内の開始ＯＦＤＭのシンボル
2020504939.tif 000011
と時間の次元で整列されている(ａｌｉｇｎｅｄ)。以下の表４は一般循環前置(ｎｏｒｍａｌ ｃｙｃｌｉｃ ｐｒｅｆｉｘ)のためのスロットごと／フレームごと／サブフレームごとのＯＦＤＭのシンボルの数を示し、表５は拡張された循環前置(ｅｘｔｅｎｄｅｄ ｃｙｃｌｉｃ ｐｒｅｆｉｘ)のためのスロットごと／フレームごと／サブフレームごとのＯＦＤＭのシンボルの数を示す。
【００９５】
【表４】
2020504939.tif 000012
【００９６】
【表５】
2020504939.tif 000013
【００９７】
本発明が適用可能なＮＲシステムにおいては、上記のようなスロット構造であって、セルフスロット構造(Ｓｅｌｆ−Ｃｏｎｔａｉｎｅｄ ｓｕｂｆｒａｍｅ ｓｔｒｕｃｔｕｒｅ)が適用されている。
【００９８】
図６は本発明に適用可能なセルフサブフレーム構造(Ｓｅｌｆ−Ｃｏｎｔａｉｎｅｄ ｓｕｂｆｒａｍｅ ｓｔｒｕｃｔｕｒｅ)を示す図である。
【００９９】
図６において、斜線領域(例えば、ｓｙｍｂｏｌ ｉｎｄｅｘ＝０)は下りリンク制御(ｄｏｗｎｌｉｎｋ ｃｏｎｔｒｏｌ)領域を示し、黒色領域(例えば、ｓｙｍｂｏｌ ｉｎｄｅｘ＝１３)は上りリンク制御(ｕｐｌｉｎｋ ｃｏｎｔｒｏｌ)領域を示す。その他の領域(例えば、ｓｙｍｂｏｌ ｉｎｄｅｘ＝１〜１２)は下りリンクデータ伝送又は上りリンクデータ伝送のために使用される。
【０１００】
このような構造により基地局及びＵＥは１つのスロット内でＤＬ伝送とＵＬ伝送を順次に行うことができ、１つのスロット内でＤＬデータを送受信し、これに対するＵＬ ＡＣＫ／ＮＡＣＫも送受信することができる。結果として、この構造ではデータ伝送エラーの発生時にデータの再伝送までにかかる時間を短縮させることにより、最終データ伝達の遅延を最小化することができる。
【０１０１】
このようなセルフスロット構造においては、基地局とＵＥが送信モードから受信モードに、又は受信モードから送信モードに転換するために一定の時間長さのタイムギャップ(ｔｉｍｅ ｇａｐ)が必要である。このために、セルフスロット構造においてＤＬからＵＬに転換される時点の一部ＯＦＤＭシンボルは、ガード区間(ｇｕａｒｄ ｐｅｒｉｏｄ、ＧＰ)として設定されることができる。
【０１０２】
以上ではセルフスロット構造がＤＬ制御領域及びＵＬ制御領域を全て含む場合を説明したが、制御領域はセルフスロット構造に選択的に含まれることができる。即ち、本発明によるセルフスロット構造は、図６に示したように、ＤＬ制御領域及びＵＬ制御領域を全て含む場合だけではなく、ＤＬ制御領域又はＵＬ制御領域のみを含む場合もある。
【０１０３】
一例として、スロットは様々なスロットフォーマットを有することができる。この時、各々のスロットのＯＦＤＭシンボルは下りリンク(Ｄ’と表す)、フレキシブル(Ｘ’と表す)及び上りリンク(Ｕ’と表す)に分類される。
【０１０４】
従って、下りリンクスロットにおいてＵＥは下りリンク伝送がＤ’及びＸ’シンボルでのみ発生すると仮定できる。同様に、上りリンクスロットにおいてＵＥは上りリンク伝送がＵ’及びＸ’シンボルでのみ発生すると仮定できる。
【０１０５】
２．３．アナログビーム形成(Ａｎａｌｏｇ Ｂｅａｍｆｏｒｍｉｎｇ)
【０１０６】
ミリ波(Ｍｉｌｌｉｍｅｔｅｒ Ｗａｖｅ、ｍｍＷ)では波長が短いので、同一面積に多数のアンテナ要素(ｅｌｅｍｅｎｔ)の設置が可能である。即ち、３０ＧＨｚ帯域において波長は１ｃｍであるので、５＊５ｃｍのパネルに０．５ｌａｍｂｄａ(波長)間隔で２次元(２−ｄｉｍｅｎｓｉｏｎ)配列する場合、総１００個のアンテナ要素を設けることができる。これにより、ミリ波(ｍｍＷ)では多数のアンテナ要素を使用してビーム形成(ｂｅａｍｆｏｒｍｉｎｇ、ＢＦ)利得を上げてカバレッジを増加させるか、或いはスループット(ｔｈｒｏｕｇｈｐｕｔ)を向上させることができる。
【０１０７】
この時、アンテナ要素ごとに伝送パワー及び位相の調節ができるように、各々のアンテナ要素はＴＸＲＵ(ｔｒａｎｓｃｅｉｖｅｒ)を含む。これにより、各々のアンテナ要素は周波数リソースごとに独立的なビーム形成を行うことができる。
【０１０８】
しかし、１００余個の全てのアンテナ要素にＴＸＲＵを設けることは費用面で実効性が乏しい。従って、１つのＴＸＲＵに多数のアンテナ要素をマッピングし、アナログ位相シフター(ａｎａｌｏｇ ｐｈａｓｅ ｓｈｉｆｔｅｒ)でビーム方向を調節する方式が考えられている。かかるアナログビーム形成方式では全帯域において１つのビーム方向のみを形成できるので、周波数選択的なビーム形成が難しいという短所がある。
【０１０９】
これを解決するために、デジタルビーム形成及びアナログビーム形成の中間形態として、Ｑ個のアンテナ要素より少ない数のＢ個のＴＸＲＵを有するハイブリッドビーム形成(ｈｙｂｒｉｄ ＢＦ)が考えられる。この場合、Ｂ個のＴＸＲＵとＱ個のアンテナ要素の連結方式によって差はあるが、同時に伝送可能なビームの方向はＢ個以下に制限される。
【０１１０】
図７及び図８は、ＴＸＲＵとアンテナ要素(ｅｌｅｍｅｎｔ)の代表的な連結方式を示す図である。ここで、ＴＸＲＵ仮想化(ｖｉｒｔｕａｌｉｚａｔｉｏｎ)モデルは、ＴＸＲＵの出力信号とアンテナ要素の出力信号との関係を示す。
【０１１１】
図７はＴＸＲＵがサブアレイ(ｓｕｂ−ａｒｒａｙ)に連結された方式を示している。図７の場合、アンテナ要素は１つのＴＸＲＵのみに連結される。
【０１１２】
反面、図８はＴＸＲＵが全てのアンテナ要素に連結された方式を示している。図８の場合、アンテナ要素は全てのＴＸＲＵに連結される。この時、アンテナ要素が全てのＴＸＲＵに連結されるためには、図８に示したように、別の加算器が必要である。
【０１１３】
図７及び図８において、Ｗはアナログ位相シフター(ａｎａｌｏｇ ｐｈａｓｅ ｓｈｉｆｔｅｒ)により乗じられる位相ベクトルを示す。即ち、Ｗはアナログビーム形成の方向を決定する主要パラメータである。ここで、ＣＳＩ−ＲＳアンテナポートと複数のＴＸＲＵとのマッピングは１：１又は１：多である。
【０１１４】
図７の構成によれば、ビーム形成のフォーカシングが難しいという短所があるが、全てのアンテナ構成を低価で構成できるという長所がある。
【０１１５】
図８の構成によれば、ビーム形成のフォーカシングが容易であるという長所がある。但し、全てのアンテナ要素にＴＸＲＵが連結されるので、全体費用が増加するという短所がある。
【０１１６】
本発明が適用可能なＮＲシステムにおいて、複数のアンテナが使用される場合、デジタルビーム形成(Ｄｉｇｉｔａｌ ｂｅａｍｆｏｒｍｉｎｇ)及びアナログビーム形成を結合したハイブリッドビーム形成(ｈｙｂｒｉｄ ｂｅａｍｆｏｒｍｉｎｇ)方式が適用される。この時、アナログビーム形成(又はＲＦ(ｒａｄｉｏ ｆｒｅｑｕｅｎｃｙ)ビーム形成)は、ＲＦ端でプリコーディング(又は組み合わせ(ｃｏｍｂｉｎｉｎｇ))を行う動作を意味する。またハイブリッドビーム形成において、ベースバンド(ｂａｓｅｂａｎｄ)端とＲＦ端は各々プリコーティング(又は組み合わせ)を行う。これによりＲＦチェーンの数とＤ／Ａ(Ｄｉｇｉｔａｌ ｔｏ ａｎａｌｏｇ)(又はＡ／Ｄ(ａｎａｌｏｇ ｔｏ ｄｉｇｉｔａｌ))コンバーターの数を減らしながらデジタルビーム形成に近接する性能を得られるという長所がある。
【０１１７】
説明の便宜上、ハイブリッドビーム形成の構造は、Ｎ個の送受信端(ｔｒａｎｓｃｅｉｖｅｒ ｕｎｉｔ、ＴＸＲＵ)とＭ個の物理的アンテナで表すことができる。この時、送信端から伝送するＬ個のデータ階層(ｄｉｇｉｔａｌ ｌａｙｅｒ)に対するデジタルビーム形成は、Ｎ＊Ｌ(Ｌ ｂｙ Ｌ)行列で表される。その後、変換されたＮ個のデジタル信号はＴＸＲＵを介してアナログ信号に変換され、変換された信号に対してＭ＊Ｎ(Ｍ ｂｙ Ｎ)行列で表されるアナログビーム形成が適用される。
【０１１８】
図９は、本発明の一例によるＴＸＲＵ及び物理的アンテナ観点におけるハイブリッドビーム形成の構造を簡単に示す図である。この時、図９においてデジタルビームの数はＬ個であり、アナログビームの数はＮ個である。
【０１１９】
さらに、本発明が適用可能なＮＲシステムにおいては、基地局がアナログビーム形成をシンボル単位で変更できるように設計して、所定の地域に位置した端末に効率的なビーム形成を支援する方法が考えられる。さらに、図９に示したように、所定のＮ個のＴＸＲＵとＭ個のＲＦアンテナを１つのアンテナパネルに定義した時、本発明によるＮＲシステムにおいては、互いに独立したハイブリッドビーム形成が適用可能な複数のアンテナパネルを導入する方案も考えられる。
【０１２０】
以上のように基地局が複数のアナログビームを活用する場合、端末ごとに信号の受信に有利するアナログビームが異なる。よって本発明が適用可能なＮＲシステムにおいては、基地局が所定のサブフレーム(ＳＦ)内でシンボルごとに異なるアナログビームを適用して(少なくとも同期信号、システム情報、ページング(ｐａｇｉｎｇ)など)信号を伝送することにより、全ての端末が受信機会を得るようにするビーム掃引(ｂｅａｍ ｓｗｅｅｐｉｎｇ)動作が考えられている。
【０１２１】
図１０は本発明の一例による下りリンク(Ｄｏｗｎｌｉｎｋ、ＤＬ)伝送過程のおいて、同期信号(Ｓｙｎｃｈｒｏｎｉｚａｔｉｏｎ ｓｉｇｎａｌ)とシステム情報(Ｓｙｓｔｅｍ ｉｎｆｏｒｍａｔｉｏｎ)に対するビーム掃引(Ｂｅａｍ ｓｗｅｅｐｉｎｇ)動作を簡単に示す図である。
【０１２２】
図１０において、本発明が適用可能なＮＲシステムのシステム情報がブロードキャスティング(Ｂｒｏａｄｃａｓｔｉｎｇ)方式で伝送される物理的リソース(又は物理チャネル)を、ｘＰＢＣＨ(ｐｈｙｓｉｃａｌ ｂｒｏａｄｃａｓｔ ｃｈａｎｎｅｌ)と称する。この時、１つのシンボル内で互いに異なるアンテナパネルに属する複数のアナログビームは同時に伝送可能である。
【０１２３】
また図１０に示したように、本発明が適用可能なＮＲシステムにおいて、アナログビームごとのチャネルを測定するための構成であって、(所定のアンテナパネルに対応する)単一のアナログビームが適用されて伝送される参照信号(Ｒｅｆｅｒｅｎｃｅ ｓｉｇｎａｌ、ＲＳ)であるビーム参照信号(Ｂｅａｍ ＲＳ、ＢＲＳ)の導入が論議されている。ＢＲＳは複数のアンテナポットに対して定義され、ＢＲＳの各々のアンテナポットは単一のアナログビームに対応する。この時、ＢＲＳとは異なり、同期信号又はｘＰＢＣＨは、任意の端末がよく受信するようにアナログビームのグループ内の全てのアナログビームが適用されて伝送される。
【０１２４】
２．４．帯域幅パート(Ｂａｎｄｗｉｄｔｈ ｐａｒｔ、ＢＷＰ)
【０１２５】
本発明が適用可能なＮＲシステムにおいて、１つの要素搬送波(ｃｏｍｐｏｎｅｎｔ ｃａｒｒｉｅｒ、ＣＣ)当たり最大４００ＭＨｚまでの帯域幅を支援できる。
【０１２６】
特定のＵＥがかかる広帯域(ｗｉｄｅｂａｎｄ)ＣＣで動作し、常にＣＣ全体に対するＲＦモジュールをオンにしたまま動作する場合、特定のＵＥのＵＥバッテリー消耗が激しくなる。 
【０１２７】
また本発明が適用可能なＮＲシステムにおいて、１つの広帯域ＣＣ内で様々な使用例(例:ｅＭＢＢ(ｅｎｈａｎｃｅｄ Ｍｏｂｉｌｅ ＢｒｏａｄＢａｎｄ)、ＵＲＬＬＣ(Ｕｌｔｒａ Ｒｅｌｉａｂｉｌｉｔｙ Ｌｏｗ Ｌａｔｅｎｃｙ Ｃｏｍｍｕｎｉｃａｔｉｏｎ)、ｍＭＴＣ(ｍａｓｓｔｉｖｅ Ｍａｃｈｉｎｅ ｔｙｐｅ Ｃｏｍｍｕｎｉｃａｔｉｏｎ)など)を支援可能な場合、ＮＲシステムでは該当ＣＣ内に周波数帯域ごとに互いに異なるニューマロロジー(例:副搬送波間隔)を支援することができる。
【０１２８】
又は本発明が適用可能なＮＲシステムで動作するＵＥはＵＥごとに最大の帯域幅に対して異なる能力(ｃａｐａｂｉｌｉｔｙ)を有する。
【０１２９】
このように様々な事項を考慮する時、ＮＲシステムの基地局はＵＥに広帯域ＣＣの全体帯域幅ではない一部の帯域幅内における動作を指示することができる。以下の説明において、一部の帯域幅を説明の便宜上、帯域幅部分(ｂａｎｄｗｉｄｔｈ ｐａｒｔ、ＢＷＰ)という。ここで、ＢＷＰは周波数軸上で連続するリソースブロック(ｒｅｓｏｕｒｃｅ ｂｌｏｃｋ、ＲＢ)で構成され、１つのニューマロロジー(例:副搬送波間隔、ＣＰ(Ｃｙｃｌｉｃ Ｐｒｅｆｉｘ)長さ、スロット／ミニスロット長さなど)に対応できる。
【０１３０】
一方、基地局はＵＥに設定された１つのＣＣ内の多数のＢＷＰを設定することができる。
【０１３１】
一例として、基地局はＰＤＣＣＨモニタリングスロット(ｍｏｎｉｔｏｒｉｎｇ Ｓｌｏｔ)に対して相対的に小さい周波数領域を占める第１ＢＷＰを設定できる。この時、ＰＤＣＣＨが指示するＰＤＳＣＨは第１ＢＷＰより大きい第２ＢＷＰ上にスケジューリングされることができる。
【０１３２】
また特定のＢＷＰに多数のＵＥが密集する場合、基地局は負荷バランシング(ｌｏａｄ ｂａｌａｎｃｉｎｇ)のために一部のＵＥに対して他のＢＷＰを設定することができる。
【０１３３】
又は隣接するセルの間の周波数次元のセル間干渉除去(ｆｒｅｑｕｅｎｃｙ ｄｏｍａｉｎ ｉｎｔｅｒ−ｃｅｌｌ ｉｎｔｅｒｆｅｒｅｎｃｅ ｃａｎｃｅｌｌａｔｉｏｎ)などを考慮して、基地局は全体帯域幅のうち、真ん中の一部スペクトラムを除いた両側のＢＷＰを同一のスロット内で設定することができる。
【０１３４】
これにより、基地局は広帯域ＣＣに関連するＵＥに少なくとも１つのＤＬ／ＵＬ ＢＷＰを設定でき、基地局は特定の時点に設定されたＤＬ／ＵＬ ＢＷＰのうち、少なくとも１つのＤＬ／ＵＬ ＢＷＰを(第１階層シグナリング(Ｌ１ ｓｉｇｎａｌｉｎｇ)又はＭＡＣ(Ｍｅｄｉｕｍ Ａｃｃｅｓｓ Ｃｏｎｔｒｏｌ)ＣＥ(Ｃｏｎｔｒｏｌ Ｅｌｅｍｅｎｔ)又はＲＲＣ(ｒａｄｉｏ Ｒｅｓｏｕｒｃｅ Ｃｏｎｔｒｏｌ)シグナリングなどにより)活性化することができる。この時、活性化されたＤＬ／ＵＬ ＢＷＰはアクティブ(ａｃｔｉｖｅ)ＤＬ／ＵＬ ＢＷＰと定義する。
【０１３５】
またＵＥが初期接続(ｉｎｉｔｉａｌ Ａｃｃｅｓｓ)過程にあるか、又はＲＲＣ連結が設定される前などの状況である場合、ＵＥは基地局からＤＬ／ＵＬ ＢＷＰに対する設定を受信できないこともできる。かかる状況でＵＥはデフォルト(ｄｅｆａｕｌｔ)ＤＬ／ＵＬ ＢＷＰを仮定することができる。このような状況でＵＥが仮定するＤＬ／ＵＬ ＢＷＰを初期アクティブ(ｉｎｉｔｉａｌ ａｃｔｉｖｅ)ＤＬ／ＵＬ ＢＷＰと定義する。
【０１３６】
２.５.ＤＣＩ ｆｏｒｍａｔ ｉｎ ＮＲ ｓｙｓｔｅｍ
【０１３７】
本発明が適用可能なＮＲシステムでは、以下のようなＤＣＩフォーマットを支援することができる。まずＮＲシステムではＰＵＳＣＨスケジューリングのためのＤＣＩフォーマットとしてＤＣＩ ｆｏｒｍａｔ ０_０、ＤＣＩ ｆｏｒｍａｔ ０_１を支援し、ＰＤＳＣＨスケジューリングのためのＤＣＩフォーマットとしてＤＣＩ ｆｏｒｍａｔ １_０、ＤＣＩ ｆｏｒｍａｔ １_１を支援することができる。また、それ以外の目的で活用できるＤＣＩフォーマットとして、ＮＲシステムではさらにＤＣＩ ｆｏｒｍａｔ ２_０、ＤＣＩ ｆｏｒｍａｔ ２_１、ＤＣＩ ｆｏｒｍａｔ ２_２、ＤＣＩ ｆｏｒｍａｔ ２_３を支援できる。
【０１３８】
ここで、ＤＣＩ ｆｏｒｍａｔ ０_０はＴＢ(ｔｒａｎｓｍｉｓｓｉｏｎ Ｂｌｏｃｋ)基盤(又はＴＢ−ｌｅｖｅｌ)のＰＵＳＣＨをスケジューリングするために使用され、ＤＣＩ ｆｏｒｍａｔ ０_１はＴＢ(ｔｒａｎｓｍｉｓｓｉｏｎ Ｂｌｏｃｋ)基盤の(又はＴＢ−ｌｅｖｅｌ)ＰＵＳＣＨ又は(ＣＢＧ(Ｃｏｄｅ Ｂｌｏｃｋ Ｇｒｏｕｐ)基盤の信号送受信が設定された場合)ＣＢＧ基盤(又はＣＢＧ−ｌｅｖｅｌ)のＰＵＳＣＨをスケジューリングするために使用される。
【０１３９】
またＤＣＩ ｆｏｒｍａｔ １_０はＴＢ基盤(又はＴＢ−ｌｅｖｅｌ)のＰＤＳＣＨをスケジューリングするために使用され、ＤＣＩ ｆｏｒｍａｔ １_１はＴＢ基盤(又はＴＢ−ｌｅｖｅｌ)のＰＤＳＣＨ又は(ＣＢＧ基盤の信号送受信が設定された場合)ＣＢＧ基盤(又はＣＢＧ−ｌｅｖｅｌ)のＰＤＳＣＨをスケジューリングするために使用される。
【０１４０】
またＤＣＩ ｆｏｒｍａｔ ２_０はスロットフォーマットを知らせるために使用され(ｕｓｅｄ ｆｏｒ ｎｏｔｉｆｙｉｎｇ ｔｈｅ Ｓｌｏｔ ｆｏｒｍａｔ)、ＤＣＩ ｆｏｒｍａｔ ２_１は特定のＵＥが意図した信号送信がないことを仮定するＰＲＢ及びＯＦＤＭシンボルを知らせるために使用され(ｕｓｅｄ ｆｏｒ ｎｏｔｉｆｙｉｎｇ ｔｈｅ ＰＲＢ(ｓ) ａｎｄ ＯＦＤＭ ｓｙｍｂｏｌ(ｓ) Ｗｈｅｒｅ ＵＥ ｍａｙ ａｓｓｕｍｅ ｎｏ ｔｒａｎｓｍｉｓｓｉｏｎ ｉｓ ｉｎｔｅｎｄｅｄ ｆｏｒ ｔｈｅ ＵＥ)、ＤＣＩ ｆｏｒｍａｔ ２_２はＰＵＣＣＨ及びＰＵＳＣＨのＴＰＣ(ｔｒａｎｓｍｉｓｓｉｏｎ Ｐｏｗｅｒ Ｃｏｎｔｒｏｌ)命令の送信のために使用され、ＤＣＩ ｆｏｒｍａｔ ２_３は１つ以上のＵＥによるＳＲＳ送信のためのＴＰＣ命令グループの送信のために使用される(ｕｓｅｄ ｆｏｒ ｔｈｅ ｔｒａｎｓｍｉｓｓｉｏｎ ｏｆ ａ ｇｒｏｕｐ ｏｆ ＴＰＣ ｃｏｍｍａｎｄｓ ｆｏｒ ＳＲＳ ｔｒａｎｓｍｉｓｓｉｏｎｓ ｂｙ ｏｎｅ ｏｒ ｍｏｒｅ ＵＥｓ)。
【０１４１】
このＤＣＩフォーマットに関する具体的な特徴は、３ＧＰＰ ＴＳ ３８．２１２文書により裏付けられる。即ち、ＤＣＩフォーマット関連特徴のうち、説明していない自明な段階又は部分は上記文書を参照して説明できる。また、この文書で開示している全ての用語は上記標準文書により説明できる。
【０１４２】
３.提案する実施例
【０１４３】
以下、上記のような技術的思想に基づいて本発明で提案する構成についてより詳しく説明する。
【０１４４】
具体的には、本発明では本発明が適用可能なＮＲシステムにおいてＨＡＲＱ−ＡＣＫの送受信方法について詳しく説明する。
【０１４５】
ＬＴＥシステムの場合、ＤＬデータのサイズ(即ち、ＴＢ(ｔｒａｎｓｍｉｓｓｉｏｎ Ｂｌｏｃｋ)サイズ)が一定水準以上になると、ＰＤＳＣＨを介して送信されるビットストリームは複数のＣＢ(Ｃｏｄｅ Ｂｌｏｃｋ)に分割される。その後、各ＣＢは各ＣＢごとにチャネルコーディングが適用され、ＣＲＣが個々に印加されてＰＤＳＣＨを介して送信される。
【０１４６】
よって、ＵＥが１つのＰＤＳＣＨに含まれた複数のＣＢのうちの１つでも受信に失敗した場合は、ＵＥは該当ＰＤＳＣＨに対応するＨＡＲＱ−ＡＣＫフィードバックをＮＡＣＫと基地局に報告する。これに対応して、基地局は全てのＣＢをＵＥに再送信する。
【０１４７】
言い換えれば、ＬＴＥシステムにおいてＤＬデータに対するＨＡＲＱ動作は基地局によるＴＢ単位のスケジューリング／送信及びこれに対応するＵＥのＴＢ単位のＨＡＲＱ−ＡＣＫフィードバック構成に基づいて行われる。
【０１４８】
反面、本発明が適用可能なＮＲシステムでは、基本的にＬＴＥシステムに比べて大きいシステム(ｗｉｄｅｒ ｃａｒｒｉｅｒ)ＢＷを有することができる。これにより、ＮＲシステムで支援する(最大)ＴＢサイズは、従来のＬＴＥシステムで支援するＴＢサイズより大きくなり、これにより１つのＴＢを構成するＣＢ数もＬＴＥシステムよりは多くなる。
【０１４９】
従ってこのような特徴を有するＮＲシステムにおいて、ＬＴＥシステムのようにＴＢ単位のＨＡＲＱ−ＡＣＫフィードバックが適用される場合、一部のＣＢに対してデコーディングエラー(ｄｅｃｏｄｉｎｇ ｅｒｒｏｒ、即ち、ＮＡＣＫ)が発生した場合にも、ＴＢ単位の再伝送スケジューリングが伴わなければならず、これによりリソース使用の効率性が低下することができる。
【０１５０】
また本発明が適用可能なＮＲシステムでは、大きい時間区間(例：ＴＴＩ(ｔｒａｎｓｍｉｓｓｉｏｎ Ｔｉｍｅ Ｉｎｔｅｒｖａｌ))を有し、遅延に敏感でない(ｄｅｌａｙ−ｉｎｓｅｎｓｉｔｉｖｅ)第１タイプデータ(例：ｅＭＢＢ)の送信に割り当てられたリソースの一部(シンボル)により、小さい時間区間を有し、遅延に敏感な(ｄｅｌａｙ−ｓｅｎｓｉｔｉｖｅ)第２タイプデータ(例：ＵＲＬＬＣ)が該当第１タイプデータをパンクチャリングする形態で送信される動作が支援される。よって上記のような場合を含めて時間選択的な(ｔｉｍｅ−ｓｅｌｅｃｔｉｖｅ)特性を有する干渉信号の影響によって、第１タイプデータに対して１つのＴＢを構成する複数のＣＢのうちの特定一部のみにデコーディングエラーが集中する現像が発生することができる。
【０１５１】
従って、本発明では上記のような特性を有するＮＲシステムの動作上の特性を考慮して、基地局及びＵＥがＣＢ又はＣＢグループ(ＣＢＧ)単位で(再伝送)スケジューリングを行い、ＣＢ／ＣＢＧ単位でＨＡＲＱ−ＡＣＫフィードバックを構成／送信する方法について詳しく説明する。
【０１５２】
一例として、１つのＤＬデータから対応するＨＡＲＱ−ＡＣＫ送信時点が所定のセットの一部値のうちの１つに決定され、１つの値はＤＬ割り当て(ＤＬ ａｓｓｉｇｎｍｅｎｔ)により動的に指示されると仮定する。この場合、特定のスロット内に送信されるＨＡＲＱ−ＡＣＫ情報は１つ以上のスロットで送信されるＤＬデータに対応することができる。
【０１５３】
図１１は本発明の一例によって１つのスロットで送信されるＤＬデータが４つのＨＡＲＱタイミングに対応できる場合を簡単に示す図である。
【０１５４】
図１１に示したように、予め上位階層シグナリングにより４つのＨＡＲＱタイミングが設定される場合、Ｓｌｏｔ♯Ｔで送信されるＤＬデータに対応するＨＡＲＱ−ＡＣＫの送信時点はＳｌｏｔ♯Ｔ＋６、Ｓｌｏｔ♯Ｔ＋７、Ｓｌｏｔ♯Ｔ＋８、Ｓｌｏｔ♯Ｔ＋９のうちの１つに動的に指示される(ｄｙｎａｍｉｃ Ｉｎｄｉｃａｔｉｏｎ)。これにより、１つのスロット内で複数のＤＬデータに対応するＨＡＲＱ−ＡＣＫが送信される。一例として、Ｓｌｏｔ♯Ｔ＋９でＳｌｏｔ♯Ｔ及び／又はＳｌｏｔ♯Ｔ＋１及び／又はＳｌｏｔ♯Ｔ＋２及び／又はＳｌｏｔ♯Ｔ＋３のＤＬデータに対応するＨＡＲＱ−ＡＣＫ情報が送信されることができる。以下、上記のような場合のＨＡＲＱ−ＡＣＫの送受信方法について詳しく説明する。
【０１５５】
図１２は本発明の他の例によって搬送波結合(ｃａｒｒｉｅｒ ａｇｇｒｅｇａｔｉｏｎ、ＣＡ)システムにおいて１つ以上のＣＣ上のＨＡＲＱ−ＡＣＫ情報が特定のＣＣ内の特定のスロットで送信される場合を簡単に示す図である。以下、図１２に示したような場合のＨＡＲＱ−ＡＣＫの送受信方法について詳しく説明する。
【０１５６】
図１３及び図１４はＣＣの間のニューマロロジー又はＴＴＩが異なる場合のＨＡＲＱ−ＡＣＫの送受信方法を簡単に示す図である。以下、図１３及び図１４のようにＣＣの間のニューマロロジー(例：副搬送波間隔)又はＴＴＩ(ｔｒａｎｓｍｉｔ ｔｉｍｅ ｉｎｔｅｒｖａｌ)などが異なる場合のＨＡＲＱ−ＡＣＫの送受信方法について詳しく説明する。
【０１５７】
この時、図１３はＣＣ♯１で受信したＤＬデータのＴＴＩ又はスロット長さがＣＣ♯２に比べて相対的に短い場合、ＣＣ♯１より長いＴＴＩ又は長いスロット長さが支援されるＣＣ♯２上にＨＡＲＱ−ＡＣＫが送信される場合を示す。図１３とは逆に、図１４はＣＣ♯２で受信したＤＬデータのＴＴＩ又はスロット長さがＣＣ♯１に比べて相対的に長い場合、ＣＣ♯２より短いスロット長さが支援されるＣＣ♯１上にＨＡＲＱ−ＡＣＫが送信される場合を示す。
【０１５８】
さらにＨＡＲＱ−ＡＣＫコードブックを構成するにおいて、ＬＴＥシステムでは、コードブックのサイズが上位階層シグナリング(例：ＲＲＣシグナリング)により予め設定され、実際スケジューリングされたＣＣ(及びサブフレームインデックス)とは関係なく設定されたＣＣ数を基準として常にコードブックサイズを固定させる準−静的コードブック(準−静的なコードブック)方法と、ＨＡＲＱ−ＡＣＫ送信の効率性を増大させるために実際スケジューリングされたＣＣ(及びサブフレームインデックス)に対してのみＨＡＲＱ−ＡＣＫ送信を指示してコードブックサイズを適応的に変化させる動的なコードブック(ｄｙｎａｍｉｃ ｃｏｄｅｂｏｏｋ)方法を支援する。この時、動的なコードブック方法によれば、基地局はＤＬデータをスケジューリングするＤＬ割り当て内のＤＡＩ(ｄｏｗｎｌｉｎｋ ａｓｓｉｇｎｍｅｎｔ ｉｎｄｉｃａｔｏｒ)値をシグナリングすることにより、現在スケジューリングされるＤＬデータが何番目のＤＬデータであり(即ち、ｃｏｕｎｔｅｒ−ＤＡＩ、便宜上、Ｃ−ＤＡＩという)、送信されるＨＡＲＱ−ＡＣＫペイロードの総サイズがどのくらいであるか(即ち、ｔｏｔａｌ−ＤＡＩ、便宜上Ｔ−ＤＡＩという)を知らせることができる。これにより、ＵＥがＤＣＩ(Ｄｏｗｎｌｉｎｋ Ｃｏｎｔｒｏｌ Ｉｎｆｏｒｍａｔｉｏｎ)を紛失(ｍｉｓｓｉｎｇ)することにより発生する基地局とＵＥの間のＨＡＲＱ−ＡＣＫペイロード認知の不一致を減らすことができる。この時、準−静的なコードブック方法又は動的なコードブック方法のうち、どのコードブック方法を使用するかは、上位階層シグナリング(例：ＲＲＣシグナリング)により予め設定できる。
【０１５９】
以下、本発明では上述した様々な場合(例：単一ＣＣ又はＴＴＩ／スロットの長さが同一である複数ＣＣ又はＴＴＩ／スロットの長さが異なる複数のＣＣの場合など)におけるＨＡＲＱ−ＡＣＫの送受信方法について詳しく説明する。
【０１６０】
この時、説明の便宜上、本発明で提案するＨＡＲＱ−ＡＣＫの送受信方法を準−静的なコードブック又は動的なコードブックに区分して説明するが、これは説明の便宜のためにものであり、本発明で提案する構成が特定のコードブック方法を使用する場合に限定されることではない。即ち、本発明で提案する構成が第１コードブック方法に関するセクションに記述されていても、上記構成が第２コードブック方法に拡張適用できるものであれば、該当構成は第２コードブック方法が適用される実施例で解釈できる。
【０１６１】
以下、上記のような前提に基づいて本発明で提案する技術構成について詳しく説明する。
【０１６２】
３.１.ＣＢＧ送信が設定された単一ＣＣの場合(例：図１１)
【０１６３】
３.１.１.準−静的なコードブック
【０１６４】
３.１.１.１.ＨＡＲＱ−ＡＣＫ ｍｕｌｔｉｐｌｅｘｉｎｇ ｐｅｒ ＴＢ(又はスロット)
【０１６５】
ＵＥはＴＢ(又はスロット)ごとに互いに異なるＰＵＣＣＨを介してＨＡＲＱ−ＡＣＫを送信することができる。この時、ＰＵＣＣＨごとのＨＡＲＱ−ＡＣＫペイロードサイズは該当ＴＢに設定されたＣＢＧ数全体又は(再)送信されたＣＢＧ数に対応する。また、異なるＰＵＣＣＨとは、互いに異なるスロット上に送信されるＰＵＣＣＨ又は同じスロット内で互いに異なるＰＵＣＣＨリソース(例：同じスロット内における互いに異なる時間／周波数コード次元(ｔｉｍｅ／ｆｒｅｑｕｅｎｃｙ／ｃｏｄｅ ｄｏｍａｉｎ)のリソース領域上のＰＵＣＣＨ)を介して送信されることを意味する。一例として、同じスロット内における互いに異なるＰＵＣＣＨリソース送信とは、互いに異なるシンボルで送信される複数の１−シンボルＰＵＣＣＨ又は互いに異なるシンボルに送信される複数の２−シンボルＰＵＣＣＨを意味する。
【０１６６】
３.１.１.２.ＨＡＲＱ−ＡＣＫ ｍｕｌｔｉｐｌｅｘｉｎｇ ｐｅｒ ｂｕｎｄｌｉｎｇ ｗｉｎｄｏｗ(ＢＷ)(又はＢＷの一部サブセット)
【０１６７】
説明の便宜上、以下では同一の１つのＨＡＲＱ−ＡＣＫタイミングにリンクされたＮ個の複数のスロットが存在する場合、Ｎ個のスロットをｂｕｎｄｌｉｎｇ ｗｉｎｄｏｗ(ＢＷ)と定義する。
【０１６８】
この場合、ＵＥはＢＷ(又はＢＷの一部サブセット)ごとに互いに異なるＰＵＣＣＨを介してＨＡＲＱ−ＡＣＫを送信することができる。この時、ＰＵＣＣＨごとのＨＡＲＱ−ＡＣＫペイロードサイズは、該当ＢＷ(又はＢＷの一部サブセット)に含まれたスロット(又はＴＢ)数と、該当ＴＢに設定されたＣＢＧ数を乗じた値に対応する。また、異なるＰＵＣＣＨとは、互いに異なるスロット上に送信されるＰＵＣＣＨ又は同じスロット内で互いに異なるＰＵＣＣＨリソース(例：同じスロット内の互いに異なる時間／周波数コード次元(ｔｉｍｅ／ｆｒｅｑｕｅｎｃｙ／ｃｏｄｅ ｄｏｍａｉｎ)のリソース領域上のＰＵＣＣＨ)を介して送信されることを意味する。一例として、同じスロット内の互いに異なるＰＵＣＣＨリソース送信とは、互いに異なるシンボルで送信される複数の１−シンボルＰＵＣＣＨ又は互いに異なるシンボルに送信される複数の２−シンボルＰＵＣＣＨを意味する。
【０１６９】
図１５は本発明によって１つのＢＷ内のスロットのうち、一部のスロットがＵＬ用途に活用される一例を示す図である。
【０１７０】
ＢＷの一部サブセットのみを活用してＨＡＲＱ−ＡＣＫを送信する方法によれば、ＰＵＣＣＨごとにＨＡＲＱ−ＡＣＫペイロードが分散することができる。一例として、図１５に示したように、ＢＷ内の一部スロットがＵＬ用途に活用されることができる。
【０１７１】
具体的な例として、基地局がＨＡＲＱ−ＡＣＫがＤＬ割り当てにより送信されるスロットのタイミングとして＋６／＋７／＋８／＋９のうちの１つの値を指示する場合、Ｓｌｏｔ♯Ｔ＋９に対応するＢＷは、Ｓｌｏｔ♯Ｔ／Ｔ＋１／Ｔ＋２／Ｔ＋３の４スロットである。この時、ＢＷが２つに分かれてＳｌｏｔ♯Ｔ及びＳｌｏｔ♯Ｔ＋１に対応するＨＡＲＱ−ＡＣＫのみがＳｌｏｔ♯Ｔ＋９で送信され、Ｓｌｏｔ♯Ｔ＋２及びＳｌｏｔ♯Ｔ＋３がＵＬ用途に活用される場合、Ｓｌｏｔ♯Ｔ＋９で送信されるＨＡＲＱ−ＡＣＫペイロードサイズは減少することができる。このような設定は基地局により行われる。
【０１７２】
図１１においてＢＷ(又はＢＷの一部サブセット)ごとに互いに異なるＰＵＣＣＨでＨＡＲＱ−ＡＣＫが送信される場合、Ｓｌｏｔ♯Ｔ＋９に対応するＢＷはＳｌｏｔ♯Ｔ〜Ｓｌｏｔ♯Ｔ＋３であり、Ｓｌｏｔ♯Ｔ＋１０に対応するＢＷはＳｌｏｔ♯Ｔ＋１〜Ｓｌｏｔ♯Ｔ＋４である。この時、Ｓｌｏｔ♯Ｔ＋９及びＳｌｏｔ♯Ｔ＋１０の両方でＰＵＣＣＨが送信される場合、Ｓｌｏｔ♯Ｔ＋１〜Ｓｌｏｔ♯Ｔ＋３は両側のスロットに対応するＢＷで重畳(ｏｖｅｒｌａｐ)することができる。
【０１７３】
このようにＢＷの間の重畳するスロットに対するＨＡＲＱ−ＡＣＫ情報は、最初に送信されないと、ＤＴＸ(ｄｉｓｃｏｎｔｉｎｕｏｕＳ ｔｒａｎｓｍｉｓｓｉｏｎ)処理されるか、又は全てのＰＵＣＣＨで繰り返して送信されるように設定される。一例として、Ｓｌｏｔ♯Ｔ＋９でＳｌｏｔ♯Ｔ〜Ｓｌｏｔ♯Ｔ＋３に対するＨＡＲＱ−ＡＣＫ情報を最初に含むＰＵＣＣＨが送信される場合、ＵＥはＳｌｏｔ♯Ｔ＋９でＳｌｏｔ♯Ｔ〜Ｓｌｏｔ♯Ｔ＋３に対する実際ＨＡＲＱ−ＡＣＫ情報を送信することができる。次いで、ＵＥはＳｌｏｔ♯Ｔ＋１０でＳｌｏｔ♯Ｔ＋１〜Ｓｌｏｔ♯Ｔ＋３に対するＨＡＲＱ−ＡＣＫ情報をＤＴＸ(又はＮＡＣＫ)処理し、Ｓｌｏｔ♯Ｔ＋４に対するＨＡＲＱ−ＡＣＫ情報のみを送信するか、又はＳｌｏｔ♯Ｔ＋１〜Ｓｌｏｔ♯Ｔ＋４の全てのＨＡＲＱ−ＡＣＫ情報を含むＨＡＲＱ−ＡＣＫ情報をＰＵＣＣＨで送信することができる。
【０１７４】
本発明において、ＢＷの一部サブセットのみで準−静的なコードブックを構成する場合、ＵＥが割り当てられたＰＵＣＣＨリソースを介してどのサブセットに対するコードブックを構成するかに関する規則が予め設定されることができる。言い換えれば、もし特定のＰＵＣＣＨリソースに対して支援可能な最大のペイロード(例：Ｘビット)が決められる場合、該当ＰＵＣＣＨリソースが割り当てられると、ＵＥはＢＷ内に(所定の規則により)特定スロットに対してのみ準−静的なコードブックを構成することができる。
【０１７５】
このような方法は、複数のＣＣである場合にも容易に拡張して適用することができる。一例として、特定のＰＵＣＣＨリソースに対して支援可能な最大ペイロード(例：Ｘビット)が決められる場合、該当ＰＵＣＣＨリソースが割り当てられると、ＵＥはＢＷ内に(所定の規則により)特定のＣＣ及び特定スロットの組み合わせに対してのみ準−静的なコードブックを構成することができる。
【０１７６】
３.１.１.３.ＨＡＲＱ−ＡＣＫ ｍｕｌｔｉｐｌｅｘｉｎｇ ｐｅｒ ＴＢ(又はスロット)及びＨＡＲＱ−ＡＣＫ ｍｕｌｔｉｐｌｅｘｉｎｇ ｐｅｒ ｂｕｎｄｌｉｎｇ ｗｉｎｄｏｗ(ＢＷ)のスイッチング
【０１７７】
基地局は上述した３.１.１.１.におけるＨＡＲＱ−ＡＣＫ ｍｕｌｔｉｐｌｅｘｉｎｇ ｐｅｒ ＴＢ(又はスロット)及び３.１.１.２.におけるＨＡＲＱ−ＡＣＫ ｍｕｌｔｉｐｌｅｘｉｎｇ ｐｅｒ ｂｕｎｄｌｉｎｇ ｗｉｎｄｏｗ(ＢＷ)のうちの１つをＵＥに設定することができる。即ち、基地局は設定により３.１.１.１.におけるＨＡＲＱ−ＡＣＫ ｍｕｌｔｉｐｌｅｘｉｎｇ ｐｅｒ ＴＢ(又はスロット)及び３.１.１.２.におけるＨＡＲＱ−ＡＣＫ ｍｕｌｔｉｐｌｅｘｉｎｇ ｐｅｒ ｂｕｎｄｌｉｎｇ ｗｉｎｄｏｗ(ＢＷ)をスイッチングすることができる。一例として、基地局はＤＬ割り当てにより動的に２つの方式のうちのどの方式を適用するかをＵＥに指示することができる。
【０１７８】
３.１.１.４.ＣＢＧ−ｌｅｖｅｌの信号送受信設定＋ＴＢ−ｌｅｖｅｌの信号スケジューリング
【０１７９】
特定の状況(例：データ送受信に問題があると認知した状況)が発生した場合、基地局はＣＢＧが設定されていてもＴＢ基盤にフォールバック(ｆａｌｌｂａｃｋ)してＤＬデータ送信を試みることができる。このための一例として、基地局は共通検索領域(ｃｏｍｍｏｎ ｓｅａｒｃｈ ｓｐａｃｅ)を介してＤＬ割り当てを送信することによりＵＥにＴＢ基盤へのフォールバックを知らせることができる。
【０１８０】
この時、一般的にＴＢ基盤のＤＬデータに対応するＨＡＲＱ−ＡＣＫは、ＴＢ当たり１ビットのサイズを有する。特に、ＨＡＲＱ−ＡＣＫが多重化される場合、ＨＡＲＱ−ＡＣＫペイロードに対する不一致が発生することができるので、本発明によるＴＢ基盤のＨＡＲＱ−ＡＣＫは所定のＣＢＧ数だけのＨＡＲＱ−ＡＣＫで構成されるように設定される。
【０１８１】
より具体的には、ＵＥはＣＢＧ数だけのＨＡＲＱ−ＡＣＫのうち、特定の１つ(例：最初)のＣＢＧインデックスに対応するＨＡＲＱ−ＡＣＫのみにＴＢ基盤のＤＬデータのＨＡＲＱ−ＡＣＫ情報を載せ、残りにＮＡＣＫ(又はＤＴＸ)に含ませて送信するか、又は全てのＣＢＧインデックスに対応するＨＡＲＱ−ＡＣＫを介してＴＢ基盤のＤＬデータのＨＡＲＱ−ＡＣＫ情報を繰り返して送信することができる。
【０１８２】
３.１.２.動的なコードブック
【０１８３】
３.１.２.１.ＴＢ−ｌｅｖｅｌ Ｃ−ＤＡＩ＋ＴＢ−ｌｅｖｅｌ Ｔ−ＤＡＩ
【０１８４】
図１６は本発明の一例によってＴＢ単位の(ＴＢ−ｌｅｖｅｌ)Ｃ−ＤＡＩ及びＴ−ＤＡＩに基づくＨＡＲＱ−ＡＣＫの送受信方法を簡単に示す図である。
【０１８５】
図１６に示したように、Ｓｌｏｔ♯Ｔ＋９に対応するＢＷがＳｌｏｔ♯Ｔ／Ｔ＋１／Ｔ＋２／Ｔ＋３である場合、基地局は実際スケジューリングされるＳｌｏｔ♯Ｔ／Ｔ＋１／Ｔ＋３のＤＬ割り当てによりＴＢ数を知らせるＣ−ＤＡＩ及びＴ−ＤＡＩをシグナリングすることができる。この時、ＵＥがＳｌｏｔ♯Ｔ＋９で送信するＨＡＲＱ−ＡＣＫペイロードサイズは、所定のＣＢＧ数とＵＥがＢＷ内に最後に受信したＤＬ割り当て上のＴ−ＤＡＩでシグナリングされたＴＢ数とを乗じて決定される。即ち、図１６において所定のＣＢＧ数が４であると、Ｓｌｏｔ♯Ｔ＋９上に送信されるＨＡＲＱ−ＡＣＫサイズは１２ビットである。
【０１８６】
このような方法は、２ＴＢ ｐｅｒ ＰＤＳＣＨの場合にも拡張して適用できる。これにより、各ＰＤＳＣＨごとに最大２ＴＢまで送信可能である時、Ｃ−ＤＡＩ及びＴ−ＤＡＩは実際スケジューリングされたＴＢ数をカウントする手段として活用できる。又は上記のような方法は、ＴＢ−ｌｅｖｅｌではないスロット−ｌｅｖｅｌ(又はＰＤＳＣＨ−ｌｅｖｅｌ)Ｃ−ＤＡＩ＋スロット−ｌｅｖｅｌ(又はＰＤＳＣＨ−ｌｅｖｅｌ)Ｔ−ＤＡＩにも拡張して適用できる。この時、Ｃ−ＤＡＩ及びＴ−ＤＡＩは、各ＰＤＳＣＨごとに１ＴＢであるか又は２ＴＢであるかを区別せず、スロット(又はＰＤＳＣＨ)単位でカウントする手段として活用できる。
【０１８７】
特定の状況(例：データ送受信に問題があると認知した状況)が発生した場合は、基地局はＣＢＧが設定されていてもＴＢ基盤にフォールバックしてＤＬデータ送信を試みることができる。このための一例として、基地局は共通検索領域を介してＤＬ割り当てを送信することによりＵＥにＴＢ基盤へのフォールバックを知らせることができる。
【０１８８】
この時、一般的にＴＢ基盤のＤＬデータに対応するＨＡＲＱ−ＡＣＫは、ＴＢ当たり１ビットのサイズを有する。但し、図１６のようにＨＡＲＱ−ＡＣＫが多重化される場合、ＨＡＲＱ−ＡＣＫペイロードに対する不一致が発生することができるので、本発明によるＴＢ基盤のＨＡＲＱ−ＡＣＫは所定のＣＢＧ数だけのＨＡＲＱ−ＡＣＫで構成されるように設定される。
【０１８９】
より具体的には、ＵＥはＣＢＧ数だけのＨＡＲＱ−ＡＣＫのうち、特定の１つ(例：最初)ＣＢＧインデックスに対応するＨＡＲＱ−ＡＣＫのみにＴＢ基盤のＤＬデータのＨＡＲＱ−ＡＣＫ情報を載せ、残りにＮＡＣＫ(又はＤＴＸ)に含ませて送信するか、又は全てのＣＢＧインデックスに対応するＨＡＲＱ−ＡＣＫを介してＴＢ基盤のＤＬデータのＨＡＲＱ−ＡＣＫ情報を繰り返して送信することができる。
【０１９０】
３.１.２.２.ＣＢＧ−ｌｅｖｅｌ Ｃ−ＤＡＩ＋ＣＢＧ−ｌｅｖｅｌ Ｔ−ＤＡＩ
【０１９１】
図１７は本発明の一例によってＣＢＧ単位の(ＣＢＧ−ｌｅｖｅｌ)Ｃ−ＤＡＩ及びＴ−ＤＡＩに基づくＨＡＲＱ−ＡＣＫの送受信方法を簡単に示す図である。
【０１９２】
図１７に示したように、Ｓｌｏｔ♯Ｔ＋９に対応するＢＷがＳｌｏｔ♯Ｔ／Ｔ＋１／Ｔ＋２／Ｔ＋３である場合、基地局は実施スケジューリングされるＳｌｏｔ♯Ｔ／Ｔ＋１／Ｔ＋３のＤＬ割り当てによりＣＢＧ数を知らせるＣ−ＤＡＩ及びＴ−ＤＡＩをＵＥにシグナリングすることができる。この時、ＵＥがＳｌｏｔ♯Ｔ＋９で送信するＨＡＲＱ−ＡＣＫペイロードサイズは、最後に受信したＤＬ割り当て上のＴ−ＤＡＩでシグナリングされたＣＢＧ数により決定される。即ち、図１７においてＳｌｏｔ♯Ｔ＋３で受信したＴ−ＤＡＩ値が１２であるので、ＵＥがＳｌｏｔ♯Ｔ＋９で送信するＨＡＲＱ−ＡＣＫペイロードサイズは１２ビットである。
【０１９３】
基地局がＣ−ＤＡＩ及びＴ−ＤＡＩ値をシグナリングするにおいて、基地局はＣ−ＤＡＩ及びＴ−ＤＡＩ値を所定のＣＢＧ数全体に常に仮定するか(Ｏｐｔ １)、各ＴＢごと(又はスロットごと)の実際(再)伝送されたＣＢＧ数に基づいてＣ−ＤＡＩ及びＴ−ＤＡＩ値を設定することができる(Ｏｐｔ ２)。一例として、Ｏｐｔ ２によれば、基地局がＳｌｏｔ♯Ｔ＋１で実際(再)伝送したＣＢＧ数が２である場合、基地局がシグナリングする全てのＴ−ＤＡＩ値は１０に設定され、Ｓｌｏｔ♯Ｔ＋１上にシグナリングされたＣ−ＤＡＩは６、Ｓｌｏｔ♯Ｔ＋３上にシグナリングされたＣ−ＤＡＩは１０に設定される。
【０１９４】
また特定の状況が発生した場合、基地局はＣＢＧ基盤の信号送信が設定されていてもＴＢ基盤にフォールバックしてＤＬデータ送信を試みることができる。
【０１９５】
この場合、基地局がＣ−ＤＡＩ及びＴ−ＤＡＩ値をシグナリングするにおいて、基地局は所定のＣＢＧ数全体に常に仮定したＣ−ＤＡＩ及びＴ−ＤＡＩ値をシグナリングすることができる。これに対応して、ＵＥはＣＢＧ数だけのＨＡＲＱ−ＡＣＫのうち、特定の１つ(例：最初)のＣＢＧインデックスに対応するＨＡＲＱ−ＡＣＫのみにＴＢ基盤のＤＬデータのＨＡＲＱ−ＡＣＫ情報を載せ、残りにＮＡＣＫ(又はＤＴＸ)に含ませて送信するか、又は全てのＣＢＧインデックスに対応するＨＡＲＱ−ＡＣＫによりＴＢ基盤のＤＬデータのＨＡＲＱ−ＡＣＫ情報を繰り返して送信することができる。
【０１９６】
又は上述したＯｐｔ ２のように実際スケジューリングされたＣＢＧ数に基づいてＣ−ＤＡＩ及びＴ−ＤＡＩ値が設定される場合、基地局はＴＢ基盤にフォールバックされたＤＬデータをＣＢＧ１つのみを(再)伝送することと同様に扱って決定されたＣ−ＤＡＩ及びＴ−ＤＡＩをＵＥにシグナリングすることができる。
【０１９７】
３.１.２.３. ＴＢ ｏｒ ＣＢＧ ｌｅｖｅｌ Ｃ−ＤＡＩ ｗｉｔｈ ｓｃｈｅｄｕｌｉｎｇ ｒｅｓｔｒｉｃｔｉｏｎ
【０１９８】
ＨＡＲＱ−ＡＣＫペイロードを減らす方案として、ＢＷ内の全てのスロットではない一部スロットに対してのみスケジューリングが許容され、一部のスロット数のみに対応するＨＡＲＱ−ＡＣＫ送信が許容されることができる。この時、ＨＡＲＱ−ＡＣＫペイロードは常にＢＷ内に許容されたスロット数と所定のＣＢＧ数を乗じた値に対応するサイズに決定される。
【０１９９】
この場合、基地局はＴＢ−ｌｅｖｅｌ Ｃ−ＤＡＩのみをＤＬ割り当てによりＵＥにシグナリングすることによりＨＡＲＱ−ＡＣＫの順序を知らせることができる。又は基地局はＣＢＧ−ｌｅｖｅｌ Ｃ−ＤＡＩのみをＤＬ割り当てによりＵＥにシグナリングすることによりＨＡＲＱ−ＡＣＫの順序を知らせることができる。
【０２００】
よって上記方法は各々の観点によって準−静的なコードブックと見なされることができる。
【０２０１】
上述した方法において、基地局がＣＢＧ−ｌｅｖｅｌ Ｃ−ＤＡＩのみをシグナリングする場合、基地局は所定のＣＢＧ数全体に基づいて常にＣＢＧ−ｌｅｖｅｌ Ｃ−ＤＡＩ値を仮定するか(Ｏｐｔ １)、各ＴＢごと(又はスロットごと)に実際(再)伝送されたＣＢＧ数に基づいてＣ−ＤＡＩを決定することができる(Ｏｐｔ ２)。特に、Ｏｐｔ ２の場合、ＵＥは(再)伝送されなかったＣＢＧに対してＮＡＣＫ(又はＤＴＸ)に対応するＨＡＲＱ−ＡＣＫを送信することができる。
【０２０２】
３.１.２.１.で上述したように、特定の状況が発生した場合は、基地局はＣＢＧ基盤の信号送信が設定されていてもＴＢ基盤にフォールバックしてＤＬデータ送信を試みることができる。
【０２０３】
これに対応して、ＵＥはＣＢＧ数だけのＨＡＲＱ−ＡＣＫのうちの特定の１つ(例：最初)のＣＢＧインデックスに対応するＨＡＲＱ−ＡＣＫのみにＴＢ基盤のＤＬデータのＨＡＲＱ−ＡＣＫ情報を載せ、残りにＮＡＣＫを満たして送信するか、又は全てのＣＢＧインデックスに対応するＨＡＲＱ−ＡＣＫ情報としてＴＢ基盤のＤＬデータのＨＡＲＱ−ＡＣＫ情報を繰り返して送信することができる。
【０２０４】
ＴＢ−ｌｅｖｅｌ Ｃ−ＤＡＩの場合、該当ＤＡＩフィールドのビット幅(ｂｉｔ−ｗｉｄｔｈ)はｃｅｉｌｉｎｇ{ｌｏｇ２(ＢＷ内にスケジューリングが許容された最大のスロット数)}に設定されることができる。一例として、ＵＥが４つの連続するＤＣＩを紛失(ｍｉｓｓｉｎｇ)する可能性が薄いという仮定下でＤＡＩフィールドのビット幅は２ビットに設定できる。
【０２０５】
ＣＢＧ−ｌｅｖｅｌ Ｃ−ＤＡＩの場合、該当ＤＡＩフィールドのビット幅はｃｅｉｌｉｎｇ{ｌｏｇ２ＢＷ内にスケジューリングが許容された最大のスロット数＊該当ＣＣに設定(ｃｏｎｆｉｇｕｒｅ)された最大のＣＢＧ数)}に設定されることができる。一例として、ＵＥが４つの連続するＤＣＩを紛失(ｍｉｓｓｉｎｇ)する可能性が薄いという仮定下で、ＤＡＩフィールドのビット幅は２ビット＋ｃｅｉｌｉｎｇ{ｌｏｇ２(該当ＣＣに設定(ｃｏｎｆｉｇｕｒｅ)された最大のＣＢＧ数)}に設定される。
【０２０６】
又はＣＢＧ−ｌｅｖｅｌ Ｃ−ＤＡＩである場合にも、ＤＡＩフィールドのビット幅は所定の最大ＣＢＧ数とは関係なく設定されることができる。これは、{ＢＷ内にスケジューリングが許容された最大のスロット数＊該当ＣＣに設定(ｃｏｎｆｉｇｕｒｅ)された最大のＣＢＧ数}にＨＡＲＱ−ＡＣＫペイロードサイズが常に固定され、ＤＡＩ値が何番目のスロットに対応するかのみを分かる場合、ＵＥは各スロットごと(又はＤＡＩインデックスごと)に該当ＣＣに設定された最大のＣＢＧ数だけのＨＡＲＱ−ＡＣＫを送信すればよいためである。
【０２０７】
具体的には、(ＣＢＧ−ｌｅｖｅｌ Ｃ−ＤＡＩであるか又はＴＢ−ｌｅｖｅｌ Ｃ−ＤＡＩであるかに関係なく)Ｃ−ＤＡＩのビット幅は以下のように設定される。
【０２０８】
−ＢＷ内にスケジューリングが許容された最大のスロット数が１つである場合:Ｃ−ＤＡＩビット幅は０ビットに設定される(即ち、該当フィールドは存在しないことができる)
【０２０９】
−ＢＷ内にスケジューリングが許容された最大のスロット数が２つである場合:Ｃ−ＤＡＩビット幅は１ビットに設定される
【０２１０】
−ＢＷ内にスケジューリングが許容された最大のスロット数が３つ以上である場合:Ｃ−ＤＡＩビット幅は２ビットに設定される
【０２１１】
−ＢＷ内にスケジューリングが許容された最大のスロット数がＢＷの全体スロット数と同一である場合:Ｃ−ＤＡＩのビット幅は０ビットに設定される(即ち、該当フィールドは存在しないこともできる)
【０２１２】
上記場合とは異なり、ＵＥがＮ個(例：Ｎ＝４)のＤＣＩを連続して紛失(ｍｉｓｓｉｎｇ)する確率が薄いという仮定下で、Ｃ−ＤＡＩのビット幅はｍｉｎ{ｌｏｇ２(Ｎ)、ｌｏｇ２(ＢＷ内にスケジューリングが許容された最大のスロット数)}に設定できる。但し、ＢＷ内にスケジューリングが許容された最大のスロット数がＢＷの全体スロット数と同一である場合は、Ｃ−ＤＡＩのビット幅は０ビットに設定される(即ち、該当フィールドが存在しないことができる)。
【０２１３】
又はＣ−ＤＡＩのビット幅はｌｏｇ２(ＢＷ内にスケジューリングが許容された最大のスロット数)に設定されることができる。但し、ＢＷ内にスケジューリングが許容された最大のスロット数がＢＷの全体スロット数と同一である場合は、Ｃ−ＤＡＩのビット幅は０ビットに設定されることができる(即ち、該当フィールドが存在しないことができる)。
【０２１４】
上述したように、一部のスロットのみでスケジューリングが許容される場合、許容されたスロット数は上位階層シグナリング(又はＬ１シグナリング)により設定される。この時、該当スロット数が１つである場合、特徴的には、本発明によるＨＡＲＱ−ＡＣＫの送受信動作は、ＤＡＩ値又はＤＡＩをシグナリングするＤＣＩフィールド無しに行われることができる。また常にＢＷ内の全てのスロットに対するＨＡＲＱ−ＡＣＫコードブックを構成する場合にも、本発明によるＨＡＲＱ−ＡＣＫの送受信動作はＤＡＩ値又はＤＡＩをシグナリングするＤＣＩフィールド無しに行われることができる。
【０２１５】
図１８は本発明の一例によるＨＡＲＱ−ＡＣＫの送受信方法を簡単に示す図である。
【０２１６】
一例として、ＢＷはＮスロットであるが、各ＢＷ内に最大Ｋ(＜Ｎ)個のスロットまでＤＬデータスケジューリングが行われる場合を仮定する。この時、図１８に示したように、Ｎ＝４であり、Ｋ＝３と設定されることができる。この時、図１８のＤＡＩはＴＢ ｌｅｖｅｌ ＤＡＩと仮定する。
【０２１７】
図１８において、該当ＣＣに設定された最大のＣＢＧ数を４つと仮定した場合、送信されるＨＡＲＱ−ＡＣＫコードブックは常に１２ビットに固定される。
【０２１８】
よって、ＵＥはＤＡＩ値１及び２は受信し、ＤＡＩ値３は受信していないので、Ｓｌｏｔ♯Ｔ＋８で送信するＨＡＲＱ−ＡＣＫコードブックを構成するにおいて、ＤＡＩ１／２に対応するＴＢに対するＨＡＲＱ−ＡＣＫ情報８ビットを満たし、残りの４ビットをＤＴＸ処理(即ち、全てＮＡＣＫ送信)することができる。またＳｌｏｔ♯Ｔ＋９で送信するＨＡＲＱ−ＡＣＫコードブックを構成するにおいて、ＵＥはＤＡＩ値１、２及び３を全て受信したので、ＤＡＩ１／２／３に対応するＴＢに対するＨＡＲＱ−ＡＣＫ情報１２ビットを満たして送信することができる。
【０２１９】
上述した３.１.２.１〜３.１.２.３におけるＨＡＲＱ−ＡＣＫの送受信方法において、ＢＷごとに１つのＰＵＣＣＨでＨＡＲＱ−ＡＣＫが送信されることができる。
【０２２０】
３.２. ＴＴＩ又はスロット長さが同一である複数のＣＣの場合
【０２２１】
３.２.１.準−静的なコードブック
【０２２２】
ここでは多数のＣＣに対するＨＡＲＱ−ＡＣＫが特定のＣＣ上のＰＵＣＣＨに送信される場合、ＵＥが準−静的なコードブックでＨＡＲＱ−ＡＣＫを送信する方法について詳しく説明する。
【０２２３】
この時、ＨＡＲＱ−ＡＣＫペイロードサイズは設定されたＣＣ数、各ＣＣごとのＢＷサイズ及び所定のＣＢＧ数により決定される。 
【０２２４】
図１９は本発明の一例によって複数のＣＣに対するＨＡＲＱ−ＡＣＫがＣＣ♯１上で送受信される動作を簡単に示す図である。
【０２２５】
図１９において、３つの設定されたＣＣがあり、３つのＣＣに対するＨＡＲＱ−ＡＣＫがＣＣ♯１上のＰＵＣＣＨに送信され、ＢＷはＣＣに対して共通的に２スロットに設定されると仮定する。この時、ＣＣ♯１についてはＣＢＧが設定されず、ＣＣ♯２については４つのＣＢＧが設定され、ＣＣ♯３については３つのＣＢＧが設定される。この場合、１ＴＢの送信に対する総ＨＡＲＱ−ＡＣＫペイロードサイズは１６(＝１＊２ビット ｆｏｒ ＣＣ♯１＋４＊２ビット ｆｏｒ ＣＣ♯２＋３＊２ビット ｆｏｒ ＣＣ♯３)ビットで構成される。
【０２２６】
さらに、ＣＢＧ導入などによりＨＡＲＱ−ＡＣＫペイロードが非常に大きくなることができるので、準−静的なコードブックに基づくＨＡＲＱ−ＡＣＫの送受信方法であるにも関わらず、ＨＡＲＱ−ＡＣＫペイロードサイズを適応的に減らす方法が導入されることができる。
【０２２７】
一例として、１つのスロット内に４シンボルから１４シンボルまでシンボル数が可変するｌｏｎｇ ｄｕｒａｔｉｏｎ ＰＵＣＣＨについて、シンボル数によってＨＡＲＱ−ＡＣＫペイロードサイズが異なるように設定される。
【０２２８】
具体的な例として、ｌｏｎｇ ｄｕｒａｔｉｏｎ ＰＵＣＣＨのシンボル数がＸシンボル以上である場合、ＨＡＲＱ−ＡＣＫペイロードサイズはＰに設定され、Ｘシンボル未満の場合、ＨＡＲＱ−ＡＣＫペイロードサイズはＰより小さいＰ’に設定される。
【０２２９】
この時、Ｐ’にＨＡＲＱ−ＡＣＫ情報量を減らす方法として、所定の規則によるバンドリング(ｂｕｎｄｌｉｎｇ)方法を適用できる。一例として、ＣＢＧサブセットごとのＨＡＲＱ−ＡＣＫバンドリング−＞ＴＢ又はスロットごとのＨＡＲＱ−ＡＣＫバンドリング−＞ＣＣ内ＨＡＲＱ−ＡＣＫバンドリングの順に漸進的なバンドリング(ｇｒａｄｕａｌ ｂｕｎｄｌｉｎｇ)を適用できる。
【０２３０】
上記の特徴をより一般化すると、ＰＵＣＣＨのシンボル数だけではなく、ＰＵＣＣＨに割り当てられた周波数／時間リソース量に基づいてＵＥが送信するＨＡＲＱ−ＡＣＫペイロードサイズが予め決められることができる。
【０２３１】
一例として、ＰＵＣＣＨに割り当てられた(ＵＣＩ、Ｕｐｌｉｎｋ Ｃｏｎｔｒｏｌ Ｉｎｄｉｃａｔｏｒ用)のＲＥ数がＹ個以上である場合、ＨＡＲＱ−ＡＣＫペイロードサイズはＰに設定され、(ＵＣＩ用)のＲＥ数がＹ個未満である場合は、ＨＡＲＱ−ＡＣＫペイロードサイズはＰより小さいＰ’に設定される。
【０２３２】
上記のような方法は、３.１.１でのように、単一ＣＣの場合にも同様に適用できる。さらに、３.３.１でのようにスロット又はＴＴＩ長さが異なる複数のＣＣの場合にも同様に適用できる。
【０２３３】
さらに、特定の状況(例：データ送受信に問題があると認知した状況)が発生した場合、基地局はＣＢＧが設定されていてもＴＢ基盤にフォールバックしてＤＬデータ送信を試みることができる。その一例として、基地局は共通検索領域を介してＤＬ割り当てを送信することによりＵＥにＴＢ基盤へのフォールバックを知らせることができる。
【０２３４】
この時、一般的にＴＢ基盤のＤＬデータに対応するＨＡＲＱ−ＡＣＫは、ＴＢ当たり１ビットのサイズを有する。特にＨＡＲＱ−ＡＣＫが多重化される場合、ＨＡＲＱ−ＡＣＫペイロードに対する不一致が発生することができるので、本発明によるＴＢ盤のＨＡＲＱ−ＡＣＫは複数のＣＣに対して所定のＣＢＧ数ほどのＨＡＲＱ−ＡＣＫで構成されるように設定される。
【０２３５】
より具体的には、ＵＥは複数のＣＣに対するＣＢＧ数ほどのＨＡＲＱ−ＡＣＫのうち、特定の１つ(例：最初)のＣＢＧインデックスに対応するＨＡＲＱ−ＡＣＫのみにＴＢ盤のＤＬデータのＨＡＲＱ−ＡＣＫ情報を載せ、残りにＮＡＣＫ(又はＤＴＸ)に含ませて送信するか、又は複数のＣＣに対する全てのＣＢＧインデックスに対応するＨＡＲＱ−ＡＣＫによりＴＢ基盤のＤＬデータのＨＡＲＱ−ＡＣＫ情報を繰り返して送信することができる。
【０２３６】
３.２.２.動的なコードブック
【０２３７】
３.２.２.１. ＴＢ−ｌｅｖｅｌ Ｃ−ＤＡＩ ａｃｒｏｓｓ ａｌｌ ＣＣｓ＋ＴＢ−ｌｅｖｅｌ Ｔ−ＤＡＩ ａｃｒｏｓｓ ａｌｌ ＣＣｓ
【０２３８】
ここで提案するＨＡＲＱ−ＡＣＫの送受信方法は、上述した３.１.２.１.におけるＨＡＲＱ−ＡＣＫの送受信方法をＣＡ状況に拡張する方法である。
【０２３９】
図２０は本発明によって２つのＣＣが搬送波結合された(Ｃａｒｒｉｅｒ Ａｇｇｒｅｇａｔｅｄ)場合、ＨＡＲＱ−ＡＣＫの送受信方法を簡単に示す図である。
【０２４０】
図２０に示したように、２つのＣＣに対するＨＡＲＱ−ＡＣＫがＣＣ♯１に送信される場合、ＴＢ−ｌｅｖｅｌ ＤＡＩは全体ＣＣ に対して設定され、ＢＷ内でＣ−ＤＡＩは特定のスロット内の搬送波をまず考慮した後(例：カウント)、次のスロット内の搬送波を考慮する(カウント)方式で設定される。
【０２４１】
ＣＣごとにＣＢＧを設定できることを考慮した時、ＵＥがＳｌｏｔ♯Ｔ＋９で送信するＨＡＲＱ−ＡＣＫペイロードサイズは、ＣＣごとに予め設定されたＣＢＧ数のうちの最大値とＵＥがＢＷ内に最後に受信したＤＬ割り当て上のＴ−ＤＡＩでシグナリングされたＴＢ数とを乗じた値により決定される。即ち、図２０において、ＣＣ♯１についてＣＢＧが設定されず、ＣＣ♯２について予め設定されたＣＢＧ数が４つである場合、ＵＥがＳｌｏｔ♯Ｔ＋９上で送信するＨＡＲＱ−ＡＣＫペイロードサイズは２４ビット(４＊Ｔ−ＤＡＩ値である６)である。
【０２４２】
また上述した３.１.２.１.におけるＨＡＲＱ−ＡＣＫの送受信方法をＣＡ状況及び／又は２ＴＢ ｐｅｒ ＰＤＳＣＨ ｃａｓｅに拡張して適用する場合(言い換えれば、各ＰＤＳＣＨごとに最大２ＴＢまで送信可能な場合)、Ｃ−ＤＡＩ及びＴ−ＤＡＩは実際スケジューリングされたＴＢ数をカウントする手段として活用できる。
【０２４３】
又はＣ−ＤＡＩ及びＴ−ＤＡＩはＴＢ−ｌｅｖｅｌではないスロット−ｌｅｖｅｌ(又はＰＤＳＣＨ−ｌｅｖｅｌ)Ｃ−ＤＡＩ＋スロット−ｌｅｖｅｌ(又はＰＤＳＣＨ−ｌｅｖｅｌ)Ｔ−ＤＡＩに設定されることにより、各ＰＤＳＣＨごとに１ＴＢであるか又は２ＴＢであるかを区別せず、スロット(又はＰＤＳＣＨ)をカウントする手段として活用することができる。
【０２４４】
基地局がＣＢＧが設定されたＣＣに対してＴＢ基盤にフォールバックしてＤＬデータ送信を試みる場合、上述した３.１.２.１.で提案した方法が拡張適用されることができる。
【０２４５】
言い換えれば、特定の状況(例：データ送受信に問題がある認知した状況)が発生した場合、基地局は特定のＣＣに対してＣＢＧが設定されていてもＴＢ基盤にフォールバックしてＤＬデータ送信を試みることができる。その一例として、基地局は共通検索領域を介してＤＬ割り当てを送信することによりＵＥにＴＢ基盤へのフォールバックを知らせることができる。
【０２４６】
これに対応して、ＵＥは特定のＣＣに対するＣＢＧ数ほどのＨＡＲＱ−ＡＣＫのうち、特定の１つ(例：最初)のＣＢＧインデックスに対応するＨＡＲＱ−ＡＣＫのみに特定のＣＣに対するＴＢ基盤のＤＬデータのＨＡＲＱ−ＡＣＫ情報を載せ、残りにＮＡＣＫ(又はＤＴＸ)に含ませて送信するか、又は特定のＣＣに対する全てのＣＢＧインデックスに対応するＨＡＲＱ−ＡＣＫにより特定のＣＣに対するＴＢ基盤のＤＬデータのＨＡＲＱ−ＡＣＫ情報を繰り返して送信することができる。
【０２４７】
３.２.２.２.ＣＢＧ−ｌｅｖｅｌ Ｃ−ＤＡＩ ａｃｒｏｓｓ ａｌｌ ＣＣｓ＋ＣＢＧ−ｌｅｖｅｌ Ｔ−ＤＡＩ ａｃｒｏｓｓ ａｌｌ ＣＣｓ
【０２４８】
上述した３.２.２.１.によれば、ＨＡＲＱ−ＡＣＫが複数のＣＣのうちの最大のＣＢＧ数に基づいて決定されるＨＡＲＱ−ＡＣＫペイロードサイズを有するので、ＨＡＲＱ−ＡＣＫオーバーヘッドが大きくなることができる。従って、ここではＨＡＲＱ−ＡＣＫオーバーヘッドを減らすために、各搬送波ごとに設定されたＣＢＧ数及び実際スケジューリングされたスロットに基づくＨＡＲＱ−ＡＣＫの送受信方法について詳しく説明する。
【０２４９】
以下に説明する方法は、上述した３.１.２.２.におけるＨＡＲＱ−ＡＣＫの送受信方法をＣＡ状況に拡張した方法と類似する。
【０２５０】
図２１は本発明によって２つのＣＣが搬送波結合された(Ｃａｒｒｉｅｒ Ａｇｇｒｅｇａｔｅｄ)場合、ＨＡＲＱ−ＡＣＫの送受信方法を簡単に示す図である。
【０２５１】
図２１に示したように、２ＣＣに対するＨＡＲＱ−ＡＣＫがＣＣ♯１に送信される場合、ＣＣ♯１についてはＣＢＧが設定されず、ＣＣ♯２については予め設定されたＣＢＧ数が４つであると仮定する。この時、ＣＢＧ−ｌｅｖｅｌ Ｔ−ＤＡＩは全体のＣＣに対して適用されて決定され、Ｃ−ＤＡＩはまずＢＷ内における特定スロット内の搬送波を考慮した(例：カウント)後、次のスロット内の搬送波を考慮して決定される。この場合、ＵＥがＳｌｏｔ♯Ｔ＋９で送信するＨＡＲＱ−ＡＣＫペイロードサイズは、ＵＥが最後に受信したＤＬ割り当て上のＴ−ＤＡＩでシグナリングされたＣＢＧ数により決定される。これにより、図２１のＳｌｏｔ♯Ｔ＋９上に送信されるＨＡＲＱ−ＡＣＫペイロードサイズは１５ビットである。
【０２５２】
基地局がＣＢＧが設定されたＣＣについてＴＢ基盤にフォールバックしてＤＬデータ送信を試みる場合、これによる動作及び基地局が所定のＣＢＧ数全体を常に仮定するか又は各ＴＢごと(又はスロットごと)に実際(再)伝送されたＣＢＧ数に基づいてＤＡＩを計算するかなどは、上述した３.１.２.２.におけるＨＡＲＱ−ＡＣＫの送受信方法が拡張適用されることができる。
【０２５３】
上述した３.１.でのような単一ＣＣの場合(又はＨＡＲＱ−ＡＣＫ情報にＣＲＣが含まれない場合)、スケジューリングされたＣＢＧ単位でＤＡＩを計算する動作は、ＮＡＣＫ−ｔｏ−ＡＣＫエラーの発生時にＮＡＣＫであるＣＢＧに対する再送信を常に補償することが難しい。
【０２５４】
従って、上記のような問題を解決するために、ＨＡＲＱ−ＡＣＫオーバーヘッドを減少できる３.１.２.１.におけるＴＢ−ｌｅｖｅｌ ＤＡＩを適用することができる。
【０２５５】
又は上述した３.２.でのように複数のＣＣの場合(又はＨＡＲＱ−ＡＣＫ情報にＣＲＣが含まれる場合)、ＮＡＣＫ−ｔｏ−ＡＣＫエラーの確率は相対的に小さい。よって、上記問題を解決するために、ＨＡＲＱ−ＡＣＫオーバーヘッドを減少できる３.２.２.２.におけるＣＢＧ−ｌｅｖｅｌ ＤＡＩを適用することができる。
【０２５６】
３.２.２.３. ＴＢ ｏｒ ＣＢＧ ｌｅｖｅｌ Ｃ−ＤＡＩ ｗｉｔｈ ｓｃｈｅｄｕｌｉｎｇ ｒｅｓｔｒｉｃｔｉｏｎ
【０２５７】
ＨＡＲＱ−ＡＣＫペイロードを減らす方案として、ＢＷ内の全てのスロットではない一部スロットに対してのみ及び／又は設定された全てのＣＣではない一部に対してのみスケジューリングが許容され、一部スロット数及び／又は一部ＣＣのみに対応するＨＡＲＱ−ＡＣＫ送信が許容されることができる。この時、ＨＡＲＱ−ＡＣＫペイロードは、常にＢＷ内に許容されたスロット数及び／又は許容されたＣＣ数と所定のＣＢＧ数とを乗じた値に対応するサイズに決定される。
【０２５８】
この場合、基地局はＴＢ−ｌｅｖｅｌ Ｃ−ＤＡＩのみをＤＬ割り当てによりＵＥにシグナリングすることによりＨＡＲＱ−ＡＣＫの手順を知らせることができる。又は基地局はＣＢＧ−ｌｅｖｅｌ Ｃ−ＤＡＩのみをＤＬ割り当てによりＵＥにシグナリングすることによりＨＡＲＱ−ＡＣＫの手順を知らせることができる。
【０２５９】
よって上記方法は各々の観点によって準−静的なコードブックと見なされることができる。
【０２６０】
上述した方法において、基地局がＣＢＧ−ｌｅｖｅｌ Ｃ−ＤＡＩのみをシグナリングする場合、基地局は所定のＣＢＧ数全体に基づいて常にＣＢＧ−ｌｅｖｅｌ Ｃ−ＤＡＩ値を仮定するか(Ｏｐｔ １)、各ＴＢごと(又はスロットごと)に実際(再)伝送されたＣＢＧ数に基づいてＣＢＧ−ｌｅｖｅｌ Ｃ−ＤＡＩ値を仮定することができる(Ｏｐｔ ２)。特に、Ｏｐｔ ２の場合、ＵＥは(再)伝送されないＣＢＧについてＮＡＣＫに対応するＨＡＲＱ−ＡＣＫを送信することができる。
【０２６１】
３.１.２.１.で述べたように、特定の状況が発生した場合、基地局はＣＢＧ基盤の信号送信が設定されていてもＴＢ基盤にフォールバックしてＤＬデータ送信を試みることができる。
【０２６２】
これに対応して、上述した３.１.２.１.でのように、ＵＥはＣＢＧ数ほどのＨＡＲＱ−ＡＣＫのうち、特定の１つ(例：最初)のＣＢＧインデックスに対応するＨＡＲＱ−ＡＣＫのみにＴＢ基盤のＤＬデータのＨＡＲＱ−ＡＣＫ情報を載せ、残りにＮＡＣＫを満たして送信するか、又は全てのＣＢＧインデックスに対応するＨＡＲＱ−ＡＣＫ情報としてＴＢ基盤のＤＬデータのＨＡＲＱ−ＡＣＫ情報を繰り返して送信することができる。
【０２６３】
一部のスロットに対してのみスケジューリングが許容される場合、(ＣＣごとに)許容されたスロット数は上位階層シグナリング(又はＬ１シグナリング)により設定される。この時、該当(ＣＣごとの)スロット数が１つである場合、特徴的には本発明によるＨＡＲＱ−ＡＣＫの送受信動作はＤＡＩ値又はＤＡＩをシグナリングするＤＣＩフィールドなしに行われることができる。
【０２６４】
より具体的には、ＣＣごとに許容されたスロット数がＢＷ内のスロット数より小さい場合、スケジューリングが許容されたスロット位置はＣＣごとに異なり、ＨＡＲＱ−ＡＣＫペイロードサイズはＣＣ数と許容されたスロット数を乗じた値の関数により決定される。
【０２６５】
一例として、ＢＷ内のスロット数が４つであるが、ＣＣごとに許容されたスロット数が１つである場合、各ＣＣごとにＰＤＳＣＨが送信されるスロットの位置は異なるように設定される。もしＣＣ数がＮ個であり、ＣＣごとに必要なＨＡＲＱ−ＡＣＫビットがＫビットであれば、ＨＡＲＱ−ＡＣＫペイロードサイズはＫ＊Ｎビットである。
【０２６６】
また常にＢＷ内の全てのスロットに対するＨＡＲＱ−ＡＣＫコードブックを構成する場合、本発明によるＨＡＲＱ−ＡＣＫの送受信方法は、ＤＡＩ値又はＤＡＩをシグナリングするＤＣＩフィールド無しに行われることができる。
【０２６７】
このようにＢＷはＮスロットであるが、各ＢＷ内に最大Ｋ個(≦Ｎ)のスロットまでＤＬデータスケジューリングが行われる場合、設定されるＫ値はＣＡ状況で設定されたＣＣに対して共通的に設定されるか、又はＣＣごとに異なるように設定される。
【０２６８】
またＴＢ又はＣＢＧ ｌｅｖｅｌのＣ−ＤＡＩは、ＣＣごとに(ｐｅｒ ＣＣ)カウントされる。
【０２６９】
ＴＢ−ｌｅｖｅｌ Ｃ−ＤＡＩの場合、各ＣＣごとのＤＡＩフィールドのビット幅はｃｅｉｌｉｎｇ{ｌｏｇ２(該当ＣＣのＢＷ内にスケジューリングが許容された最大のスロット数)}と設定されることができる。又はＵＥが４つの連続するＤＣＩを紛失(ｍｉｓｓｉｎｇ)する可能性が薄いという仮定下で、ＴＢ−ｌｅｖｅｌ Ｃ−ＤＡＩは２ビットに設定されることができる。
【０２７０】
ＣＢＧ−ｌｅｖｅｌ Ｃ−ＤＡＩの場合、各ＣＣごとのＤＡＩフィールドのビット幅はｃｅｉｌｉｎｇ{ｌｏｇ２(該当ＣＣのＢＷ内にスケジューリングが許容された最大のスロット数＊該当ＣＣに設定された最大ＣＢＧ数)}と設定されることができる。又は、ＵＥが４つの連続するＤＣＩを紛失(ｍｉｓｓｉｎｇ)する可能性が薄いという仮定下で、ＣＢＧ−ｌｅｖｅｌ Ｃ−ＤＡＩは２ビット＋ｃｅｉｌｉｎｇ{ｌｏｇ２(該当ＣＣに設定された最大ＣＢＧ数)}に設定されることができる。
【０２７１】
又はＣＢＧ−ｌｅｖｅｌ Ｃ−ＤＡＩである場合であっても、ＤＡＩフィールドのビット幅は設定された最大ＣＢＧ数とは関係なく設定されることができる。
【０２７２】
この時、ＣＢＧ−ｌｅｖｅｌ Ｃ−ＤＡＩのビット幅は３.１.２.３.で提案した方法がＣＣごとに適用されて決定される。即ち、(ＣＢＧ−ｌｅｖｅｌ Ｃ−ＤＡＩであるか又はＴＢ−ｌｅｖｅｌ Ｃ−ＤＡＩであるかに関係なく)Ｃ−ＤＡＩのビット幅は以下のように設定される。
【０２７３】
−該当ＣＣのＢＷ内にスケジューリングが許容された最大のスロット数(即ち、Ｋ値)が１つである場合:Ｃ−ＤＡＩビット幅は０ビットに設定される(即ち、該当フィールドが存在しないことができる)。
【０２７４】
−Ｋ＝２つである場合:Ｃ−ＤＡＩビット幅は１ビットに設定される
【０２７５】
−Ｋ＝３つ以上である場合:Ｃ−ＤＡＩビット幅は２ビットに設定される
【０２７６】
−但し、Ｋ＝Ｎ(Ｎは該当ＣＣのＢＷ内のスロット数)である場合:Ｃ−ＤＡＩのビット幅は０ビットに設定される(即ち、該当フィールドが存在しないことができる)
【０２７７】
上記の場合とは異なり、ＵＥがＮ個(例：Ｎ＝４)のＤＣＩを連続して紛失(ｍｉｓｓｉｎｇ)する確率が薄いという仮定下で、Ｃ−ＤＡＩのビット幅はｍｉｎ{ｌｏｇ２(Ｎ)、ｌｏｇ２(Ｋ)}に設定されることができる。但し、Ｋ＝Ｎである場合は、Ｃ−ＤＡＩのビット幅は０ビットに設定されることができる(即ち、該当フィールドが存在しないことができる)。
【０２７８】
又はＣ−ＤＡＩのビット幅はｌｏｇ２(Ｋ)に設定されることができる。但し、Ｋ＝Ｎである場合は、Ｃ−ＤＡＩのビット幅は０ビットと設定されることができる(即ち、該当フィールドが存在しないことができる)。
【０２７９】
３.２.２.４. Ｓｅｐａｒａｔｅ ＴＢ−ｌｅｖｅｌ ＤＡＩ ｐｅｒ ＣＣ ｏｒ Ｓｅｐａｒａｔｅ ＴＢ／ＣＢＧ−ｌｅｖｅｌ ＤＡＩ ｐｅｒ ＣＣ
【０２８０】
図２２は本発明によってＣＣごとにＤＡＩが適用されるＨＡＲＱ−ＡＣＫの送受信方法を簡単に示す図である。
【０２８１】
上述した３.２.２.１におけるＨＡＲＱ−ＡＣＫの送受信方法及び３.２.２.２.におけるＨＡＲＱ−ＡＣＫの送受信方法を比較した時、３.２.２.１.におけるＨＡＲＱ−ＡＣＫの送受信方法はＣＣのうち、最大ＣＢＧ数に合わせてＨＡＲＱ−ＡＣＫを送信するので、ＨＡＲＱ−ＡＣＫオーバーヘッドの問題がある反面、３.２.２.２.におけるＨＡＲＱ−ＡＣＫの送受信方法は、ＨＡＲＱ−ＡＣＫのオーバーヘッドの問題は解決できるが、ＣＢＧ−ｌｅｖｅｌ ＤＡＩを使用することによりＤＬ割り当てに対するオーバーヘッドが発生することができる。
【０２８２】
これを解決するために、ここでは図２２でのようにＴＢ−ｌｅｖｅｌ ＤＡＩをＣＣごとに使用することによりＤＣＩオーバーヘッドを減らし、ＣＣごとのＣＢＧ数が異なることをＨＡＲＱ−ＡＣＫに反映するＨＡＲＱ−ＡＣＫの送受信方法を提案する。
【０２８３】
図２２に示したように、２つのＣＣに対するＨＡＲＱ−ＡＣＫがＣＣ♯１に送信される場合、ＣＣ♯１についてはＣＢＧが設定されず、ＣＣ♯２については所定のＣＢＧ数が４つであると仮定する。この時、ＵＥがＳｌｏｔ♯Ｔ＋９上で送信するＨＡＲＱ−ＡＣＫペイロードサイズは７ビットである(３ビット ｆｏｒ ＣＣ♯１＋４ビット ｆｏｒ ＣＣ♯２)。
【０２８４】
さらに、ＣＣごとにＤＡＩが適用される場合、一部ＣＣについてはＴＢ−ｌｅｖｅｌ ＤＡＩが適用される反面、他のＣＣについてはＣＢＧ−ｌｅｖｅｌ ＤＡＩが適用されることができる。
【０２８５】
一例として、ＣＢＧが設定されたＣＣについてはＣＢＧ−ｌｅｖｅｌ ＤＡＩが適用され、ＣＢＧが設定されていないＣＣについてはＴＢ−ｌｅｖｅｌ ＤＡＩが適用される。 
【０２８６】
この時、ＣＣごとのＴＢ−ｌｅｖｅｌ ＤＡＩとしては、上述した３.１.２.１.における方法が適用され、ＣＣごとのＣＢＧ−ｌｅｖｅｌ ＤＡＩとしては、上述した３.１.２.２.における方法が適用される。
【０２８７】
また基地局がＣＢＧが設定されたＣＣについてＴＢ基盤にフォールバックしてＤＬデータ送信を試みる場合、これによる動作及び基地局が所定のＣＢＧ数全体を常に仮定するか、又は各ＴＢごと(又はスロットごと)に実際(再)伝送されたＣＢＧ数に基づいてＤＡＩを計算するかは、上述した３.１.２.２.におけるＨＡＲＱ−ＡＣＫの送受信方法を拡張適用することができる。
【０２８８】
３.２.２.５. Ｓｅｐａｒａｔｅ ＴＢ−ｌｅｖｅｌ ＤＡＩ ｂｅｔｗｅｅｎ ＴＢ−ｂａｓｅｄ ｃｅｌｌ ｇｒｏｕｐ ａｎｄ ＣＢＧ−ｂａｓｅｄ ｃｅｌｌ ｇｒｏｕｐ(ＣＧ)
【０２８９】
上述した３.２.２.４.におけるＨＡＲＱ−ＡＣＫの送受信方法の場合、特定ＣＣ上のＢＷ内の全てのＤＬ割り当てをＵＥが紛失(ｍｉｓｓｉｎｇ)すると、ＵＥと基地局の間のＨＡＲＱ−ＡＣＫペイロードサイズに対する不一致が発生する問題がある。
【０２９０】
よって、ここではこの問題を緩和するために、ＣＢＧが設定されたＣＣ(又はＣＢＧ数がＫ以上であるＣＣ)を１つのＣＧ(Ｃａｒｒｉｅｒ Ｇｒｏｕｐ)に集め、ＣＢＧが設定されていないＣＣ(又はＣＢＧ数がＫ未満であるか又はＣＢＧが設定されていないＣＣ)を１つのＣＧに集めた後、ＣＧごとにＤＡＩを計算し、特定ＣＣでＨＡＲＱ−ＡＣＫを送受信する方法を提案する。
【０２９１】
図２３は本発明によって４つのＣＣが２つのＣＧに区分される場合、ＨＡＲＱ−ＡＣＫの送受信方法を簡単に示す図である。
【０２９２】
図２３に示したように、４つのＣＣに対応するＨＡＲＱ−ＡＣＫがＣＣ♯１に送信され、ＣＣ♯１及びＣＣ♯２についてはＣＢＧが設定され、ＣＣ♯３及びＣＣ♯４についてはＣＢＧが設定されない場合を仮定する。
【０２９３】
この時、基地局及びＵＥはＣＣ♯１及びＣＣ♯２を１つのＣＧ♯Ａに設定し、ＣＣ♯３及びＣＣ♯４を１つのＣＧ♯Ｂに設定することができる。
【０２９４】
この時、ＣＧ♯Ａについては上述した３.２.２.１.におけるＨＡＲＱ−ＡＣＫの送受信方法が適用される。即ち、ＣＣ♯１に設定されたＣＢＧ数が２つであり、ＣＣ♯２に設定されたＣＢＧ数が４つである場合、ＵＥがＳｌｏｔ♯Ｔ＋９で送信するＨＡＲＱ−ＡＣＫペイロードサイズは最大ＣＢＧ数である４に合わせて構成される。これにより、図２３においてＵＥがＳｌｏｔ♯Ｔ＋９で送信するＨＡＲＱ−ＡＣＫペイロードサイズは１８ビット(１６ビット ｆｏｒ ＣＧ♯Ａ＋２ビット ｆｏｒ ＣＧ♯Ｂ)に設定される。
【０２９５】
又は、ＣＧごとにＤＡＩが適用されるが、あるＣＧに対してはＴＢ−ｌｅｖｅｌ ＤＡＩが適用される反面、他のＣＧについてはＣＢＧ−ｌｅｖｅｌ ＤＡＩが適用されることができる。
【０２９６】
具体的な例として、ＣＢＧが設定されたＣＣ(又はＣＢＧ数がＫ以上であるＣＣ)で構成されたＣＧについてはＣＢＧ−ｌｅｖｅｌ ＤＡＩが適用され、ＣＢＧが設定されていないＣＣ(又はＣＢＧ数がＫ未満であるか又はＣＢＧが設定されていないＣＣ)で構成されたＣＧについてはＴＢ−ｌｅｖｅｌ ＤＡＩが適用されることができる。
【０２９７】
この時、ＣＧごとのＴＢ−ｌｅｖｅｌ ＤＡＩとしては、上述した３.２.２.１.における方法が適用され、ＣＧごとのＣＢＧ−ｌｅｖｅｌ ＤＡＩとしては、上述した３.２.２.２.における方法が適用される。
【０２９８】
また基地局がＣＢＧが設定されたＣＣについてＴＢ基盤にフォールバックしてＤＬデータ送信を試みる場合、これによる動作及び基地局が所定のＣＢＧ数全体を常に仮定するか又は各ＴＢごと(又はスロットごと)に実際(再)伝送されたＣＢＧ数に基づいてＤＡＩを計算するかなどは、上述した３.２.２.２.におけるＨＡＲＱ−ＡＣＫの送受信方法が拡張適用されることができる。
【０２９９】
上述したように、ＵＥが１つのＣＣ上のＰＵＣＣＨに多数のＣＣに対応するＨＡＲＱ−ＡＣＫを送信し、該当多数のＣＣがＣＧ(例：ＴＢ−ｂａｓｅｄ ＣＧとＣＢＧ−ｂａｓｅｄ ＣＧ)に分かれてＣＧごとにＤＡＩが計算される場合、ＴＢ−ｂａｓｅｄ ＣＧに属するＣＣのうちの一部ＣＣは２ＴＢ送信が設定(及び／又はスケジューリング)されることができる。
【０３００】
この時、該当ＣＧについてＴＢ−ｌｅｖｅｌ ＤＡＩ(又は動的なコードブック)が適用される場合、基地局及びＵＥの間のＨＡＲＱ−ＡＣＫペイロードサイズに対する不一致の問題を解決するために該当ＣＧ内の全てのＣＣのＨＡＲＱ−ＡＣＫは２ビットと算定されることができる。
【０３０１】
一例として、図２３においてＣＣ♯３に対して１ＴＢ送信がスケジューリング(又は設定)され、ＣＣ♯４について２ＴＢ送信がスケジューリング(又は設定)される場合、ＴＢ−ｂａｓｅｄ ＣＧに対応するＨＡＲＱ−ＡＣＫビットは４ビットで構成される。
【０３０２】
さらに、ＵＥが１つのＣＣ上のＰＵＣＣＨに多数のＣＣに対応するＨＡＲＱ−ＡＣＫを送信し、該当多数のＣＣがＣＧ(例：ＴＢ−ｂａｓｅｄ ＣＧとＣＢＧ−ｂａｓｅｄ ＣＧ)に分かれてＣＧごとにＤＡＩが計算される場合は、ＣＢＧが設定されていない多数のＣＣについて１ＴＢ送信又は２ＴＢ送信が設定されたかによってＣＧがさらに分かれることができる。
【０３０３】
一例として、１ＴＢ送信が設定されたＣＣを１ＴＢ−ＣＧに集め、２ＴＢ送信が設定されたＣＣを２ＴＢ−ＣＧに集めた後、各ＣＧごとにＣ−ＤＡＩ及びＴ−ＤＡＩが適用されることができる。この場合、１ＴＢ−ＣＧについてはＣＣ−ｌｅｖｅｌ ＤＡＩが適用され、２ＴＢ−ＣＧについてはＴＢ−ｌｅｖｅｌ ＤＡＩが適用されることができる。
【０３０４】
図２４は本発明によって１ＴＢ−ＣＧ、２ＴＢ−ＣＧが構成される場合のＨＡＲＱ−ＡＣＫの送受信方法を簡単に示す図である。
【０３０５】
図２４に示したように、１ＴＢが設定されたＣＣ♯１とＣＣ♯２が１ＴＢ−ＣＧで構成され、２ＴＢが設定されたＣＣ♯３とＣＣ♯４が２ＴＢ−ＣＧで構成された場合、ＵＥがＳｌｏｔ♯Ｔ＋９上で送信するＨＡＲＱ−ＡＣＫペイロードサイズは７ビット(４ビット ｆｏｒ １ＴＢ−ＣＧ＋３ビット ｆｏｒ ２ＴＢ−ＣＧ)である。
【０３０６】
又は１ＴＢ−ＣＧだけではなく２ＴＢ−ＣＧの全てに対してＣＣ−ｌｅｖｅｌ ＤＡＩが適用されることができる。この時、２ＴＢ−ＣＧに対してＣＣ−ｌｅｖｅｌ ＤＡＩが適用される場合、ＤＡＩカウント値１に対応するＨＡＲＱ−ＡＣＫペイロードサイズは２ビットであることができる。
【０３０７】
一般的に、各ＣＣごとに１ＴＢ送信又は２ＴＢ送信が設定され、ＣＢＧ送信も設定できる。これにより、以下のような総４つのタイプのＣＣが存在することができる。
【０３０８】
−１ＴＢ ＴＢ−ｂａｓｅｄ ＣＣ
【０３０９】
−２ＴＢ ＴＢ−ｂａｓｅｄ ＣＣ
【０３１０】
−１ＴＢ ＣＢＧ−ｂａｓｅｄ ＣＣ
【０３１１】
−２ＴＢ ＣＢＧ−ｂａｓｅｄ ＣＣ
【０３１２】
この時、１つのＣＧを{１ＴＢ ＴＢ−ｂａｓｅｄ ＣＣ、２ＴＢ ＴＢ−ｂａｓｅｄ ＣＣ、１ＴＢ ＣＢＧ−ｂａｓｅｄ ＣＣ}で構成し、他のＣＧを{２ＴＢ ＣＢＧ−ｂａｓｅｄ ＣＣ}で構成することができる。これにより、ＵＥは各ＣＧごとにＣＧ内のＰＤＳＣＨごとのＨＡＲＱ−ＡＣＫビット数を類似に合わせてＨＡＲＱ−ＡＣＫ送信を行うことができる。
【０３１３】
又は１つのＣＧを{１ＴＢ ＴＢ−ｂａｓｅｄ ＣＣ、２ＴＢ ＴＢ−ｂａｓｅｄ ＣＣ}、他のＣＧを{１ＴＢ ＣＢＧ−ｂａｓｅｄ ＣＣ}、さらに他のＣＧを{２ＴＢ ＣＢＧ−ｂａｓｅｄ ＣＣ}として、総３つのＣＧで構成することもできる。
【０３１４】
より一般的には、複数のＣＧはＣＣごとに１つのＰＤＳＣＨに対応するＨＡＲＱ−ＡＣＫビット数を考慮して構成できる。一例として、ＣＧ内に属するＣＣごとの１つのＰＤＳＣＨに対応するＨＡＲＱ−ＡＣＫビット数の最大差がＸビットに制限されるように複数のＣＧが構成される。
【０３１５】
３.２.２.６. ＨＡＲＱ−ＡＣＫペイロードに１ビットをＣＣ当たり又はＣＧ当たり１つずつ追加
【０３１６】
上述した３.２.２.４.及び３.２.２.５.でのように、ＣＣ又はＣＧごとにＤＡＩを計算する場合、ＵＥが特定のＣＣ上又は特定のＣＧ上のＢＷ内の全てのＤＬ割り当てを紛失(ｍｉｓｓｉｎｇ)すると、ＵＥと基地局の間のＨＡＲＱ−ＡＣＫペイロードサイズに対する不一致が発生する。
【０３１７】
これを解決するために、ここではＨＡＲＱ−ＡＣＫペイロードに１ビットを(３.２.２.４.の場合)ＣＣ当たり又は(３.２.２.５.の場合)ＣＧ当たり１つずつ追加して、該当ＣＣ又は該当ＣＧごとにＨＡＲＱ−ＡＣＫペイロードの存在有無をシグナリングする方案を提案する。
【０３１８】
一例として、図２３の場合、２ＣＧであるので、全てのＤＬ割り当てを確実に受信したＵＥであれば、ＨＡＲＱ−ＡＣＫペイロードの最前に追加配置された２ビットとして“００”(又は逆に“１１”)を送信することにより、全てのＣＧに対するＨＡＲＱ−ＡＣＫが存在することを基地局に知らせることができる。又は、ＣＣ♯３及びＣＣ♯４のＤＬ割り当てを全て紛失(ｍｉｓｓｉｎｇ)したＵＥの場合は、ＵＥはＨＡＲＱ−ＡＣＫペイロードの最前に“０１”(又は逆に“１０”)を送信することにより、２番目のＣＧに対するＨＡＲＱ−ＡＣＫペイロードが存在しないことを基地局に知らせることができる。
【０３１９】
かかる情報を受信した基地局はＨＡＲＱ−ＡＣＫペイロードの最前の２ビットの情報を先に確認することにより、ＣＣ又はＣＧごとのＨＡＲＱ−ＡＣＫペイロードの存在有無を予め判断することができる。一例として、基地局がＨＡＲＱ−ＡＣＫペイロードの最前の２ビットの情報により１番目のＣＧに対するＨＡＲＱ−ＡＣＫペイロードがないという情報を受信した場合、基地局はＨＡＲＱ−ＡＣＫペイロードの３番目のビットから２番目のＣＧに対するＨＡＲＱ−ＡＣＫ情報であることを仮定(又は判断)することができる。
【０３２０】
３.２.２.７.ＴＢ−ｌｅｖｅｌ Ｃ−ＤＡＩ＋ＣＢＧ−ｌｅｖｅｌ Ｔ−ＤＡＩ ａｃｒｏｓｓ ａｌｌ ＣＣｓ
【０３２１】
ここでは、Ｃ−ＤＡＩがＴＢ数をカウントする反面、Ｔ−ＤＡＩが設定された全てのＣＣのＣＢＧ数をカウントする動作を提案する。これによれば、基地局のＤＣＩオーバーヘッドを減らすと同時に、ＵＥがＣＣごとにＣＢＧ数が異なっても、ＣＣのうちの最大のＣＢＧ数の代わりに各ＣＣに実際設定されたＣＢＧ数に対応するＨＡＲＱ−ＡＣＫペイロードを構成する動作が可能である。
【０３２２】
３.２.２.８.ＴＢ−ｌｅｖｅｌ Ｃ−ＤＡＩ ｐｅｒ ＣＧ＋ＣＢＧ−ｌｅｖｅｌ Ｔ−ＤＡＩ ａｃｒｏｓｓ ａｌｌ ＣＧｓ
【０３２３】
上述した３.２.２.５.でのようにＣＧを構成する場合、Ｃ−ＤＡＩはＣＧごとのＴＢ数をカウントする反面、Ｔ−ＤＡＩは全てのＣＧのＣＢＧ数をカウントすることができる。
【０３２４】
３.２.２.９.{ＴＢ−ｌｅｖｅｌ Ｃ−ＤＡＩ＆Ｔ−ＤＡＩ ｆｏｒ ｏｗｎ ＣＧ＋ＴＢ−ｌｅｖｅｌ Ｔ−ＤＡＩ ｆｏｒ ｏｔｈｅｒ ＣＧ} ｐｅｒ ＣＧ
【０３２５】
上述した３.２.２.５.でのように、ＣＧごとにＤＡＩを計算する場合、ＵＥが特定のＣＧ上のＢＷ内の全てのＤＬ割り当てを紛失(ｍｉｓｓｉｎｇ)すると、ＵＥと基地局の間のＨＡＲＱ−ＡＣＫペイロードサイズに対する不一致が発生する問題がある。これを解決するために、ここでは基地局が他のＣＧに対する追加Ｔ−ＤＡＩをＤＬ割り当てによりＵＥに知らせる方法を提案する。
【０３２６】
図２５は本発明によって互いに異なるＣＧに対して追加Ｔ−ＤＡＩが適用された場合、ＨＡＲＱ−ＡＣＫの送受信方法を簡単に示す図である。
【０３２７】
図２５において、Ｔ１−ＤＡＩはＣＢＧ−ｂａｓｅｄ ＣＧ(即ち、ＣＢＧが設定されたＣＣのグループ)に対するｔｏｔａｌ ＤＡＩを意味し、Ｔ２−ＤＡＩはＴＢ−ｂａｓｅｄ ＣＧ(即ち、ＣＢＧが設定されていないＣＣグループ)に対するｔｏｔａｌ ＤＡＩを意味する。この場合、ＵＥがＣＣ♯３及びＣＣ♯４に対するＤＬ割り当てを全て紛失(ｍｉｓｓｉｎｇ)しても、ＣＣ♯１及びＣＣ♯２においてＴＢ−ｂａｓｅｄ ＣＧに対するＴ−ＤＡＩによりＵＥと基地局の間のＨＡＲＱ−ＡＣＫペイロードサイズに対する不一致を解決することができる。
【０３２８】
かかる方法もＣＧごとにＴＢ−ｌｅｖｅｌ ＤＡＩ又はＣＢＧ−ｌｅｖｅｌ ＤＡＩが適用されることができる。一例として、ＢＧが設定されたＣＣ(又はＣＢＧ数がＫ以上であるＣＣ)で構成されたＣＧについてはＣＢＧ−ｌｅｖｅｌ ＤＡＩが適用され、ＣＢＧが設定されていないＣＣ(又はＣＢＧ数がＫ未満であるか、又はＣＢＧが設定されていないＣＣ)で構成されたＣＧについてはＴＢ−ｌｅｖｅｌ ＤＡＩが適用されることができる。
【０３２９】
また上記のような方法は、３.２.２.５.で述べた方法が様々なＣＧ構成方法(例：１ＴＢ−ＣＧと２ＴＢ−ＣＧでＣＧが構成される場合など)について拡張適用されることができる。
【０３３０】
３.２.２.１０.準−静的なコードブック ｆｏｒ ｏｎｅ ＣＧ＋ＴＢ−ｌｅｖｅｌ ＤＡＩ(ｏｒ ＣＢＧ−ｌｅｖｅｌ ＤＡＩ) ｆｏｒ ｏｔｈｅｒ ＣＧ
【０３３１】
３.２.２.５.で述べたようにＣＧが区別される場合、特定のＣＧについては準−静的なコードブックが設定され、他のＣＧについては上述した３.２.２.１.(又は３.２.２.２.)のようにＴＢ−ｌｅｖｅｌ ＤＡＩ(又はＣＢＧ−ｌｅｖｅｌ ＤＡＩ)がＣＧ内の全てのＣＣに対して適用されることができる。
【０３３２】
図２６は本発明によって２つのＣＧに区別される場合のＨＡＲＱ−ＡＣＫの送受信方法を簡単に示す図である。
【０３３３】
図２６に示したように、ＣＢＧ−ｂａｓｅｄ ＣＧに属するＣＣのうち、最大ＣＢＧ数が４つである場合、ＵＥがＳｌｏｔ♯Ｔ＋９で送信するＨＡＲＱ−ＡＣＫのペイロードサイズは２４ビット(４＊５ビット ｆｏｒ ＣＢＧ−ｂａｓｅｄ ＣＧ＋４ビット ｆｏｒ ＴＢ−ｂａｓｅｄ ＣＧ、ＢＷが４スロットであるので、該当ＣＧについては常に４ビットを送信)であることができる。
【０３３４】
かかる方法は、３.２.２.６.及び３.２.２.９.で述べたＨＡＲＱ−ＡＣＫの送受信方法と結合して、ＵＥが特定のＣＧ上の全てのＤＬ割り当てを紛失(ｍｉｓｓｉｎｇ)した場合に発生可能な問題を解決することができる。
【０３３５】
また上記のような方法は、３.２.２.５.で述へた方法が様々なＣＧ構成方法(例：１ＴＢ−ＣＧと２ＴＢ−ＣＧでＣＧが構成される場合など)についても拡張して適用することができる。
【０３３６】
３.２.２.１１.ＴＢ−ｌｅｖｅｌ Ｃ−ＤＡＩ(ｏｒ ＣＢＧ−ｌｅｖｅｌ Ｃ−ＤＡＩ)＋ＰＵＣＣＨリソースごとに最大のＤＡＩ値を決定
【０３３７】
各ＡＲＩ(ＡＣＫ／ＮＡＣＫリソース指示子)に割り当てられるＰＵＣＣＨによって、最大ＨＡＲＱ−ＡＣＫペイロード(又は最大ＤＡＩ値)のサイズが予め決定されることができる。一例として、２nサイズの符号化ビットが適用される場合、最適化されたポーラ符号化(ｐｏｌａｒ ｃｏｄｉｎｇ)の特性を考慮する時、ＰＵＣＣＨリソースのＭｏｔｈｅｒ ｃｏｄｅ及び最大の情報ビット数は予め決定される。
【０３３８】
この場合、基地局はＤＣＩによりＴ−ＤＡＩなしにＣ−ＤＡＩのみをＵＥにシグナリングすることができる。この時、ＵＥは最後のＤＡＩ値を指示したＤＣＩにより割り当てられたＡＲＩが対応するＰＵＣＣＨを介してＨＡＲＱ−ＡＣＫを送信する。この時、該当ＰＵＣＣＨに対応する最大のＨＡＲＱ−ＡＣＫペイロードサイズが予め決定される場合、ＵＥは対応するｐｏｌａｒ Ｍｏｔｈｅｒ ｃｏｄｅ(又はＲＭ Ｍｏｔｈｅｒ ｃｏｄｅ)も設けることができる。具体的には、ＵＥはＡＲＩにより割り当てられたＰＵＣＣＨに所定の最大ＤＡＩ値(これはＵＥの最後の受信ＤＡＩ値より大きいことができる)までＨＡＲＱ−ＡＣＫペイロードを構成して得られたｐｏｌａｒ(又はＲＭ) ｃｏｄｅを適用することができる。
【０３３９】
さらにペイロードサイズによる効率的なＰＵＣＣＨリソース活用のために基地局は(Ｔ−ＤＡＩの対案として)使用されるＭｏｔｈｅｒ ｃｏｄｅのサイズを端末にシグナリングすることができる。一例として、基地局はＤＣＩによりＲＭ ｃｏｄｅであるか、ｐｏｌａｒ ｃｏｄｅ ｗｉｔｈ Ｙ１ ｂｉｔｓ Ｍｏｔｈｅｒ ｃｏｄｅであるか、又はｐｏｌａｒ ｃｏｄｅ ｗｉｔｈ Ｙ２ ｂｉｔｓ Ｍｏｔｈｅｒ ｃｏｄｅであるかなどをＵＥに指示することができる。
【０３４０】
この時、ＵＥは該当Ｍｏｔｈｅｒ ｃｏｄｅのサイズを知らせるフィールド値によってＰＵＣＣＨリソースを指示するＡＲＩ値に対応する構成を異なるように解釈することができる。言い換えれば、該当Ｍｏｔｈｅｒ ｃｏｄｅのサイズを知らせるフィールド値によってＡＲＩ値に対応するＰＵＣＣＨリソースが異なるように設定されることができる。
【０３４１】
かかる方法は複数のＣＣの場合だけではなく、単一ＣＣの場合及びＴＴＩ又はスロット長さが異なる複数のＣＣの場合にも適用できる。
【０３４２】
３.２.２.１２. Ｓｌｏｔ−ｌｅｖｅｌ Ｃ−ＤＡＩ ｏｎｌｙ＋Ｃｏｎｆｉｇｕｒｅｄ Ａ／Ｎ ｂｉｔｓ ｉｎ ＣＣ ｄｏｍａｉｎ
【０３４３】
基地局がＤＣＩによりスロット−ｌｅｖｅｌ Ｃ−ＤＡＩのみをシグナリングする場合、ＵＥは最後に受信されたＤＡＩ値に基づいてＨＡＲＱ−ＡＣＫペイロードを構成し、ＨＡＲＱ−ＡＣＫペイロードはＣＣ次元(ｄｏｍａｉｎ)で準−静的なコードブックの形態で構成される。一例として、ＵＥが最後に受信したＤＡＩ値が２である場合、ＵＥは２つのスロットに対して設定された全てのＣＣ上のスロットでスケジューリングされたことを仮定してコードブックを構成することができる。
【０３４４】
かかる方法は、上述した３.２.２.１１.におけるＨＡＲＱ−ＡＣＫの送受信方法と結合する場合、基地局はＡＲＩにより割り当てられるＰＵＣＣＨごとに最大の(スロット−ｌｅｖｅｌ)ＤＡＩ値を設定し、ＵＥはこれに基づいてＨＡＲＱ−ＡＣＫペイロードを構成することができる。
【０３４５】
さらに、スロット−ｌｅｖｅｌのＣ−ＤＡＩ値に対する解釈は、ＰＵＣＣＨリソースを指示するＡＲＩ値によって異なる。言い換えれば、スロット−ｌｅｖｅｌのＣ−ＤＡＩ値ごとにＡＲＩ値に対応するＰＵＣＣＨリソースが異なるように設定される。
【０３４６】
かかる方法は複数のＣＣの場合だけではなく、単一ＣＣの場合及びＴＴＩ又はスロット長さが異なる複数のＣＣの場合にも適用できる。
【０３４７】
特に、ＴＴＩ又はスロット長さが異なる複数のＣＣの場合、ＴＴＩ又はスロット長さが最も長いＣＣを基準として該当ＣＣのスロット長さ(Ｓｌｏｔ ｄｕｒａｔｉｏｎ)内に含まれた全てのＣＣのスロットが１つのＤＡＩ値に対応するか(Ｍｅｔｈｏｄ １)、ＴＴＩ又はスロット長さが最も短いＣＣを基準として該当ＣＣのスロット開始時点と同じＣＣのスロットが１つのＤＡＩ値に対応する(Ｍｅｔｈｏｄ ２)ことができる。
【０３４８】
図２７は本発明によってＴＴＩ又はスロット長さが異なる３つのＣＣによりＤＬデータが送信される例を示す図である。
【０３４９】
図２７において、Ｍｅｔｈｏｄ １による場合、ＣＣ♯１のスロット５／６／７／８及びＣＣ♯２のＳｌｏｔ♯ｃ／ｄ及びＣＣ♯３のＳｌｏｔ♯Ｂが１つのＤＡＩ値に対応することができる。よって、１つのＤＡＩ値がスロットのうちの１つ以上のスロットに対応する場合、ＵＥは全てのスロットに対するＨＡＲＱ−ＡＣＫ情報を１つのＤＡＩ値に対応して送信することができる。
【０３５０】
又は図２７において、Ｍｅｔｈｏｄ ２による場合、ＣＣ♯１のＳｌｏｔ♯５及びＣＣ♯２のＳｌｏｔ♯ｃ及びＣＣ♯３のＳｌｏｔ♯Ｂが第１ＤＡＩ値に対応し、ＣＣ♯１のＳｌｏｔ♯６が第２ＤＡＩ値に対応し、ＣＣ♯１のＳｌｏｔ♯７及びＣＣ♯２のＳｌｏｔ♯ｄが第３ＤＡＩ値に対応し、ＣＣ♯１のＳｌｏｔ♯８が第４ＤＡＩ値に対応することができる。
【０３５１】
３.２.２.１３.同じスロット内のＤＡＩ ｃｏｕｎｔｉｎｇを非−フォールバック ＤＣＩ ｆｉｒｓｔ−フォールバック ＤＣＩ ｓｅｃｏｎｄ方式で行う
【０３５２】
ＨＡＲＱ−ＡＣＫ情報が多重化されて送信される時、対応するＰＤＳＣＨのうちの一部がフォールバックＤＣＩフォーマット(例：ＮＲ ＤＣＩ ｆｏｒｍａｔ １_０)によりスケジューリングされるＰＤＳＣＨを含むと、ＤＡＩカウントは以下のように行われる。
【０３５３】
具体的には、同じスロット内のフォールバックＤＣＩフォーマットによりスケジューリングされるＰＤＳＣＨが含まれる場合、基地局及びＵＥは優先して非−フォールバックＤＣＩフォーマットによりスケジューリングされるＰＤＳＣＨに対してＤＡＩカウントを行った後、フォールバックＤＣＩフォーマットによりスケジューリングされるＰＤＳＣＨに対してＤＡＩカウントを行うことができる。言い換えれば、同じスロット内の非−フォールバックＤＣＩフォーマットによりスケジューリングされるＰＤＳＣＨ(以下、‘非−フォールバックＰＤＳＣＨ’という)とフォールバックＤＣＩフォーマットによりスケジューリングされるＰＤＳＣＨ(以下、‘フォールバックＰＤＳＣＨ’という)が全て存在する場合、基地局はＤＣＩによりシグナリングされる非−フォールバックＰＤＳＣＨに対応するＰＤＳＣＨスケジューリング順序(又はカウンター)値をフォールバックＰＤＳＣＨに対応するＰＤＳＣＨスケジューリング順序(又はカウンター)値より小さい値に(即ち、フォールバックＰＤＳＣＨに対応する値を非−フォールバックＰＤＳＣＨに対応する値より大きい値に)設定／指示することができる。
【０３５４】
上記方法はＴＴＩ又はスロット長さが異なる複数のＣＣ(又はＢＷＰ)の間のＨＡＲＱ−ＡＣＫの多重化にも同様に拡張適用することができる。
【０３５５】
一般的に、フォールバックＤＣＩフォーマットは信頼度(ｒｅｌｉａｂｉｌｉｔｙ)を高めるための目的でＤＣＩサイズを最小化し、ＲＲＣ連結が設定されていない状態でも動作を支援するためにＲＲＣの設定に関連するパラメータを最小限に含むことができる。
【０３５６】
これらを考慮した時、動的なコードブックが設定される場合、非−フォールバックＤＣＩはｃｏｕｎｔｅｒ ＤＡＩ(例：２ビットのビット幅フィールド)及びｔｏｔａｌ ＤＡＩ(例：２ビットのビット幅フィールド)に対応するＤＣＩフィールドを含むことができる反面、フォールバックＤＣＩはｃｏｕｎｔｅｒ ＤＡＩとｔｏｔａｌ ＤＡＩを互いに異なるＤＣＩフィールドに区分して含まないことができる。この時、ｔｏｔａｌ ＤＡＩが該当スロットまでのスケジューリングされたＰＤＳＣＨの総数に対応するので、本発明ではフォールバックＤＣＩフォーマット内の１つのＤＡＩフィールドを介してｃｏｕｎｔｅｒ ＤＡＩ及びｔｏｔａｌ ＤＡＩ値を同時にシグナリングする動作を提案する。これにより同じスロットで他のＰＤＳＣＨ紛失ケースによるＨＡＲＱ−ＡＣＫペイロード不一致の問題を解決することができる。
【０３５７】
図２８は基地局とＵＥの間のＨＡＲＱ−ＡＣＫペイロードサイズに対する不一致が発生する例示を示す図である。
【０３５８】
図２８に示したように、同じスロット内のＤＡＩカウントがＣＣ♯１ ｆｉｒｓｔ ＣＣ♯２ ｓｅｃｏｎｄの規則により行われる場合、ＵＥがＳｌｏｔ♯(Ｔ＋３)で送信されたＣＣ♯２上のＰＤＳＣＨ(非−フォールバックＤＣＩフォーマットによりスケジュールされる)を受信せず(ｍｉｓｓｉｎｇ)、ＣＣ♯１上のＰＤＳＣＨ(フォールバックＤＣＩフォーマットによりスケジュールされる)のみを受信することができる。この時、ＵＥは‘ｔｏｔａｌ ＤＡＩ＝６’を指示するＤＣＫを受信できないので、ｔｏｔａｌ ＤＡＩ値が６であること認知できない。これにより、基地局とＵＥの間のＨＡＲＱ−ＡＣＫペイロードサイズに対する不一致が発生することができる。
【０３５９】
図２９は本発明によって図２８の問題を解決するＨＡＲＱ−ＡＣＫの送受信方法を示す図である。
【０３６０】
図２８とは異なり、図２９に示したように、本発明で提案する方法によってＳｌｏｔ♯(Ｔ＋３)でＤＡＩカウントがＣＣ♯２ ｆｉｒｓｔ ＣＣ♯１ ｓｅｃｏｎｄの規則により行われる場合、ＵＥがＳｌｏｔ♯(Ｔ＋３)で送信されたＣＣ♯２上のＰＤＳＣＨ(非−フォールバックＤＣＩフォーマットによりスケジュールされる)を受信できなくても、ＣＣ♯１上のＰＤＳＣＨ(フォールバックＤＣＩフォーマットによりスケジュールされる)により‘ｔｏｔａｌ ＤＡＩ＝６’であることを認知することができる。言い換えれば、基地局はフォールバックＤＣＩに含まれたＤＡＩ情報によりＵＥにｃｏｕｎｔｅｒ ＤＡＩ及びＤＡＩが６であることを知らせることができるので、基地局との間のＨＡＲＱ−ＡＣＫペイロードサイズに対する不一致無しに成功的なＨＡＲＱ−ＡＣＫの送受信が可能である。
【０３６１】
３.３.ＴＴＩ又はスロット長さが異なる複数のＣＣの場合
【０３６２】
３.３.１.準−静的なコードブック
【０３６３】
ここでは、ＴＴＩ又はスロット長さが異なる多数のＣＣに対するＨＡＲＱ−ＡＣＫが特定のＣＣ上のＰＵＣＣＨに送信される場合、準−静的なコードブックでＨＡＲＱ−ＡＣＫを送受信する方法について詳しく説明する。この時、ＨＡＲＱ−ＡＣＫペイロードサイズは設定されたＣＣ数、各ＣＣごとのＢＷ(Ｂｕｎｄｌｉｎｇ Ｗｉｎｄｏｗ)サイズ、及び設定されたＣＢＧ数により決定される。
【０３６４】
特徴的には、ＰＵＣＣＨが送信されるＣＣとＴＴＩ又はスロット長さが異なるＣＣが存在する場合、ＨＡＲＱ−ＡＣＫペイロードサイズはＰＵＣＣＨが送信されるＣＣ上のＨＡＲＱタイミングを指示する値の範囲(ｒａｎｇｅ)及び／又は数に基づいて決定されるＢＷ基準として決定される。
【０３６５】
一例として、ＣＣに設定されたＣＢＧ数が同一であり、ＰＵＣＣＨが送信されるＣＣ上のＢＷ内においてＨＡＲＱ−ＡＣＫペイロードサイズがＺビットであると仮定する。この時、ＰＵＣＣＨが送信されるスロット(又はＴＴＩ)の１／Ｋ倍のスロット(又はＴＴＩ)長さを有するＣＣに対応するＨＡＲＱ−ＡＣＫペイロードサイズはＺ＊ｋビットに設定され、ＰＵＣＣＨが送信されるスロット(又はＴＴＩ)のＫ倍のスロット(又はＴＴＩ)長さを有するＣＣに対応するＨＡＲＱ−ＡＣＫペイロードサイズはＺ／Ｋビットに設定される。
【０３６６】
図３０は互いに異なるスロット長さを有する２つのＣＣによりＤＬデータが送信される場合、本発明の一例によるＨＡＲＱ−ＡＣＫの送受信方法を簡単に示す図である。
【０３６７】
図３０に示したように、ＣＣ♯１上にＰＵＣＣＨが送信され、ＣＣ♯２のスロット長さがＣＣ♯１のスロット長さの２倍に設定されたと仮定する。この時、Ｓｌｏｔ♯１１に対するＢＷはＳｌｏｔ♯２／３／４／５であり、Ｓｌｏｔ♯１２に対するＢＷはｓｌｏｔ３／４／５／６であると仮定する。この場合、Ｓｌｏｔ♯Ｂ及びＳｌｏｔ♯Ｃに対応するＨＡＲＱ−ＡＣＫタイミング内にＳｌｏｔ♯１１とＳｌｏｔ♯１２が全て含まれることができるが、Ｓｌｏｔ♯Ｂ及びＳｌｏｔ♯Ｃに対応するＨＡＲＱ−ＡＣＫ情報は、上記２つのスロットのうちの１つのみで送信されるように規定される。この時、ＣＣ♯１のＢＷに対応するＨＡＲＱ−ＡＣＫペイロードサイズがＷビットであると、ＣＣ♯２のＢＷに対応するＨＡＲＱ−ＡＣＫペイロードサイズはＷ／２ビットに設定される。従って、Ｓｌｏｔ♯１１で送信されるＨＡＲＱ−ＡＣＫペイロードサイズはＷビットであり、Ｓｌｏｔ♯１２で送信されるＨＡＲＱ−ＡＣＫペイロードサイズはＷ＋Ｗ／２ビットである。
【０３６８】
又は、ＣＣ♯１上の全てのスロットにおいて、ＣＣ♯２のＢＷに対応するＨＡＲＱ−ＡＣＫが送信できるように規定される。この場合、Ｓｌｏｔ♯１１で送信されるＨＡＲＱ−ＡＣＫペイロードサイズはＷ＋Ｗ／２ビットであり、Ｓｌｏｔ♯１２で送信されるＨＡＲＱ−ＡＣＫペイロードサイズも同様にＷ＋Ｗ／２ビットである。
【０３６９】
この時、Ｓｌｏｔ♯１１で送信されるＨＡＲＱ−ＡＣＫペイロードサイズであるＷ＋Ｗ／２ビットのうち、ＣＣ♯２に対応するＷ／２ビットとして(ＵＥ処理時間(ｐｒｏｃｅｓｓｉｎｇ ｔｉｍｅ)により)ＣＣ♯２上のＳｌｏｔ♯Ｂ／ＣのＨＡＲＱ−ＡＣＫ情報が含まれることが難しい。この場合は、Ｓｌｏｔ♯１１で送信されるＨＡＲＱ−ＡＣＫペイロードサイズであるＷ＋Ｗ／２ビットのうち、ＣＣ♯２に対応するＨＡＲＱ−ＡＣＫ情報は、Ｓｌｏｔ♯Ａ／Ｂに対応するＷ／２ビットであるか又は(Ｗ／２ビットではない)Ｓｌｏｔ♯Ｂのみに対応するＷ／４ビットで構成されることができる。
【０３７０】
図３１は互いに異なるスロット長さを有する２つのＣＣによりＤＬデータが送信される場合、本発明の他の例によるＨＡＲＱ−ＡＣＫの送受信方法を簡単に示す図である。
【０３７１】
図３１に示したように、ＣＣ♯２上にＰＵＣＣＨが送信され、ＣＣ♯２のスロット長さがＣＣ♯１のスロット長さの２倍であり、Ｓｌｏｔ♯Ｆに対するＢＷはＳｌｏｔ♯Ｂ／Ｃであると仮定する。この時、Ｓｌｏｔ♯Ｂ及びＳｌｏｔ♯Ｃで構成されたＢＷに含まれたＣＣ♯１上のＳｌｏｔ♯３／４／５／６に対応するＨＡＲＱ−ＡＣＫ情報もＳｌｏｔ♯Ｆ上のＰＵＣＣＨで送信されることができる。この場合、ＣＣ♯２のＢＷに対応するＨＡＲＱ−ＡＣＫペイロードサイズがＷビットであれば、ＣＣ♯１のＢＷに対応するＨＡＲＱ−ＡＣＫペイロードサイズはＷ＊２ビットであることができる。従って、Ｓｌｏｔ♯Ｆで送信されるＨＡＲＱ−ＡＣＫペイロードサイズはＷ＋Ｗ＊２ビットであることができる。
【０３７２】
図３２は本発明によって互いに異なるスロット長さを有する２つのＣＣによるＨＡＲＱ−ＡＣＫの送受信方法を簡単に示す図である。
【０３７３】
図３２に示したように、ＣＣ♯１でＢＷにより互いに異なるＰＵＣＣＨにＨＡＲＱ−ＡＣＫ情報が送信され、基地局がＤＬ割り当てによりＨＡＲＱ−ＡＣＫ送信タイミングとして＋５／＋６／＋７／＋８のうちの１つをＵＥに指示する場合、Ｓｌｏｔ♯９に対応するＢＷはＳｌｏｔ♯１／２／３／４の４スロットである。
【０３７４】
よって、ＣＣ♯１に設定されたＣＢＧ数が４つである場合、Ｓｌｏｔ♯９で送信されるＨＡＲＱ−ＡＣＫペイロードサイズは(１ＴＢの送信時)１６ビットである。同様に、Ｓｌｏｔ♯１０で送信されるＳｌｏｔ♯２／３／４／５に対応するＨＡＲＱ−ＡＣＫのペイロードサイズは１６ビットである。
【０３７５】
もしＣＣ♯１よりスロット長さが長いＣＣ♯２上のＳｌｏｔ♯Ｅ上にＣＣ♯１のＨＡＲＱ−ＡＣＫが送信される場合、Ｓｌｏｔ♯９及びＳｌｏｔ♯１０に連関するＢＷのＨＡＲＱ−ＡＣＫが送信されることができる。この場合、Ｓｌｏｔ♯９、Ｓｌｏｔ♯１０の各々のスロットで送信されるＨＡＲＱ−ＡＣＫペイロードサイズは１６ビットである反面、Ｓｌｏｔ♯Ｅで送信されるＳｌｏｔ♯２／３／４に対するＨＡＲＱ−ＡＣＫ情報は(重複なしに)２０ビットであることができる。
【０３７６】
３.３.２.動的なコードブック
【０３７７】
多数のＣＣに対応するＨＡＲＱ−ＡＣＫ情報が特定のＣＣのＰＵＣＣＨに送信される場合、ＣＣのタイプは大きく以下のような４つに区分できる。
【０３７８】
−Ｔｙｐｅ１:ＣＢＧが設定されず、スロット又はＴＴＩ長さが短いＣＣ(又は全てのＣＣに対してＣＢＧが設定されていない場合、１ＴＢ送信が設定され、スロット又はＴＴＩ長さが短いＣＣをＴｙｐｅ１と区分する)
【０３７９】
−Ｔｙｐｅ２:ＣＢＧが設定されず、スロット又はＴＴＩ長さが長いＣＣ(又は全てのＣＣに対してＣＢＧが設定されていない場合、１ＴＢ送信が設定され、スロット又はＴＴＩ長さが長いＣＣをＴｙｐｅ２と区分する)
【０３８０】
−Ｔｙｐｅ３:ＣＢＧが設定され、スロット又はＴＴＩ長さが短いＣＣ(又は全てのＣＣに対してＣＢＧが設定されていない場合、２ＴＢ送信が設定され、スロット又はＴＴＩ長さが短いＣＣをＴｙｐｅ３と区分する)
【０３８１】
−Ｔｙｐｅ４:ＣＢＧが設定され、スロット又はＴＴＩ長さが長いＣＣ(又は全てのＣＣに対してＣＢＧが設定されていない場合、２ＴＢ送信が設定され、スロット又はＴＴＩ長さが長いＣＣをＴｙｐｅ４と区分する)
【０３８２】
以下、上記のようなタイプ区分に基づいて本発明で提案するＨＡＲＱ−ＡＣＫの送受信方法について詳しく説明する。
【０３８３】
３.３.２.１.各ＴｙｐｅごとにＣＧを形成して総４つのＣＧを構成し、ＣＧごとにＤＡＩを適用
【０３８４】
基地局は、上述したように、互いに異なるタイプごとにＣＧを形成し、ＣＧごとにＤＡＩを適用してＵＥにＤＬデータを送信することができる。これに対応して、ＵＥは上記受信されたＤＬデータに対するＨＡＲＱ−ＡＣＫ送信方法として、１)スロット又はＴＴＩ長さごとに各々異なるＰＵＣＣＨを介してＨＡＲＱ−ＡＣＫを送信するか、２)ＣＧごとに異なるＰＵＣＣＨを介してＨＡＲＱ−ＡＣＫを送信するか、又は３)１つのＰＵＣＣＨを介して全てのＨＡＲＱ−ＡＣＫを送信する。
【０３８５】
この時、ＣＧ基盤のＤＡＩ方法としては、上述した３.２.２.５.、３.２.２.６.、３.２.２.９.又は３.２.２.１０における方法のうちの１つが適用される。 
【０３８６】
３.３.２.２.スロット又はＴＴＩ長さごとにＣＧを形成して総２つのＣＧを構成(又はＴｙｐｅ１／３を一つのＣＧ、Ｔｙｐｅ２／４を他のＣＧで構成)し、ＣＧごとにＤＡＩを適用
【０３８７】
基地局はスロット又はＴＴＩ長さによってＣＧを形成し、ＣＧごとにＤＡＩを適用してＵＥにＤＬデータを送信することができる。これに対応して、ＵＥはスロット又はＴＴＩ長さごとに各々異なるＰＵＣＣＨを介してＨＡＲＱ−ＡＣＫを送信するか、又は１つのＰＵＣＣＨを介して全てのＨＡＲＱ−ＡＣＫを送信する。
【０３８８】
この時、ＣＧ基盤のＤＡＩ方法としては、上述した３.２.２.５.、３.２.２.６.、３.２.２.９.又は３.２.２.１０における方法のうちの１つが適用される。 
【０３８９】
３.３.２.３.ＣＢＧが設定されたか否か(又はＣＢＧ数)によってＣＧを形成して総２つのＣＧを構成(又はＴｙｐｅ１／２を一つのＣＧ、Ｔｙｐｅ３／４を他のＣＧで構成)し、ＣＧごとにＤＡＩを適用
【０３９０】
この場合、ＵＥはＣＧごとに各々異なるＰＵＣＣＨを介してＨＡＲＱ−ＡＣＫを送信するか、又は１つのＰＵＣＣＨに(全てのＣＧに対する)ＨＡＲＱ−ＡＣＫを送信することができる。この時、ＣＧ基盤のＤＡＩ方法としては、上述した３.２.２.５.、３.２.２.６.、３.２.２.９.又は３.２.２.１０における方法のうちの１つが適用される。
【０３９１】
スロット又はＴＴＩ長さが長いＣＣとスロット又はＴＴＩ長さが短いＣＣが１つのＣＧで構成された場合、基地局及びＵＥは以下の方法によってＤＡＩを計算することができる。
【０３９２】
図３３及び図３４は本発明の一例によるＨＡＲＱ−ＡＣＫの送受信動作を支援するためのＤＡＩ算出例示を簡単に示す図である。
【０３９３】
一例として、図３３又は図３４のように、ＣＣ♯１及びＣＣ♯３のスロット長さがＣＣ♯２のスロット長さより長い場合、Ｓｌｏｔ♯Ａ及びＳｌｏｔ♯１／２に対するＨＡＲＱ−ＡＣＫ情報がいずれも同じＰＵＣＣＨに送信されることができる。この場合、基地局及びＵＥはｓｈｏｒｔ Ｓｌｏｔを基盤としてＤＡＩを計算するか(Ｏｐｔ Ａ)、ｌｏｎｇ Ｓｌｏｔを基盤としてＤＡＩを計算することができる(Ｏｐｔ Ｂ)。
【０３９４】
(１)Ｏｐｔ Ａ：図３３のように、基地局とＵＥはｓｈｏｒｔ ＳｌｏｔであるＳｌｏｔ♯１を基準としてＳｌｏｔ♯１が含まれたＣＣ♯１−>ＣＣ♯２−>ＣＣ♯３の順にまずＤＡＩをカウント(又は算出)した後、Ｓｌｏｔ♯２が含まれたＣＣ♯２に対するＤＡＩをカウント(又は算出)する。
【０３９５】
(２)Ｏｐｔ Ｂ:図３４のように、基地局とＵＥはｌｏｎｇ ＳｌｏｔであるＳｌｏｔ♯Ａを基準としてＳｌｏｔ♯Ａが含まれたＣＣ♯１−>ＣＣ♯２−>ＣＣ♯２−>ＣＣ♯３の順にＤＡＩをカウント(又は算出)する。
【０３９６】
３.３.２.４.ＣＧに分けず、全てのＣＣに対してＤＡＩを適用
【０３９７】
この場合、端末は１つのＰＵＣＣＨを介して全てのＨＡＲＱ−ＡＣＫを送信することができる。この時、ＨＡＲＱ−ＡＣＫ情報の構成方法としては、上述した３.２.２.１.、３.２.２.２.又は３.２.２.３.における方法を適用できる。
【０３９８】
この時、スロット又はＴＴＩ長さが長いＣＣとスロット又はＴＴＩ長さが短いＣＣが混じっているので、基地局及びＵＥがＤＡＩを計算する場合、上述した３.３.２.３.のようなＤＡＩカウント方法が必要である。従って上述したように、基地局及びＵＥはｓｈｏｒｔ Ｓｌｏｔを基盤としてＤＡＩを計算するか(Ｏｐｔ Ａ)、ｌｏｎｇ Ｓｌｏｔを基盤としてＤＡＩを計算することができる(Ｏｐｔ Ｂ)。
【０３９９】
３.４.特定のＮＡＣＫ Ｓｌｏｔに対するＣＢＧ ＡＣＫ／ＮＡＣＫの送信方法
【０４００】
図１９のように３つの設定されたＣＣがあり、３つのＣＣに対するＨＡＲＱ−ＡＣＫがＣＣ♯１上のＰＵＣＣＨに送信され、ＢＷ(Ｂｕｎｄｌｉｎｇ Ｗｉｎｄｏｗ)はＣＣ共通に２スロットであると仮定する。この時、各ＣＣに対して設定された最大ＣＢＧ数が１０つである場合、ＵＥがＣＣ♯１上に送信するＨＡＲＱ−ＡＣＫペイロードサイズは最大６０(＝３＊２＊１０)ビットである。
【０４０１】
この場合、ＵＣＩのオーバーヘッド減少のために、ＵＥは各スロットに対するＨＡＲＱ−ＡＣＫ情報として、まずＴＢを基盤としてＨＡＲＱ−ＡＣＫを報告し(即ち、特定のＴＢを構成するＴＢのうちの１つのＣＢでもＮＡＣＫであるとＮＡＣＫ、そうではないとＡＣＫを報告)、１番目のＮＡＣＫであるＴＢについてのみＣＢＧの各々に対するＨＡＣＫ−ＡＣＫ情報をフィードバックすることができる。
【０４０２】
具体的な例として、図１９のような状況において、[ＣＣ♯１ Ｓｌｏｔ♯Ｔ、ＣＣ♯２ Ｓｌｏｔ♯Ｔ、ＣＣ♯３ Ｓｌｏｔ♯Ｔ、ＣＣ♯１ Ｓｌｏｔ♯Ｔ＋１、ＣＣ♯２ Ｓｌｏｔ♯Ｔ＋１、ＣＣ♯３ Ｓｌｏｔ♯Ｔ＋１]で構成された６つのスロットに対応するＴＢ基盤のＡＣＫ／ＮＡＣＫ情報が[ＡＣＫ、ＡＣＫ、ＮＡＣＫ、ＮＡＣＫ、ＡＣＫ、ＡＣＫ]である場合、ＵＥは該当６ビットと共に最初のＮＡＣＫスロットであるＣＣ♯３ Ｓｌｏｔ♯Ｔに対応するＣＢＧごとのＡＣＫ／ＮＡＣＫ情報１０ビットを共に送信することにより、総１６ビットで構成されたＨＡＲＱ−ＡＣＫ情報を基地局にフィードバックすることができる。
【０４０３】
上記のような方法は、上記３.１.、３.２.及び３.３.に記載した様々な方法だけではなく、ＵＥがＣ−ＤＡＩを基盤として実際スケジューリングされたスロットに対応するＨＡＲＱ−ＡＣＫ情報を構成する場合により有用である。
【０４０４】
また上述した動作において、ＵＥがＣＢＧごとにＡＣＫ／ＮＡＣＫ情報を送信する特定のＮＡＣＫスロットは、１番目のＮＡＣＫスロット又は最後のＮＡＣＫスロットに設定されるか、予め設定されるか、又は(Ｌ１又は上位階層)シグナリングにより設定された特定のＮＡＣＫスロットである。
【０４０５】
３.５.追加ＨＡＲＱ−ＡＣＫの送受信方法
【０４０６】
上記の３.２.及び３.３.に記載した様々な方法において、ＵＥは１つのＣＣ上のＰＵＣＣＨに多数のＣＣに対応するＨＡＲＱ−ＡＣＫを送信することができる。この時、該当多数のＣＣがＣＧ(例：ＴＢ−ｂａｓｅｄ ＣＧとＣＢＧ−ｂａｓｅｄ ＣＧ)に分れる場合、ＣＧごとにＤＡＩが計算されるので、ＵＥは互いに異なるＰＵＣＣＨ上にＣＧごとのＨＡＲＱ−ＡＣＫを送信することができる。
【０４０７】
一例として、ＵＥは同じスロット内で２つのｌｏｎｇ ｄｕｒａｔｉｏｎ ＰＵＣＣＨ(又は２つの１−ｓｙｍｂｏｌ ＰＵＣＣＨ又は２つの２−ｓｙｍｂｏｌ ＰＵＣＣＨ又は互いに異なるフォーマットのＰＵＣＣＨ)を介して各々ＣＧごとのＨＡＲＱ−ＡＣＫ情報を送信することができる。この時、２つのＰＵＣＣＨはＴＤＭ(Ｔｉｍｅ Ｄｉｖｉｓｉｏｎ Ｍｕｌｔｉｐｌｅｘｉｎｇ)／ＦＤＭ(Ｆｒｅｑｕｅｎｃｙ Ｄｉｖｉｓｉｏｎ Ｍｕｌｔｉｐｌｅｘｉｎｇ)／ＣＤＭ(Ｃｏｄｅ Ｄｉｖｉｓｉｏｎ Ｍｕｌｔｉｐｌｅｘｉｎｇ)などの方法で多重化される。
【０４０８】
これにより、ＣＢＧ基盤の(ＤＬデータ)動作が可能な(ｃａｐａｂｌｅ)ＵＥは、同じスロット内のｍｕｌｔｉ−ＰＵＣＣＨ送信動作が予め必要な機能(ｐｒｅ−ｒｅｑｕｉｓｉｔｅ ｃａｐａｂｉｌｉｔｙ)として設定されることができる。即ち、同じスロット内のｍｕｌｔｉ−ＰＵＣＣＨ送信が可能なＵＥについてのみ基地局はＣＢＧ基盤の(ＤＬデータ)動作を設定することができる。
【０４０９】
上記提案した方法において、ＢＷ内に固定された(ｆｉｘｅｄ)ＵＬスロットが存在する場合、ＵＥは該当スロットを排除し、準−静的なコードブックに基づいてＨＡＲＱ−ＡＣＫコードブックを構成するように規定される。
【０４１０】
一例として、ネットワークは周期的にＲＡＣＨ(Ｒａｎｄｏｍ Ａｃｃｅｓｓ Ｃｈａｎｎｅｌ)送信又はスケジューリング要請(ｓｃｈｅｄｕｌｉｎｇ Ｒｅｑｕｅｓｔ)又はビーム回復(ｂｅａｍ ｒｅｃｏｖｅｒｙ)の用途にデフォルトＵＬ Ｓｌｏｔを予め設定することができる。よって特定のＰＵＣＣＨに対応するＢＷ内に上記のようなＵＬ Ｓｌｏｔが含まれる場合に限って、ＵＥは準−静的なコードブックが適用されても該当スロットを排除することによりコードブックのサイズを減らすことができる。
【０４１１】
又はＵＥは該当ＵＬ Ｓｌｏｔに対するＨＡＲＱ−ＡＣＫ情報を常にＮＡＣＫ(又はＤＴＸ)と処理して送信することができる。
【０４１２】
さらに、多重ビーム動作(ｍｕｌｔｉ−ｂｅａｍ ｏｐｅｒａｔｉｏｎ)によってＵＥが受信する基地局のビームインデックスが設定され、スロットごとの基地局のビームインデックスがシグナリングされる場合、ＵＥは受信しなくてもよい基地局の送信ビームインデックスに対応するスロット(説明の便宜上、‘ｂｅａｍ−ｍｉｓｍａｔｃｈ Ｓｌｏｔ’という)が生じることができる。
【０４１３】
よって、上述した方法において、ＢＷ内にｂｅａｍ−ｍｉｓｍａｔｃｈ Ｓｌｏｔが存在する場合、ＵＥは準−静的なコードブックを設定するにおいて該当スロットを排除してコードブックを構成するように規定される。又は、ＵＥは該当ｂｅａｍ−ｍｉｓｍａｔｃｈ Ｓｌｏｔに対するＨＡＲＱ−ＡＣＫ情報を常にＮＡＣＫ(又はＤＴＸ)と処理して送信することができる。
【０４１４】
上述した方法において基地局がＤＡＩ(又はＣ−ＤＡＩ又はＴ−ＤＡＩ)値をＤＣＩによりシグナリングするにおいて、シグナリングのオーバーヘッドを考慮して基地局はＤＡＩ値として特定の値(例：１６)にモジューロ演算が適用された値を指示するように設定されることができる。
【０４１５】
この時、ＤＡＩがＣＢＧ−ｌｅｖｅｌ ＤＡＩである場合、ＴＢ−ｌｅｖｅｌ ＤＡＩに比べてより多いビット幅が必要である。また、ＣＢＧ−ｌｅｖｅｌ ＤＡＩに対して設定されたＣＢＧ数が多いほどＤＡＩシグナリングのためのより多いビット幅が必要である(例：ＣＢＧが２つであれば、各ＤＡＩが３ビット、ＣＢＧが４つであれば、各ＤＡＩが４ビットで構成される)。
【０４１６】
またＵＥがＮ個(例：Ｎ＝４)のＤＣＩを連続して紛失(ｍｉｓｓｉｎｇ)する確率が薄いという仮定下で、ＤＡＩ値のビット幅は、Ｃｅｉｌｉｎｇ{ｌｏｇ２(Ｎ)}＋Ｃｅｉｌｉｎｇ{ｌｏｇ２(ｍａｘ ｏｆ(ｔｏｔａｌ Ｃｏｎｆｉｇｕｒｅｄ ＣＢＧ ｎｕｍｂｅｒ ｐｅｒ ＣＣ) ａｃｒｏｓｓ ＣＣｓ ｉｎ ａ ＰＵＣＣＨ ｃｅｌｌ ｇｒｏｕｐ)}ビット、又はＣｅｉｌｉｎｇ{ｌｏｇ２(Ｎ＊ｍａｘ ｏｆ(ｔｏｔａｌ Ｃｏｎｆｉｇｕｒｅｄ ＣＢＧ ｎｕｍｂｅｒ ｐｅｒ ＣＣ) ａｃｒｏｓｓ ＣＣｓ ｉｎ ａ ＰＵＣＣＨ ｃｅｌｌ ｇｒｏｕｐ)}ビットに設定されることができる。一例として、Ｎ＝４であり、ＣＣ♯１に設定された最大ＣＢＧ数が６つであり、ＣＣ♯２に設定された最大のＣＢＧ数が８つである時、このうちの最大値である８を基準としてＤＡＩのビット幅が５ビットに決定される。
【０４１７】
上述したように、ＣＢＧ−ｌｅｖｅｌ Ｃ−ＤＡＩ及びＴ−ＤＡＩを活用した動的なコードブック方法において、Ｃ−ＤＡＩとＴ−ＤＡＩの間のＣＢＧ数を指示する粒度(ｇｒａｎｕｌａｒｉｔｙ)が異なることができる。一例として、ＣＢＧ−ｌｅｖｅｌ Ｃ−ＤＡＩ値はＣＢＧ数がＫ個(例：Ｋ＝１)増加するたびに１ずつ増加し、ＣＢＧ−ｌｅｖｅｌ Ｔ−ＤＡＩ値はＣＢＧ数がＭ(例：Ｍ＞Ｋ、ここでＭ＝４)増加するたびに１ずつ増加する。
【０４１８】
この場合、Ｃ−ＤＡＩをシグナリングするビット幅はＴ−ＤＡＩをシグナリングするビット幅より大きく、その差はＭ／Ｋの関数で決定される。具体的には、Ｋ＝１であれば、ＵＥがＮ個(例：Ｎ＝４)のＤＣＩを連続して紛失(ｍｉｓｓｉｎｇ)する確率が薄いという仮定下で、Ｃ−ＤＡＩ値のビット幅は、Ｃｅｉｌｉｎｇ{ｌｏｇ２(Ｎ)}＋Ｃｅｉｌｉｎｇ{ｌｏｇ２(ｍａｘ ｏｆ(ｔｏｔａｌ Ｃｏｎｆｉｇｕｒｅｄ ＣＢＧ ｎｕｍｂｅｒ ｐｅｒ ＣＣ) ａｃｒｏｓｓ ＣＣｓ ｉｎ ａ ＰＵＣＣＨ ｃｅｌｌ ｇｒｏｕｐ)}ビット、又はＣｅｉｌｉｎｇ{ｌｏｇ２(Ｎ＊ｍａｘ ｏｆ(ｔｏｔａｌ Ｃｏｎｆｉｇｕｒｅｄ ＣＢＧ ｎｕｍｂｅｒ ｐｅｒ ＣＣ) ａｃｒｏｓｓ ＣＣｓ ｉｎ ａ ＰＵＣＣＨ ｃｅｌｌ ｇｒｏｕｐ)}ビットに設定され、Ｔ−ＤＡＩ値のビット幅は、Ｃｅｉｌｉｎｇ{ｌｏｇ２(Ｎ)}＋Ｃｅｉｌｉｎｇ{ｌｏｇ２(ｍａｘ ｏｆ(ｔｏｔａｌ Ｃｏｎｆｉｇｕｒｅｄ ＣＢＧ ｎｕｍｂｅｒ ｐｅｒ ＣＣ)ａｃｒｏｓｓ ＣＣｓ ｉｎ ａ ＰＵＣＣＨ ｃｅｌｌ ｇｒｏｕｐ)−ｌｏｇ２(Ｍ)}ビット、又はＣｅｉｌｉｎｇ{ｌｏｇ２(Ｎ＊ｍａｘ ｏｆ(ｔｏｔａｌ Ｃｏｎｆｉｇｕｒｅｄ ＣＢＧ ｎｕｍｂｅｒ ｐｅｒ ＣＣ)ａｃｒｏｓｓ ＣＣｓ ｉｎ ａ ＰＵＣＣＨ ｃｅｌｌ ｇｒｏｕｐ)−ｌｏｇ２(Ｍ)}ビットに設定される。
【０４１９】
ここで、Ｎ＝４、Ｋ＝１、Ｍ＝４であり、ＣＣに設定された最大のＣＢＧ数が８つである場合、Ｃ−ＤＡＩフィールドは５ビット、Ｔ−ＤＡＩフィールドは３ビット(＝２＋ｌｏｇ２(８)−ｌｏｇ２(４))である。
【０４２０】
この場合、ＨＡＲＱ−ＡＣＫのコードブックサイズはＴ−ＤＡＩに相応する粒度(ｇｒａｎｕｌａｒｉｔｙ)で構成される。これにより、ＵＥは受信したＣ−ＤＡＩが指示するＤＡＩ値のうち、Ｔ−ＤＡＩ値を除いた残りのＤＡＩ値に対応するＨＡＲＱ−ＡＣＫをＮＡＣＫと処理することができる。一例として、ＵＥにＴ−ＤＡＩ値として８がシグナリングされ(Ｍ＝４であるので)、Ｃ−ＤＡＩ値として６がシグナリングされた場合(Ｋ＝１であるので)、ＵＥは８ビットのコードブックを構成し、Ｃ−ＤＡＩ＝７,８に対応するＨＡＲＱ−ＡＣＫをＮＡＣＫにマッピングして送信することができる。
【０４２１】
上述したように、準−静的なコードブックのＨＡＲＱ−ＡＣＫペイロードサイズは、設定されたＣＣ数、各ＣＣごとのＢＷサイズ及び設定されたＣＢＧ数などにより決定される。この時、ＵＥに動的なコードブックが上位階層シグナリング(例：ＲＲＣシグナリング)により設定されていても、ＵＥがフィードバックするように指示されたＨＡＲＱ−ＡＣＫペイロードサイズが準−静的なコードブックが設定される時の(最大)ＨＡＲＱ−ＡＣＫペイロードサイズより大きい場合に限って、ＵＥは準−静的なコードブックサイズでＨＡＲＱ−ＡＣＫをフィードバックするように規定される。
【０４２２】
図３５は本発明によるＨＡＲＱ−ＡＣＫの送受信動作を簡単に示す図である。
【０４２３】
図３５に示したように、ＣＢＧが設定されていないＣＣ♯１と４つのＣＢＧが設定されたＣＣ♯２の間のＣＡ(Ｃａｒｒｉｅｒ Ａｇｇｒｅｇａｔｉｏｎ)状況において、ＵＥがＳｌｏｔ♯Ｔ＋９で送信するＨＡＲＱ−ＡＣＫに対応するＢＷはＳｌｏｔ♯ＴからＴ＋３まで４スロットに設定されることができる。この場合、準−静的なコードブックが設定される場合、ＵＥがＳｌｏｔ♯Ｔ＋９で送信するＨＡＲＱ−ＡＣＫペイロードサイズは最大２０ビットで構成される。 
【０４２４】
反面、図３５の例示について３.２.２.１.における方法(即ち、ＴＢ−ｌｅｖｅｌ Ｃ−ＤＡＩとＴＢ−ｌｅｖｅｌ Ｔ−ＤＡＩが適用される方法)が適用される場合、ＵＥがＳｌｏｔ♯Ｔ＋９で送信するＨＡＲＱ−ＡＣＫ情報は総２４ビットで構成される。 
【０４２５】
基地局の実際スケジューリング有無によって適応的にＵＥがＨＡＲＱ−ＡＣＫ情報をフィードバックするように動的なコードブックを設定しても、ＴＢ−ｌｅｖｅｌ ＤＡＩの非効率性によって(図３５の例示のように)準−静的なコードブックよりもＨＡＲＱ−ＡＣＫペイロードサイズが大きくなることができる。かかる場合、ＵＥが準−静的なコードブックにより全てのスロットに対応するＨＡＲＱ−ＡＣＫ情報を送信することが却って効率的である。
【０４２６】
従って、図３５のような場合、動的なコードブックを構成するように設定されてもＵＥは２０ビットの準−静的なコードブックを構成してＨＡＲＱ−ＡＣＫ情報を送信することができる。
【０４２７】
ＵＥが動的なコードブックに基づいてＨＡＲＱ−ＡＣＫ情報をフィードバックする場合、ＨＡＲＱ−ＡＣＫビットのマッピング順序はＣ−ＤＡＩ順であるが、上記提案した方法のように動的なコードブックが設定されたＵＥが準−静的なコードブックにフォールバックする場合は、ＵＥはＤＡＩ順ではない(準−静的なコードブック用途に予め決められた)ＣＣインデックス順、スロットインデックス順を基準としてＡＣＫ／ＮＡＣＫペイロードを構成(Ａ／Ｎビットをマッピング)することができる。
【０４２８】
このような動作を支援するために、準−静的なコードブックと動的なコードブックの間の(Ｔ−ＤＡＩによる)ペイロードサイズ基盤の暗示的なスイッチング(ｉｍｐｌｉｃｉｔ ｓｗｉｔｃｈｉｎｇ)方法やＬ１シグナリング基盤の明示的なスイッチング(ｅｘｐｌｉｃｉｔ ｓｗｉｔｃｈｉｎｇ)方法が設定されることができる。
【０４２９】
即ち、基地局はＬ１シグナリング(例：ＤＬ ａｓｓｉｇｎｍｅｎｔ、ＵＬ ｇｒａｎｔ)により準−静的なコードブックであるか又は動的なコードブックであるかをＵＥに指示することができる。特徴的には、基地局はＤＬ割り当て上のＴ−ＤＡＩ(又はＵＬグラント上のＤＡＩフィールド)の特定のコードポイントにより準−静的なコードブックの適用有無を指示することができる。これにより、ＵＥ及び基地局は上記のような準−静的なコードブックと動的なコードブックの間の暗示的又は明示的なスイッチングに基づいてＨＡＲＱ−ＡＣＫペイロードサイズ(ＤＬ ａｓｓｉｇｎｍｅｎｔの場合はＰＵＣＣＨに含まれるＨＡＲＱ−ＡＣＫペイロードサイズ、ＵＬグラントである場合はＰＵＳＣＨに含まれるＨＡＲＱ−ＡＣＫペイロードサイズ)を構成／送信及び検出／受信するように動作／設定することができる。
【０４３０】
上記方法は３.２.２.１.に記載した方法だけではなく、全ての動的なコードブックに対して提案された方法(例：ＣＢＧが設定されたにもかかわらずＴＢ−ｌｅｖｅｌ ＤＡＩを活用する場合、２ＴＢが設定された場合、該当ＣＣより多いＣＢＧ数が設定されたＣＣとＣＧが構成された場合など)にも拡張適用できる。
【０４３１】
ＣＢＧ (ｒｅ)ｔｒａｎｓｍｉｓｓｉｏｎが設定される場合、ＣＡ状況でＵＥが動的なコードブックを構成するにおいて、上述した３.２.２.２.でのようにＣＢＧ−ｌｅｖｅｌ ＤＡＩが活用されることができる。但し、ｎｏｎ−ＣＡの状況(即ち、シングルＣＣの状況)である場合には、上述した３.１.２.１.でのようにＴＢ−ｌｅｖｅｌ(又はＳｌｏｔ−ｌｅｖｅｌ又はＰＤＳＣＨ−ｌｅｖｅｌ)ＤＡＩが活用される。
【０４３２】
上記３.１.２.、３.２.２.、３.３.２.などで提案したように、ＵＥが動的なコードブックを活用してＨＡＲＱ−ＡＣＫフィードバックを行うにおいて、ＵＥがＨＡＲＱ−ＡＣＫペイロードサイズ(又はＨＡＲＱ−ＡＣＫコードブックサイズ)を決定(又は構成又は送信)するとは、実際ＨＡＲＱ−ＡＣＫビット列のチャネルエンコーダー(ｃｈａｎｎｅｌ ｅｎｃｏｄｅｒ)に対する入力サイズを決定することを意味する。また、Ｐｏｌａｒ ｃｏｄｅやＲＭ(Ｒｅｅｄ−Ｍｕｌｌｅｒ) ｃｏｄｅのようにエンコーディングの入力端における入力ビットの位置によって該当入力ビット受信の信頼度が変化するエンコーディング方式が使用される場合、ＵＥがＨＡＲＱ−ＡＣＫペイロードサイズ(又はＨＡＲＱ−ＡＣＫコードブックのサイズ)を決定(又は構成又は送信)するとは、準−静的に固定された実際エンコーディング入力ビットのうち、ＨＡＲＱ−ＡＣＫペイロードサイズ(又はＨＡＲＱ−ＡＣＫコードブックのサイズ)に属するＨＡＲＱ−ＡＣＫビットをｒｅｌｉａｂｌｅした位置に置いてエンコーディングを行うことを意味する。
【０４３３】
上述したように、同一の１つのＨＡＲＱ−ＡＣＫタイミングにリンクされたＮ個の複数スロットが存在する場合、本発明ではＮ個のスロットをｂｕｎｄｌｉｎｇ ｗｉｎｄｏｗ(ＢＷ)と定義する。この時、(準−静的なコードブックの時)ＢＷ値は以下のように設定される。より具体的には、ＢＷ値(ｐｅｒ ＣＣ)は設定されたＰＤＣＣＨ ｍｏｎｉｔｏｒｉｎｇ ｐｅｒｉｏｄｉｃｉｔｙ(便宜上、ＭＰという。スロット単位であることができる)、設定された(最大)ＨＡＲＱ ｐｒｏｃｅｓｓ ＩＤの個数(便宜上、Ｃｏｎｆ_ＨＡＲＱという)、及びＫ１(ＰＤＳＣＨから対応するＰＵＣＣＨ送信スロットまでのスロット間隔、一部の候補が基地局から設定され、そのうちの１つがＤＣＩにより指示される)など(のうち一部又は全部)により決定される。
【０４３４】
一例として、ＢＷ値は以下のように決定される。
【０４３５】
[数１]
ＢＷ＝Ｍｉｎ{ｆｌｏｏｒ(Ａ／Ｂ) ｏｒ ｃｅｉｌｉｎｇ(Ａ／Ｂ)、Ｃｏｎｆ_ＨＡＲＱ}
【０４３６】
ここで、Ａ値はＴ＊Ｋ１ｇ又はＫ１ｍａｘ−Ｋ１ｍｉｎに設定される。この時、Ｋ１ｇはＫ１の粒度(ｇｒａｎｕｌａｒｉｔｙ)に対応する値であり、Ｋ１が２スロット間隔に設定されると、Ｋ１ｇ＝２である。また、Ｋ１ｍａｘは設定されたＫ１値のうちの最大値を意味し、Ｋ１ｍｉｎは設定されたＫ１値のうちの最小値を意味する。また、Ｔは設定されたＫ１値の個数を意味する。一例として、Ｔ＝８である。
【０４３７】
またＢ値はＬＣＭ(ＭＰ、Ｋ１ｇ)又はＭＰに設定される。この時、ＬＣＭ(ａ,ｂ)とは、ａとｂの最小倍数を意味する。
【０４３８】
上記式による時、各々の例示ごとのＢＷは以下のように設定される。
【０４３９】
例１)Ｔ＝８、ＭＰ＝１、Ｋ１ｇ＝１、Ｃｏｎｆ_ＨＡＲＱ＝６、−>ＢＷ＝６
【０４４０】
例２)Ｔ＝８、ＭＰ＝２、Ｋ１ｇ＝１、Ｃｏｎｆ_ＨＡＲＱ＝６、−>ＢＷ＝４
【０４４１】
例３)Ｔ＝８、ＭＰ＝１、Ｋ１ｇ＝２、Ｃｏｎｆ_ＨＡＲＱ＝６、−>ＢＷ＝６
【０４４２】
例４)Ｔ＝８、ＭＰ＝２、Ｋ１ｇ＝２、Ｃｏｎｆ_ＨＡＲＱ＝６、−>ＢＷ＝６
【０４４３】
特に、ＢＷ＝Ｃｏｎｆ_ＨＡＲＱである場合、ＵＥは準−静的なコードブックを構成するにおいて、ＤＡＩの順又はＨＡＲＱプロセスインデックスの順にＨＡＲＱ−ＡＣＫをマッピングすることができる。
【０４４４】
他の例として、ＢＷとＣｏｎｆ_ＨＡＲＱが異なる場合は、ＵＥはＤＡＩの順又はスロット(及びＣＣ)インデックスの順に準−静的なコードブックを構成することができる。
【０４４５】
さらに、本発明が適用可能なＮＲシステムにおい、ＵＣＩペイロードサイズによってＵＣＩペイロードがＫ個の区間に区分され(例：１≦Ｋ≦４、Ｋは基地局により指示／設定できる)、各区間ごとにＰＵＣＣＨリソースセットが設定され、１つのＰＵＣＣＨリソースセット内にはＮ個(例：４≦Ｎ≦８或いは１６、Ｎは基地局により指示／設定できる)のＰＵＣＣＨリソースが設定される。
【０４４６】
これにより、ＵＥが特定のスロットでＰＵＣＣＨを送信するにおいて、ＵＥはＵＣＩペイロードサイズによってＰＵＣＣＨリソースセットを決定し、ＤＬ割り当て(及びＤＬ ｃｏｎｔｒｏｌのリソース情報との結合)により実際に送信するＰＵＣＣＨリソース(例：シンボルインデックス／数、周波数リソース、コードドメインリソースなど)を決定することができる。
【０４４７】
具体的な例として、ＵＣＩペイロードサイズの区間は[Ｎ_ｉ、Ｎ_(ｉ＋１)−１]に設定されることができる。ここで、ｉ値はｉ＝０,１,…Ｋ−１である。この時、特定のＮ_ｉは予め定義され、他のＮ_ｉ値は基地局からシグナリングされる。一例として、Ｎ_０＝１、Ｎ_１＝３に予め定義され、Ｎ_ｉ(ｉ＝２,…,Ｋ−１)は基地局から設定される。この時、Ｎ_Ｋ値は以下のように設定される。
【０４４８】
−Ｏｐｔ １：Ｋ番目のセット内に構成されたＰＵＣＣＨリソースのうち、該当リソースに割り当てられた実際(最大)のＲＥ量及び該当リソースに対応するＰＵＣＣＨフォーマットに設定された最大の符号化率(ｍａｘ ｃｏｄｉｎｇ ｒａｔｅ)を適用した時に送信可能な最大のＵＣＩペイロードサイズ
【０４４９】
−Ｏｐｔ ２：Ｋ番目のセット内に構成されたＰＵＣＣＨフォーマットのうち、該当フォーマットにできる限り最大のＲＥ量(即ち、ＮＲシステムにおいて該当ＰＵＣＣＨフォーマット用として割り当て可能な最大のＲＥ数)及び最大の符号化率(ｍａｘ ｃｏｄｉｎｇ ｒａｔｅ)を適用した時に可能な最大のペイロードサイズ
【０４５０】
３.６.ＨＡＲＱ−ＡＣＫコードブックのサイズ決定方法
【０４５１】
本発明で提案するＨＡＲＱ−ＡＣＫコードブックのサイズ決定方法に関する説明に先立って、本発明で活用する用語を定義すると、以下の通りである。
【０４５２】
−ＢＷ(ｂｕｎｄｌｉｎｇ ｗｉｎｄｏｗ)：同一の１つのＨＡＲＱ−ＡＣＫ送信タイミングにリンクされた(ＰＤＣＣＨ／ＰＤＳＣＨがスケジューリング／送信可能な)複数のスロット(或いは時間ユニット)の集合
【０４５３】
−ＢＷ ｓｉｚｅ：１つのＢＷに属する(ＰＤＣＣＨ／ＰＤＳＣＨスケジューリング／送信可能)スロット(或いは時間ユニット)の数
【０４５４】
−ＨＡＲＱ ｎｕｍ：ＵＥに設定された最大のＤＬ ＨＡＲＱプロセスの数
【０４５５】
−Ａ／Ｎ ｓｉｚｅ:１つのＢＷに対応するＨＡＲＱ−ＡＣＫフィードバックの対象となる最大のＰＤＣＣＨ／ＰＤＳＣＨの数
【０４５６】
３.６.１.準−静的なコードブの場合
【０４５７】
Ａ／Ｎ ｓｉｚｅはｍｉｎ{ＢＷ ｓｉｚｅ、ＨＡＲＱ ｎｕｍ}に設定される。
【０４５８】
この時、Ａ／Ｎ ｓｉｚｅ＝ＢＷ ｓｉｚｅである場合、ＨＡＲＱ−ＡＣＫペイロードを構成するＡＣＫ／ＮＡＣＫビットはスロット(或いは時間ユニット)インデックス順によってｏｒｄｅｒｉｎｇされる。
【０４５９】
またＡ／Ｎ ｓｉｚｅ＝ＨＡＲＱ ｎｕｍである場合、ＨＡＲＱ−ＡＣＫペイロードを構成するＡＣＫ／ＮＡＣＫビットはＨＡＲＱプロセスのＩＤインデックス順によってｏｒｄｅｒｉｎｇされる。
【０４６０】
ＣＡ状況において、このようなＡ／Ｎ ｓｉｚｅは各ＣＣごとに適用される。一例として、該当ＣＣに設定されたＢＷ ｓｉｚｅとＨＡＲＱ ｎｕｍの間の大小関係を比較することにより該当ＣＣのＡ／Ｎ ｓｉｚｅが決定される。
【０４６１】
３.６.２.動的なコードブックの場合
【０４６２】
Ａ／Ｎ ｓｉｚｅはｍｉｎ{ｄＣＢ ｓｉｚｅ、ｓＣＢ ｓｉｚｅ}に設定される。ここで、ｄＣＢ ｓｉｚｅとは、ＤＬ ｓｃｈｅｄｕｌｉｎｇ ＤＣＩにより指示されるｔｏｔａｌＤＡＩ値から算出されるＡ／Ｎ ｓｉｚｅを意味する。また、ｓＣＢ ｓｉｚｅは(同一のＢＷについて)準−静的なコードブックの適用を仮定した時の(３.５.１.の方法に基づいて決定される)Ａ／Ｎ ｓｉｚｅを意味する。
【０４６３】
この時、Ａ／Ｎ ｓｉｚｅ＝ｄＣＢ ｓｉｚｅである場合、ＨＡＲＱ−ＡＣＫペイロードを構成するＡＣＫ／ＮＡＣＫビットは(ＤＬ ｓｃｈｅｄｕｌｉｎｇ ＤＣＩにより指示される)ｃｏｕｎｔｅｒ−ＤＡＩ値の順によってｏｒｄｅｒｉｎｇされる。
【０４６４】
またＡ／Ｎ ｓｉｚｅ＝ｓＣＢ ｓｉｚｅである場合、ＨＡＲＱ−ＡＣＫペイロードを構成するＡＣＫ／ＮＡＣＫビットはスロット(或いは時間ユニット)インデックス順(又は３.５.１.における方法)によってｏｒｄｅｒｉｎｇされる。
【０４６５】
図３６は本発明の一例による端末の確認応答情報の送信方法を示す流れ図である。
【０４６６】
無線通信システムにおいて、端末が基地局に確認応答情報を送信する方法において、
【０４６７】
まず、端末はコードブロックグループ(Ｃｏｄｅ Ｂｌｏｃｋ Ｇｒｏｕｐ；ＣＢＧ)単位の信号受信が設定される。この時、設定情報は基地局から送信される上位階層シグナリング(例：ＲＲＣシグナリング)により受信される。
【０４６８】
このようにＣＢＧ単位の信号受信が設定された端末は、基地局から送信ブロック(Ｔｒａｎｓｍｉｓｓｉｏｎ Ｂｌｏｃｋ；ＴＢ)単位の下りリンクデータをスケジューリングするする下りリンク制御情報(Ｄｏｗｎｌｉｎｋ Ｃｏｎｔｒｏｌ Ｉｎｆｏｒｍａｔｉｏｎ；ＤＣＩ)を受信することができる(Ｓ３６１０)。
【０４６９】
次いで端末はＤＣＩによりスケジューリングされる下りリンクデータの受信有無(例：デコーディング成功有無)を決定する(Ｓ３６２０)。
【０４７０】
もし端末がＤＣＩによりスケジューリングされる下りリンクデータのデコーディングに成功した場合、端末は下りリンクデータに対するＴＢ単位の確認応答情報としてＡＣＫ情報を所定のＣＢＧ数だけ繰り返して基地局に送信することができる(Ｓ３６３０)。又は、端末がＤＣＩによりスケジューリングされる下りリンクデータのデコーディングに失敗した場合は、端末は下りリンクデータに対するＴＢ単位の確認応答情報としてＮＡＣＫ情報を所定のＣＢＧ数だけ繰り返して基地局に送信することができる(Ｓ３６４０)。
【０４７１】
この時、端末は基地局により準−静的コードブック方法に基づいて生成された確認応答情報を送信するように設定される。
【０４７２】
また端末はＤＣＩを共通検索領域を介して受信することができる。
【０４７３】
上述した構成において、下りリンクデータは物理下りリンク共有チャネル(Ｐｈｙｓｉｃａｌ Ｄｏｗｎｌｉｎｋ Ｓｈａｒｅｄ Ｃｈａｎｎｅｌ；ＰＤＳＣＨ)を介して受信される。
【０４７４】
図３７は本発明の他の例による端末の確認応答情報の送信方法を示す流れ図である。
【０４７５】
本発明による端末はコードブロックグループ(Ｃｏｄｅ Ｂｌｏｃｋ Ｇｒｏｕｐ；ＣＢＧ)単位の信号送信が設定された１つ以上の第１セルを介して送信される１つ以上の第１下りリンクデータに対するＣＢＧ単位の第１確認応答情報を生成できる(Ｓ３７１０)。また、端末は送信ブロック(Ｔｒａｎｓｍｉｓｓｉｏｎ Ｂｌｏｃｋ；ＴＢ)単位の信号送信が設定された１つ以上の第２セルを介して送信される１つ以上の第２下りリンクデータに対するＴＢ単位の第２確認応答情報を生成することができる(Ｓ３７２０)。
【０４７６】
この時、Ｓ３７１０及びＳ３７２０段階の第１／第２確認応答情報の生成は同時に行われるか、又は時系列的に行われる。
【０４７７】
次いで、端末は第１確認応答情報と第２確認応答情報が結合された確認応答情報を基地局に送信する(Ｓ３７３０)。
【０４７８】
ここで、第１セルが複数個である場合、端末は第１確認応答情報を複数個の第１セルに対して設定されたＣＢＧ数のうちの最大のＣＢＧ数に基づいて生成する。
【０４７９】
より具体的には、第１下りリンクデータが複数個である場合、端末は第１下りリンクデータごとに最大のＣＢＧ数に基づいて生成されたＣＢＧ単位の第３確認応答情報を含むように第１確認応答情報を生成する。
【０４８０】
この場合、端末は基地局により動的なコードブック方法に基づいて生成された確認応答情報を送信するように設定される。
【０４８１】
また端末は１つ以上の第１下りリンクデータをスケジューリングするする第１下りリンク制御情報(Ｄｏｗｎｌｉｎｋ Ｃｏｎｔｒｏｌ Ｉｎｆｏｒｍａｔｉｏｎ；ＤＣＩ)及び１つ以上の第２下りリンクデータをスケジューリングするする第２ＤＣＩを受信することができる。この時、第１ＤＣＩに含まれた第１ＤＡＩ(Ｄｏｗｎｌｉｎｋ Ａｓｓｉｇｎｍｅｎｔ Ｉｎｄｅｘ)と第２ＤＣＩに含まれた第２ＤＡＩは個々にカウントされる。
【０４８２】
より具体的には、第１ＤＡＩはＣＢＧ単位のＤＡＩであり、第２ＤＡＩはＴＢ単位のＤＡＩである。
【０４８３】
この時、第１ＤＡＩ及び第２ＤＡＩはいずれもＴＢ単位のＤＡＩに対応する。
【０４８４】
又は第１ＤＣＩ及び第２ＤＣＩはいずれも第１ＤＡＩに対する総合ＤＡＩ(Ｔｏｔａｌ ＤＡＩ)及び第２ＤＡＩに対する総合ＤＡＩ(Ｔｏｔａｌ ＤＡＩ)を含む。
【０４８５】
上述した構成において、確認応答情報はＨＡＲＱ(Ｈｙｂｒｉｄ Ａｕｔｏｍａｔｉｃ Ｒｅｐｅａｔ ｒｅＱｕｅｓｔ)ＡＣＫ／ＮＡＣＫ情報に対応する。
【０４８６】
上述した提案方式に対する一例も本発明の具現方法の１つとして含まれてもよく、一種の提案方式と見なし得ることは明白な事実である。また、上述した提案方式は独立して具現されてもよく、一部の提案方式の組合せ（又は、併合）の形態で具現されてもよい。上記提案方法適用の有無に関する情報（又は、上記提案方法の規則に関する情報）は、基地局が端末に事前に定義されたシグナル（例えば、物理層シグナル又は上位層シグナル）で知らせるように規則が定義されてもよい。
【０４８７】
４．装置構成
【０４８８】
図３８は提案する実施例を具現できる端末及び基地局の構成を示す図である。図３８に示した端末及び基地局は、上述した端末と基地局の間で確認応答情報の送受信方法の実施例を具現するように動作する。
【０４８９】
端末(ＵＥ：Ｕｓｅｒ Ｅｑｕｉｐｍｅｎｔ)１は、上りリンクでは送信端として動作し、下りリンクでは受信端として動作することができる。また、基地局(ｅＮＢ：ｅ−Ｎｏｄｅ Ｂ又はｇＮＢ：ｎｅｗ ｇｅｎｅｒａｔｉｏｎ ＮｏｄｅＢ)１００は、上りリンクでは受信端として動作し、下りリンクでは送信端として動作することができる。
【０４９０】
即ち、端末及び基地局は、情報、データ及び／又はメッセージの送信及び受信を制御するためにそれぞれ、送信器(Ｔｒａｎｓｍｉｔｔｅｒ)１０，１１０及び受信器(Ｒｅｃｅｉｖｅｒ)２０，１２０を含むことができ、情報、データ及び／又はメッセージを送受信するためのアンテナ３０，１３０などを含むことができる。
【０４９１】
また、端末及び基地局はそれぞれ、上述した本発明の実施例を行うためのプロセッサ(Ｐｒｏｃｅｓｓｏｒ)４０，１４０、及びプロセッサの処理過程を臨時的に又は持続的に記憶できるメモリ５０，１５０を含むことができる。
【０４９２】
上記のように構成された端末及び基地局は以下のように動作する。
【０４９３】
本発明に適用可能な一例によれば、コードブロックグループ(Ｃｏｄｅ Ｂｌｏｃｋ Ｇｒｏｕｐ；ＣＢＧ)単位の信号受信が設定された端末１は、受信器２０を介して基地局１００から送信ブロック(Ｔｒａｎｓｍｉｓｓｉｏｎ Ｂｌｏｃｋ；ＴＢ)単位の下りリンクデータをスケジューリングする下りリンク制御情報(Ｄｏｗｎｌｉｎｋ Ｃｏｎｔｒｏｌ Ｉｎｆｏｒｍａｔｉｏｎ；ＤＣＩ)を受信することができる。次いで、端末１は送信器１０を介して下りリンクデータのデコーディング成功有無に対応するＴＢ単位の確認応答情報を所定のＣＢＧ数だけ繰り返して基地局１００に送信することができる。
【０４９４】
これに対応して、基地局１００は送信器１１０を介してコードブロックグループ(Ｃｏｄｅ Ｂｌｏｃｋ Ｇｒｏｕｐ；ＣＢＧ)単位の信号受信が設定された端末１に送信ブロック(Ｔｒａｎｓｍｉｓｓｉｏｎ Ｂｌｏｃｋ；ＴＢ)単位の下りリンクデータをスケジューリングする下りリンク制御情報(Ｄｏｗｎｌｉｎｋ Ｃｏｎｔｒｏｌ Ｉｎｆｏｒｍａｔｉｏｎ；ＤＣＩ)を送信することができる。次いで、基地局１００は受信器１２０を介して所定のＣＢＧ数だけ繰り返して送信される下りリンクデータに対するＴＢ単位の確認応答情報を端末１から受信することができる。
【０４９５】
本発明に適用可能な他の例によれば、端末１はプロセッサ４０を介してコードブロックグループ(Ｃｏｄｅ Ｂｌｏｃｋ Ｇｒｏｕｐ；ＣＢＧ)単位の信号送信が設定された１つ以上の第１セルを介して送信される１つ以上の第１下りリンクデータに対するＣＢＧ単位の第１確認応答情報を生成し、送信ブロック(Ｔｒａｎｓｍｉｓｓｉｏｎ Ｂｌｏｃｋ；ＴＢ)単位の信号送信が設定された１つ以上の第２セルを介して送信される１つ以上の第２下りリンクデータに対するＴＢ単位の第２確認応答情報を生成することができる。次いで、端末１は送信器１０を介して第１確認応答情報及び第２確認応答情報が結合された確認応答情報を基地局１００に送信することができる。
【０４９６】
これに対応して、基地局１００は送信器１１０を介してコードブロックグループ(Ｃｏｄｅ Ｂｌｏｃｋ Ｇｒｏｕｐ；ＣＢＧ)単位の信号送信が設定された１つ以上の第１セルを介して１つ以上の第１下りリンクデータを送信し、送信ブロック(Ｔｒａｎｓｍｉｓｓｉｏｎ Ｂｌｏｃｋ；ＴＢ)単位の信号送信が設定された１つ以上の第２セルを介して１つ以上の第２下りリンクデータを送信することができる。次いで、基地局１００は受信器１２０を介して端末１から１つ以上の第１下りリンクデータに対するＣＢＧ単位の第１確認応答情報及び１つ以上の第２下りリンクデータに対するＴＢ単位の第２確認応答情報が結合された確認応答情報を受信することができる。
【０４９７】
端末及び基地局に含まれた送信器及び受信器は、データ送信のためのパケット変復調機能、高速パケットチャネルコーディング機能、直交周波数分割多重接続(ＯＦＤＭＡ：Ｏｒｔｈｏｇｏｎａｌ Ｆｒｅｑｕｅｎｃｙ Ｄｉｖｉｓｉｏｎ Ｍｕｌｔｉｐｌｅ Ａｃｃｅｓｓ)パケットスケジューリング、時分割デュプレックス(ＴＤＤ：Ｔｉｍｅ Ｄｉｖｉｓｉｏｎ Ｄｕｐｌｅｘ)パケットスケジューリング及び／又はチャネル多重化機能を有することができる。また、図３８の端末及び基地局は、低電力ＲＦ(Ｒａｄｉｏ Ｆｒｅｑｕｅｎｃｙ)／ＩＦ(Ｉｎｔｅｒｍｅｄｉａｔｅ Ｆｒｅｑｕｅｎｃｙ)ユニットをさらに含むことができる。
【０４９８】
一方、本発明において端末として、個人携帯端末機(ＰＤＡ：Ｐｅｒｓｏｎａｌ Ｄｉｇｉｔａｌ Ａｓｓｉｓｔａｎｔ)、セルラーフォン、個人通信サービス(ＰＣＳ：Ｐｅｒｓｏｎａｌ Ｃｏｍｍｕｎｉｃａｔｉｏｎ Ｓｅｒｖｉｃｅ)フォン、ＧＳＭ(Ｇｌｏｂａｌ Ｓｙｓｔｅｍ ｆｏｒ Ｍｏｂｉｌｅ)フォン、ＷＣＤＭＡ(Ｗｉｄｅｂａｎｄ ＣＤＭＡ)フォン、ＭＢＳ(Ｍｏｂｉｌｅ Ｂｒｏａｄｂａｎｄ Ｓｙｓｔｅｍ)フォン、ハンドヘルドＰＣ(Ｈａｎｄ−Ｈｅｌｄ ＰＣ)、ノートＰＣ、スマート(Ｓｍａｒｔ)フォン、又はマルチモードマルチバンド(ＭＭ−ＭＢ：Ｍｕｌｔｉ Ｍｏｄｅ−Ｍｕｌｔｉ Ｂａｎｄ)端末機などを用いることができる。
【０４９９】
ここで、スマートフォンとは、移動通信端末機と個人携帯端末機の長所を混合した端末機であり、移動通信端末機に、個人携帯端末機の機能である日程管理、ファクシミリ送受信、及びインターネット接続などのデータ通信機能を統合した端末機を意味することができる。また、マルチモードマルチバンド端末機とは、マルチモデムチップを内蔵して携帯インターネットシステム及び他の移動通信システム(例えば、ＣＤＭＡ(Ｃｏｄｅ Ｄｉｖｉｓｉｏｎ Ｍｕｌｔｉｐｌｅ Ａｃｃｅｓｓ)２０００システム、ＷＣＤＭＡ(Ｗｉｄｅｂａｎｄ ＣＤＭＡ)システムなど)のいずれにおいても作動し得る端末機のことを指す。
【０５００】
本発明の実施例は、様々な手段によって具現することができる。例えば、本発明の実施例は、ハードウェア、ファームウェア(ｆｉｒｍｗａｒｅ)、ソフトウェア、又はそれらの結合などによって具現することができる。
【０５０１】
ハードウェアによる具現の場合、本発明の実施例による方法は、１つ又はそれ以上のＡＳＩＣ(ａｐｐｌｉｃａｔｉｏｎ ｓｐｅｃｉｆｉｃ ｉｎｔｅｇｒａｔｅｄ ｃｉｒｃｕｉｔ)、ＤＳＰ(ｄｉｇｉｔａｌ ｓｉｇｎａｌ ｐｒｏｃｅｓｓｏｒ)、ＤＳＰＤ(ｄｉｇｉｔａｌ ｓｉｇｎａｌ ｐｒｏｃｅｓｓｉｎｇ ｄｅｖｉｃｅ)、ＰＬＤ(ｐｒｏｇｒａｍｍａｂｌｅ ｌｏｇｉｃ ｄｅｖｉｃｅ)、ＦＰＧＡ(ｆｉｅｌｄ ｐｒｏｇｒａｍｍａｂｌｅ ｇａｔｅ ａｒｒａｙ)、プロセッサ、コントローラ、マイクロコントローラ、マイクロプロセッサなどによって具現することができる。
【０５０２】
ファームウェアやソフトウェアによる具現の場合、本発明の実施例による方法は、以上で説明した機能又は動作を行うモジュール、手順又は関数などの形態として具現することができる。例えば、ソフトウェアコードは、メモリ５０，１５０に格納し、プロセッサ１４，１４０によって駆動することができる。上記メモリユニットは上記プロセッサの内部又は外部に設けられて、既に公知である様々な手段によって上記プロセッサとデータをやり取りすることができる。
【０５０３】
本発明は、本発明の技術的アイディア及び必須特徴から逸脱しない範囲で他の特定の形態として具体化することができる。したがって、上記の詳細な説明はいずれの面においても制限的に解釈されてはならず、例示的なものとして考慮しなければならない。本発明の範囲は、添付する請求項の合理的解釈によって決定しなければならず、本発明の等価的範囲内における変更はいずれも本発明の範囲に含まれる。また、特許請求の範囲で明示的な引用関係にない請求項を結合して実施例を構成してもよく、出願後の補正によって新しい請求項として含めてもよい。
【産業上の利用可能性】
【０５０４】
本発明の実施例は、様々な無線接続システムに適用することができる。様々な無線接続システムの一例として３ＧＰＰ(３ｒｄ Ｇｅｎｅｒａｔｉｏｎ Ｐａｒｔｎｅｒｓｈｉｐ Ｐｒｏｊｅｃｔ)又は３ＧＰＰ２システムなどがある。本発明の実施例は、上記様々な無線接続システムの他、上記様々な無線接続システムを応用した全ての技術分野にも適用することができる。さらに、提案した方法は、超高周波帯域を利用するｍｍＷａｖｅ通信システムにも適用することができる。
【図１】
2020504939.tif 000014
【図２】
2020504939.tif 000015
【図３】
2020504939.tif 000016
【図４】
2020504939.tif 000017
【図５】
2020504939.tif 000018
【図６】
2020504939.tif 000019
【図７】
2020504939.tif 000020
【図８】
2020504939.tif 000021
【図９】
2020504939.tif 000022
【図１０】
2020504939.tif 000023
【図１１】
2020504939.tif 000024
【図１２】
2020504939.tif 000025
【図１３】
2020504939.tif 000026
【図１４】
2020504939.tif 000027
【図１５】
2020504939.tif 000028
【図１６】
2020504939.tif 000029
【図１７】
2020504939.tif 000030
【図１８】
2020504939.tif 000031
【図１９】
2020504939.tif 000032
【図２０】
2020504939.tif 000033
【図２１】
2020504939.tif 000034
【図２２】
2020504939.tif 000035
【図２３】
2020504939.tif 000036
【図２４】
2020504939.tif 000037
【図２５】
2020504939.tif 000038
【図２６】
2020504939.tif 000039
【図２７】
2020504939.tif 000040
【図２８】
2020504939.tif 000041
【図２９】
2020504939.tif 000042
【図３０】
2020504939.tif 000043
【図３１】
2020504939.tif 000044
【図３２】
2020504939.tif 000045
【図３３】
2020504939.tif 000046
【図３４】
2020504939.tif 000047
【図３５】
2020504939.tif 000048
【図３６】
2020504939.tif 000049
【図３７】
2020504939.tif 000050
【図３８】
2020504939.tif 000051
【手続補正書】
【提出日】令和1年6月13日(2019.6.13)
【手続補正１】
【補正対象書類名】特許請求の範囲
【補正対象項目名】全文
【補正方法】変更
【補正の内容】
【特許請求の範囲】
【請求項１】
無線通信システムにおいて端末が基地局に確認情報を送信する方法であって、
複数の第１のサービングセルから、複数のコードブロックグループ(Ｃｏｄｅ Ｂｌｏｃｋ Ｇｒｏｕｐ；ＣＢＧ)単位で複数の第１下りリンクデータを受信し、
複数の第２のサービングセルから、複数のトランスポートブロック(Ｔｒａｎｓｐｏｒｔ  Ｂｌｏｃｋ；ＴＢ)単位で複数の第２下りリンクデータを受信し、
前記複数の第１のサービングセルから受信した前記複数の第１下りリンクデータに対して、ＣＢＧレベルで第１ＤＡＩ（Ｄｏｗｎｌｉｎｋ  Ａｓｓｉｇｎｍｅｎｔ  Ｉｎｄｅｘ）を利用して第１確認情報を生成し、
前記複数の第２のサービングセルから受信した前記複数の第２下りリンクデータに対して、ＴＢレベルで第２ＤＡＩを利用して第２確認情報を生成し、
前記基地局へ、前記第１確認情報と前記第２確認情報を含む併合確認情報を送信することを含む、送信方法。
【請求項２】
前記第１確認情報は前記複数の第１サービングセルに対して設定された最大ＣＢＧの数に基づいて生成され、
前記第１確認情報は、前記複数の第１下りリンクデータ毎の最大ＣＢＧの数に基づいて生成されるＣＢＧ単位での第３確認情報を含む、請求項１に記載の送信方法。
【請求項３】
前記第１確認情報と前記第２確認情報は、ＨＡＲＱ（Ｈｙｂｒｉｄ  Ａｕｔｏｍａｔｉｃ  Ｒｅｐｅａｔ  ａｎｄ  Ｒｅｑｕｅｓｔ）ＡＣＫ／ＮＡＣＫ情報を含む、請求項１に記載の送信方法。
【請求項４】
前記第１確認情報と前記第２確認情報は、動的なコードブック（Ｄｙｎａｍｉｃ  ｃｏｄｅｂｏｏｋ）方法に基づいて生成される、請求項１に記載の送信方法。
【請求項５】
前記複数の第１下りリンクデータをスケジュールするための第１ＤＣＩと、前記複数の第２下りリンクデータをスケジュールするための第２ＤＣＩを受信することをさらに含み、
前記第１ＤＡＩは前記第１ＤＣＩに含まれるとして受信され、前記第２ＤＡＩは前記第２ＤＣＩに含まれるとして受信される、請求項１に記載の送信方法。
【請求項６】
前記第１ＤＡＩはＣＢＧ単位内のＤＡＩであり、前記第２ＤＡＩはＴＢ単位内のＤＡＩである、請求項５に記載の送信方法。
【請求項７】
前記第１ＤＡＩと前記第２ＤＡＩは、ＴＢ単位内のＤＡＩに対応する、請求項５に記載の送信方法。
【請求項８】
前記第１ＤＡＩと前記第２ＤＡＩは、前記第１ＤＡＩに対する合計ＤＡＩと前記第２ＤＡＩに対する合計ＤＡＩを含む、請求項５に記載の送信方法。
【請求項９】
前記第１確認情報は第１ビット長を有し、
前記第２確認情報は第２ビット長を有し、
前記併合確認情報は、前記第１ビット長と前記第２ビット長の和に等しい第３ビット長を有する、請求項１に記載の送信方法。
【請求項１０】
無線通信システムにおいて基地局が端末から確認情報を受信する方法であって、
複数のコードブロックグループ(Ｃｏｄｅ Ｂｌｏｃｋ Ｇｒｏｕｐ；ＣＢＧ)単位で第１下りリンクデータを送信し、
複数の送信ブロック(ｔｒａｎｓｍｉｓｓｉｏｎ Ｂｌｏｃｋ；ＴＢ)単位で第２下りリンクデータを送信し、
前記端末から、前記第１下りリンクデータに対してＣＢＧレベルで第１ＤＡＩ（Ｄｏｗｎｌｉｎｋ  Ａｓｓｉｇｎｍｅｎｔ  Ｉｎｄｅｘ）を利用して生成された第１確認情報と、前記第２下りリンクデータに対してＴＢレベルで第２ＤＡＩを利用して生成された第２確認情報を含む併合確認情報を受信することを含む、確認情報の受信方法。
【請求項１１】
前記第１確認情報は第１ビット長を有し、
前記第２確認情報は第２ビット長を有し、
前記併合確認情報は、前記第１ビット長と前記第２ビット長の和に等しい第３ビット長を有する、請求項１０に記載の受信方法。
【請求項１２】
無線通信システムにおいて基地局に確認情報を送信する装置であって、
少なくとも一つのプロセッサと、
前記少なくとも一つのプロセッサと動作的に連結可能で、前記少なくとも一つのプロセッサにより実行される時、以下の動作を実行する指示を格納する少なくとも一つのコンピュータメモリとを含み、
複数の第１のサービングセルから複数のコードブロックグループ(Ｃｏｄｅ Ｂｌｏｃｋ Ｇｒｏｕｐ；ＣＢＧ)単位内の複数の第１下りリンクデータを受信し、
複数の第２のサービングセルから複数の送信ブロック(ｔｒａｎｓｍｉｓｓｉｏｎ Ｂｌｏｃｋ；ＴＢ)単位内の複数の第２下りリンクデータを受信し、
前記複数の第１のサービングセルから受信した前記複数の第１下りリンクデータに対して、ＣＢＧレベルで第１ＤＡＩ（Ｄｏｗｎｌｉｎｋ  Ａｓｓｉｇｎｍｅｎｔ  Ｉｎｄｅｘ）を利用して第１確認情報を生成し、
前記複数の第２のサービングセルから受信した前記複数の第２下りリンクデータに対して、ＴＢレベルで第２ＤＡＩを利用して第２確認情報を生成し、
前記基地局へ、前記第１確認情報と前記第２確認情報を含む併合確認情報を送信する、装置。
【請求項１３】
前記第１確認情報は第１ビット長を有し、
前記第２確認情報は第２ビット長を有し、
前記併合確認情報は、前記第１ビット長と前記第２ビット長の和に等しい第３ビット長を有する、請求項１２に記載の装置。
【請求項１４】
無線通信システムにおいて端末から確認情報を受信する装置であって、
少なくとも一つのプロセッサと、
前記少なくとも一つのプロセッサと動作的に連結可能で、前記少なくとも一つのプロセッサにより実行される時、以下の動作を実行する指示を格納する少なくとも一つのコンピュータメモリとを含み、
複数のコードブロックグループ(Ｃｏｄｅ Ｂｌｏｃｋ Ｇｒｏｕｐ；ＣＢＧ)単位で第１下りリンクデータを送信し、
複数のトランスポートブロック(Ｔｒａｎｓｐｏｒｔ  Ｂｌｏｃｋ；ＴＢ)単位で第２下りリンクデータを送信し、
前記端末から、前記第１下りリンクデータに対して、ＣＢＧレベルで第１ＤＡＩ（Ｄｏｗｎｌｉｎｋ  Ａｓｓｉｇｎｍｅｎｔ  Ｉｎｄｅｘ）を利用して生成された第１確認情報と、前記第２下りリンクデータに対して、ＴＢレベルで第２ＤＡＩを利用して生成された第２確認情報とを含む併合確認情報を受信する、装置。
【請求項１５】
前記第１確認情報は第１ビット長を有し、
前記第２確認情報は第２ビット長を有し、
前記併合確認情報は、前記第１ビット長と前記第２ビット長の和に等しい第３ビット長を有する、請求項１４に記載の装置。
【国際調査報告】
2020504939.tif 000052
2020504939.tif 000053
2020504939.tif 000054
2020504939.tif 000055
2020504939.tif 000056
2020504939.tif 000057